(57)【特許請求の範囲】
【請求項１】
物理下りリンク制御チャネル送信方法であって、前記方法は、
予め定義されたリソース上でランダムアクセス応答メッセージを送信するステップであって、前記ランダムアクセス応答メッセージが第1の物理下りリンク制御チャネルの構成情報を搬送し、前記第1の物理下りリンク制御チャネルの前記構成情報が前記第1の物理下りリンク制御チャネルの送受信方法を示すために使用される、ステップと、
前記第1の物理下りリンク制御チャネルの前記構成情報に基づいて、前記第1の物理下りリンク制御チャネルを送信するステップと
を含み、
予め定義されたリソース上でランダムアクセス応答メッセージを送信する前記ステップは、
前記ランダムアクセス応答メッセージを送信し、前記ランダムアクセス応答メッセージに指示情報を追加するステップであって、前記指示情報は、ランダムアクセス競合解決メッセージのスケジューリング情報を含み、前記ランダムアクセス競合解決メッセージの前記スケジューリング情報は、前記ランダムアクセス競合解決メッセージの送受信方法を示すために使用される、ステップと、
前記ランダムアクセス競合解決メッセージを送信するステップであって、前記ランダムアクセス競合解決メッセージが前記第1の物理下りリンク制御チャネルの前記構成情報を搬送する、ステップと
を含むか、または、
前記ランダムアクセス応答メッセージを送信し、前記ランダムアクセス応答メッセージに指示情報を追加するステップであって、前記指示情報は、第3の物理下りリンク制御チャネルの構成情報を含み、前記第3の物理下りリンク制御チャネルの前記構成情報は、前記第3の物理下りリンク制御チャネルの送受信方法を示すために使用され、前記第3の物理下りリンク制御チャネルは、ランダムアクセス競合解決メッセージのスケジューリング情報を伝送するために使用され、前記ランダムアクセス競合解決メッセージの前記スケジューリング情報は、前記ランダムアクセス競合解決メッセージの送受信方法を示すために使用され、前記第3の物理下りリンク制御チャネルの前記構成情報は、前記第3の物理下りリンク制御チャネルの共通探索空間の構成情報および／または前記第3の物理下りリンク制御チャネルの物理下りリンク制御リソース内のユーザ機器固有探索空間の構成情報を含む、ステップと、
前記ランダムアクセス競合解決メッセージを送信するステップであって、前記ランダムアクセス競合解決メッセージが前記第1の物理下りリンク制御チャネルの前記構成情報を搬送する、ステップと
を含む、方法。
【請求項２】
予め定義されたリソース上でランダムアクセス応答メッセージを送信する前記ステップは、
前記予め定義されたリソース上でランダムアクセス応答メッセージのスケジューリング情報を送信するステップであって、前記ランダムアクセス応答メッセージの前記スケジューリング情報が前記ランダムアクセス応答メッセージの送受信方法を示すために使用される、ステップと、
前記ランダムアクセス応答メッセージの前記スケジューリング情報に基づいて、前記ランダムアクセス応答メッセージを送信するステップであって、前記ランダムアクセス応答メッセージが前記第1の物理下りリンク制御チャネルの前記構成情報を搬送する、ステップと
を含む、請求項1に記載の方法。
【請求項３】
前記予め定義されたリソース上で前記ランダムアクセス応答メッセージのスケジューリング情報を送信する前記ステップは、
前記予め定義されたリソース上で共通探索空間を決定するステップと、
前記共通探索空間内で、前記ランダムアクセス応答メッセージをスケジューリングするために使用される第2の物理下りリンク制御チャネルを送信するステップであって、前記第2の物理下りリンク制御チャネルが、前記ランダムアクセス応答メッセージの前記スケジューリング情報を搬送する、ステップと
を含む、請求項2に記載の方法。
【請求項４】
前記ランダムアクセス応答メッセージに前記指示情報を追加する前記ステップは、
前記ランダムアクセス応答メッセージに新しいフィールドを追加するステップであって、前記新しいフィールドが前記指示情報を含むステップ、または、
前記ランダムアクセス応答メッセージ内の既存のフィールドを再定義し、再定義された前記既存のフィールドに前記指示情報を書き込むステップ
を含む、請求項1に記載の方法。
【請求項５】
前記ランダムアクセス応答メッセージが前記第1の物理下りリンク制御チャネルの前記構成情報を搬送することは、
前記ランダムアクセス応答メッセージに新しいフィールドを追加することであって、前記新しいフィールドが前記第1の物理下りリンク制御チャネルの前記構成情報を含む、こと、または、
前記ランダムアクセス応答メッセージ内の既存のフィールドを再定義し、再定義された前記既存のフィールドに前記第1の物理下りリンク制御チャネルの前記構成情報を書き込むこと
を含む、請求項1または2に記載の方法。
【請求項６】
前記第1の物理下りリンク制御チャネルは、ランダムアクセス競合解決メッセージをスケジューリングするために使用される物理下りリンク制御チャネルである、請求項1に記載の方法。
【請求項７】
予め定義されたリソース上でランダムアクセス応答メッセージを送信する前記ステップは、
前記予め定義されたリソース上で、前記第1の物理下りリンク制御チャネルの前記構成情報を搬送するデータチャネルを送信するステップであって、前記データチャネルが、予め知られている変調符号化方式またはフィードバックのない方式で送信される、ステップを含む、請求項1に記載の方法。
【請求項８】
予め定義されたリソース上でランダムアクセス応答メッセージを送信する前記ステップは、
前記予め定義されたリソース上で第4の物理下りリンク制御チャネルを送信し、前記第4の物理下りリンク制御チャネルに前記第1の物理下りリンク制御チャネルの前記構成情報を追加するステップを含むか、または、
前記予め定義されたリソース上で第4の物理下りリンク制御チャネルを送信するステップと、
前記第4の物理下りリンク制御チャネルによって、前記第1の物理下りリンク制御チャネルの前記構成情報を搬送するメッセージを送信するステップと
を含む、請求項1に記載の方法。
【請求項９】
前記予め定義されたリソースは、物理下りリンク制御チャネルリソースの一部または全部であり、前記物理下りリンク制御チャネルリソースは、物理下りリンク制御チャネルがマッピングされる1セットのリソースであり、前記物理下りリンク制御チャネルリソースの数は1以上である、請求項1に記載の方法。
【請求項１０】
前記予め定義されたリソースは、予め設定された規則を用いて決定され、および／または
上位層を用いて通知され、または、
1つ以上のリソースは上位層を用いて構成され、前記予め定義されたリソースは、予め定義された規則を用いて前記1つ以上のリソースから決定される、請求項1から9のいずれか一項に記載の方法。
【請求項１１】
前記予め設定された規則は、
前記予め定義されたリソースが前記予め定義されたリソース内の物理リソースブロックの数に従って決定され、前記予め定義されたリソースが1つ以上の物理リソースブロックを含むことを含む、請求項10に記載の方法。
【請求項１２】
前記予め定義されたリソースは、予め定義された時間周波数リソースを含む、請求項1から11のいずれか一項に記載の方法。
【請求項１３】
前記予め定義されたリソースは、予め定義された狭帯域リソースの一部であり、前記第1の物理下りリンク制御チャネルは、前記予め定義された狭帯域リソース上の前記予め定義されたリソースの一部であるか、または予め定義されていない別の狭帯域リソース上の前記予め定義されたリソースの一部である、請求項1から12のいずれか一項に記載の方法。
【請求項１４】
前記第1の物理下りリンク制御チャネルの前記構成情報は、前記第1の物理下りリンク制御チャネル内の共通探索空間の構成情報、および／または、前記第1の物理下りリンク制御チャネル内のユーザ機器固有探索空間の構成情報を含む、請求項1から13のいずれか一項に記載の方法。
【請求項１５】
物理下りリンク制御チャネル受信方法であって、前記方法は、
予め定義されたリソース上でランダムアクセス応答メッセージを受信し、前記ランダムアクセス応答メッセージ内で搬送される第1の物理下りリンク制御チャネルの構成情報を取得するステップであって、前記第1の物理下りリンク制御チャネルの前記構成情報が前記第1の物理下りリンク制御チャネルの送受信方法を示すために使用される、ステップと、
前記第1の物理下りリンク制御チャネルの前記構成情報に基づいて、前記第1の物理下りリンク制御チャネルを受信するステップと
を含み、
前記ランダムアクセス応答メッセージ内で搬送される第1の物理下りリンク制御チャネルの構成情報を取得する前記ステップは、
前記ランダムアクセス応答メッセージを受信し、前記ランダムアクセス応答メッセージ内で搬送される指示情報を取得するステップであって、前記指示情報は、ランダムアクセス競合解決メッセージのスケジューリング情報を含み、前記ランダムアクセス競合解決メッセージの前記スケジューリング情報は、前記ランダムアクセス競合解決メッセージの送受信方法を示すために使用される、ステップと、
前記ランダムアクセス競合解決メッセージの前記スケジューリング情報に基づいて、前記ランダムアクセス競合解決メッセージを受信し、前記ランダムアクセス競合解決メッセージ内で搬送される前記第1の物理下りリンク制御チャネルの前記構成情報を取得するステップと
を含むか、または、
前記ランダムアクセス応答メッセージを受信し、前記ランダムアクセス応答メッセージ内で搬送される指示情報を取得するステップであって、前記指示情報は、第3の物理下りリンク制御チャネルの構成情報を含み、前記第3の物理下りリンク制御チャネルの前記構成情報は、前記第3の物理下りリンク制御チャネルの送受信方法を示すために使用され、前記第3の物理下りリンク制御チャネルは、ランダムアクセス競合解決メッセージのスケジューリング情報を伝送するために使用され、前記ランダムアクセス競合解決メッセージの前記スケジューリング情報は、前記ランダムアクセス競合解決メッセージの送受信方法を示すために使用され、前記第3の物理下りリンク制御チャネルの前記構成情報は、前記第3の物理下りリンク制御チャネルの共通探索空間の構成情報および／または前記第3の物理下りリンク制御チャネルの物理下りリンク制御リソース内のユーザ機器固有探索空間の構成情報を含む、ステップと、
前記ランダムアクセス競合解決メッセージの前記スケジューリング情報に基づいて、前記ランダムアクセス競合解決メッセージを受信し、前記ランダムアクセス競合解決メッセージ内で搬送される前記第1の物理下りリンク制御チャネルの前記構成情報を取得するステップと
を含む、方法。
【請求項１６】
予め定義されたリソース上でランダムアクセス応答メッセージを受信する前記ステップは、
前記予め定義されたリソース上でランダムアクセス応答メッセージのスケジューリング情報を受信するステップであって、前記ランダムアクセス応答メッセージの前記スケジューリング情報が前記ランダムアクセス応答メッセージの送受信方法を示すために使用される、ステップと、
前記ランダムアクセス応答メッセージの前記スケジューリング情報に基づいて、前記ランダムアクセス応答メッセージを受信し、前記ランダムアクセス応答メッセージ内で搬送される前記第1の物理下りリンク制御チャネルの前記構成情報を取得する、ステップと
を含む、請求項15に記載の方法。
【請求項１７】
前記予め定義されたリソース上で前記ランダムアクセス応答メッセージのスケジューリング情報を受信する前記ステップは、
前記予め定義されたリソース上で共通探索空間を決定するステップと、
前記共通探索空間内で、前記ランダムアクセス応答メッセージをスケジューリングするために使用される第2の物理下りリンク制御チャネルを受信し、前記ランダムアクセス応答メッセージの前記スケジューリング情報であり、かつ前記第2の物理下りリンク制御チャネル内で搬送される前記スケジューリング情報を取得するステップと
を含む、請求項16に記載の方法。
【請求項１８】
前記指示情報は、以下の、
前記ランダムアクセス応答メッセージに新しいフィールドを追加するステップであって、前記新しいフィールドが前記指示情報を含む、ステップ、または、
前記ランダムアクセス応答メッセージ内の既存のフィールドを再定義し、再定義された前記既存のフィールドに前記指示情報を書き込むステップ
において、基地局装置によって前記ランダムアクセス応答メッセージに追加される、請求項15に記載の方法。
【請求項１９】
前記ランダムアクセス応答メッセージが前記第1の物理下りリンク制御チャネルの前記構成情報を搬送することは、
前記ランダムアクセス応答メッセージに新しいフィールドを追加することであって、前記新しいフィールドが前記第1の物理下りリンク制御チャネルの構成情報を含む、こと、または、
前記ランダムアクセス応答メッセージ内の既存のフィールドを再定義し、再定義された前記既存のフィールドに前記第1の物理下りリンク制御チャネルの前記構成情報を書き込むこと
を含む、請求項15または16に記載の方法。
【請求項２０】
前記第1の物理下りリンク制御チャネルは、ランダムアクセス競合解決メッセージをスケジューリングするために使用される物理下りリンク制御チャネルである、請求項15に記載の方法。
【請求項２１】
予め定義されたリソース上でランダムアクセス応答メッセージを受信する前記ステップは、
前記予め定義されたリソース上で、前記第1の物理下りリンク制御チャネルの前記構成情報を搬送するデータチャネルを受信し、前記第1の物理下りリンク制御チャネルの前記構成情報を取得するステップであって、前記データチャネルが、予め知られている変調符号化方式またはフィードバックのない方式で送信される、ステップを含む、請求項15に記載の方法。
【請求項２２】
予め定義されたリソース上でランダムアクセス応答メッセージを受信する前記ステップは、
前記予め定義されたリソース上で第4の物理下りリンク制御チャネルを受信し、前記第4の物理下りリンク制御チャネル内で搬送される前記第1の物理下りリンク制御チャネルの前記構成情報を取得するステップを含むか、または、
前記予め定義されたリソース上で第4の物理下りリンク制御チャネルを受信するステップと、
前記第4の物理下りリンク制御チャネルによって、前記第1の物理下りリンク制御チャネルの前記構成情報を搬送するメッセージを受信し、前記第1の物理下りリンク制御チャネルを取得するステップと
を含む、請求項15に記載の方法。
【請求項２３】
前記予め定義されたリソースは、物理下りリンク制御チャネルリソースの一部または全部であり、前記物理下りリンク制御チャネルリソースは、物理下りリンク制御チャネルがマッピングされる1セットのリソースであり、前記物理下りリンク制御チャネルリソースの数は1以上である、請求項15に記載の方法。
【請求項２４】
前記予め定義されたリソースは、予め設定された規則を用いて決定され、および／または
上位層を用いて通知され、または、
1つ以上のリソースは上位層を用いて構成され、前記予め定義されたリソースは、予め定義された規則を用いて前記1つ以上のリソースから決定される、請求項15から23のいずれか一項に記載の方法。
【請求項２５】
前記予め設定された規則は、
前記予め定義されたリソースが前記予め定義されたリソース内の物理リソースブロックの数に従って決定され、前記予め定義されたリソースが1つ以上の物理リソースブロックを含むことを含む、請求項24に記載の方法。
【請求項２６】
前記予め定義されたリソースは、予め定義された時間周波数リソースを含む、請求項15から25のいずれか一項に記載の方法。
【請求項２７】
前記予め定義されたリソースは、予め定義された狭帯域リソースの一部であり、前記第1の物理下りリンク制御チャネルは、前記予め定義された狭帯域リソース上の前記予め定義されたリソースの一部であるか、または予め定義されていない別の狭帯域リソース上の前記予め定義されたリソースの一部である、請求項15から26のいずれか一項に記載の方法。
【請求項２８】
前記第1の物理下りリンク制御チャネルの前記構成情報は、前記第1の物理下りリンク制御チャネル内の共通探索空間の構成情報、および／または、前記第1の物理下りリンク制御チャネル内のユーザ機器固有探索空間の構成情報を含む、請求項15から27のいずれか一項に記載の方法。
【請求項２９】
基地局装置であって、
予め定義されたリソース上でランダムアクセス応答メッセージを送信するように構成された構成情報送信モジュールであって、前記ランダムアクセス応答メッセージが第1の物理下りリンク制御チャネルの構成情報を搬送し、前記第1の物理下りリンク制御チャネルの前記構成情報が前記第1の物理下りリンク制御チャネルの送受信方法を示すために使用される、構成情報送信モジュールと、
前記第1の物理下りリンク制御チャネルの前記構成情報に基づいて、前記第1の物理下りリンク制御チャネルを送信するように構成された制御チャネル送信モジュールと
を含み、
前記構成情報送信モジュールによって、前記ランダムアクセス応答メッセージを送信する動作は、
前記ランダムアクセス応答メッセージを送信し、前記ランダムアクセス応答メッセージに指示情報を追加する動作であって、前記指示情報は、ランダムアクセス競合解決メッセージのスケジューリング情報を含み、前記ランダムアクセス競合解決メッセージの前記スケジューリング情報は、前記ランダムアクセス競合解決メッセージの送受信方法を示すために使用される、動作と、
前記ランダムアクセス競合解決メッセージを送信する動作であって、前記ランダムアクセス競合解決メッセージが前記第1の物理下りリンク制御チャネルの前記構成情報を搬送する、動作と
であるか、または、
前記ランダムアクセス応答メッセージを送信し、前記ランダムアクセス応答メッセージに指示情報を追加する動作であって、前記指示情報は、第3の物理下りリンク制御チャネルの構成情報を含み、前記第3の物理下りリンク制御チャネルの前記構成情報は、前記第3の物理下りリンク制御チャネルの送受信方法を示すために使用され、前記第3の物理下りリンク制御チャネルは、ランダムアクセス競合解決メッセージのスケジューリング情報を伝送するために使用され、前記ランダムアクセス競合解決メッセージの前記スケジューリング情報は、前記ランダムアクセス競合解決メッセージの送受信方法を示すために使用され、前記第3の物理下りリンク制御チャネルの前記構成情報は、前記第3の物理下りリンク制御チャネルの共通探索空間の構成情報および／または前記第3の物理下りリンク制御チャネルの物理下りリンク制御リソース内のユーザ機器固有探索空間の構成情報を含む、動作と、
前記ランダムアクセス競合解決メッセージを送信する動作であって、前記ランダムアクセス競合解決メッセージが前記第1の物理下りリンク制御チャネルの前記構成情報を搬送する、動作と
である、基地局装置。
【請求項３０】
前記構成情報送信モジュールは、
前記予め定義されたリソース上でランダムアクセス応答メッセージのスケジューリング情報を送信するように構成され、前記ランダムアクセス応答メッセージの前記スケジューリング情報は、前記ランダムアクセス応答メッセージの送受信方法を示すために使用され、
前記ランダムアクセス応答メッセージの前記スケジューリング情報に基づいて、前記ランダムアクセス応答メッセージを送信するように構成され、前記ランダムアクセス応答メッセージは、前記第1の物理下りリンク制御チャネルの前記構成情報を搬送する、請求項29に記載の基地局装置。
【請求項３１】
前記構成情報送信モジュールによって、前記予め定義されたリソース上で前記ランダムアクセス応答メッセージの前記スケジューリング情報を送信する動作であって、前記ランダムアクセス応答メッセージの前記スケジューリング情報が前記ランダムアクセス応答メッセージの前記送受信方法を示すために使用される、動作は、
前記予め定義されたリソース上で共通探索空間を決定する動作と、
前記共通探索空間で、前記ランダムアクセス応答メッセージをスケジューリングするために使用される第2の物理下りリンク制御チャネルを送信する動作であって、前記第2の物理下りリンク制御チャネルが前記ランダムアクセス応答メッセージの前記スケジューリング情報を搬送する、動作と
である、請求項30に記載の基地局装置。
【請求項３２】
前記構成情報送信モジュールによって、前記ランダムアクセス応答メッセージに前記指示情報を追加する動作は、
前記ランダムアクセス応答メッセージに新しいフィールドを追加する動作であって、前記新しいフィールドが前記指示情報を含む、動作、または、
前記ランダムアクセス応答メッセージ内の既存のフィールドを再定義し、再定義された前記既存のフィールドに前記指示情報を書き込む動作
である、請求項29に記載の基地局装置。
【請求項３３】
前記ランダムアクセス応答メッセージが前記第1の物理下りリンク制御チャネルの前記構成情報を搬送することは、
前記ランダムアクセス応答メッセージに新しいフィールドを追加することであって、前記新しいフィールドが前記第1の物理下りリンク制御チャネルの前記構成情報を含む、こと、または、
前記ランダムアクセス応答メッセージ内の既存のフィールドを再定義し、再定義された前記既存のフィールドに前記第1の物理下りリンク制御チャネルの前記構成情報を書き込むこと
を含む、請求項29または30に記載の基地局装置。
【請求項３４】
前記第1の物理下りリンク制御チャネルは、ランダムアクセス競合解決メッセージをスケジューリングするために使用される物理下りリンク制御チャネルである、請求項29に記載の基地局装置。
【請求項３５】
前記構成情報送信モジュールは、前記予め定義されたリソース上で、前記第1の物理下りリンク制御チャネルの前記構成情報を搬送するデータチャネルを送信するように構成され、前記データチャネルは、予め知られている変調符号化方式またはフィードバックのない方式で送信される、請求項29に記載の基地局装置。
【請求項３６】
前記構成情報送信モジュールは、
前記予め定義されたリソース上で第4の物理下りリンク制御チャネルを送信し、前記第4の物理下りリンク制御チャネルに前記第1の物理下りリンク制御チャネルの前記構成情報を追加するように構成されているか、または、
前記予め定義されたリソース上で第4の物理下りリンク制御チャネルを送信し、
前記第4の物理下りリンク制御チャネルによって、前記第1の物理下りリンク制御チャネルの前記構成情報を搬送するメッセージを送信する
ように構成されている、請求項29に記載の基地局装置。
【請求項３７】
前記予め定義されたリソースは、物理下りリンク制御チャネルリソースの一部または全部であり、前記物理下りリンク制御チャネルリソースは、物理下りリンク制御チャネルがマッピングされる1セットのリソースであり、前記物理下りリンク制御チャネルリソースの数は1以上である、請求項29に記載の基地局装置。
【請求項３８】
前記予め定義されたリソースは、予め設定された規則を用いて決定され、および／または
上位層を用いて通知され、または、
1つ以上のリソースは上位層を用いて構成され、前記予め定義されたリソースは、予め定義された規則を用いて前記1つ以上のリソースから決定される、請求項29から37のいずれか一項に記載の基地局装置。
【請求項３９】
前記予め設定された規則は、
前記予め定義されたリソースが前記予め定義されたリソース内の物理リソースブロックの数に従って決定され、前記予め定義されたリソースが1つ以上の物理リソースブロックを含むことを含む、請求項38に記載の基地局装置。
【請求項４０】
前記予め定義されたリソースは、予め定義された時間周波数リソースを含む、請求項29から39のいずれか一項に記載の基地局装置。
【請求項４１】
前記予め定義されたリソースは、予め定義された狭帯域リソースの一部であり、前記第1の物理下りリンク制御チャネルは、前記予め定義された狭帯域リソース上の前記予め定義されたリソースの一部であるか、または予め定義されていない別の狭帯域リソース上の前記予め定義されたリソースの一部である、請求項29から40のいずれか一項に記載の基地局装置。
【請求項４２】
前記第1の物理下りリンク制御チャネルの前記構成情報は、前記第1の物理下りリンク制御チャネル内の共通探索空間の構成情報、および／または、前記第1の物理下りリンク制御チャネル内のユーザ機器固有探索空間の構成情報を含む、請求項29から41のいずれか一項に記載の基地局装置。
【請求項４３】
ユーザ機器であって、
予め定義されたリソース上でランダムアクセス応答メッセージを受信し、前記ランダムアクセス応答メッセージ内で搬送される第1の物理下りリンク制御チャネルの構成情報を取得するように構成された構成情報受信モジュールであって、前記第1の物理下りリンク制御チャネルの前記構成情報が前記第1の物理下りリンク制御チャネルの送受信方法を示すために使用される、構成情報受信モジュールと、
前記第1の物理下りリンク制御チャネルの前記構成情報に基づいて、前記第1の物理下りリンク制御チャネルを受信するように構成された制御チャネル受信モジュールと
を含み、
前記構成情報受信モジュールによって、前記ランダムアクセス応答メッセージ内で搬送される前記第1の物理下りリンク制御チャネルの前記構成情報を取得する動作は、
前記ランダムアクセス応答メッセージを受信し、前記ランダムアクセス応答メッセージ内で搬送される指示情報を取得する動作であって、前記指示情報は、ランダムアクセス競合解決メッセージのスケジューリング情報を含み、前記ランダムアクセス競合解決メッセージの前記スケジューリング情報は、前記ランダムアクセス競合解決メッセージの送受信方法を示すために使用される、動作と、
前記ランダムアクセス競合解決メッセージの前記スケジューリング情報に基づいて、前記ランダムアクセス競合解決メッセージを受信し、前記ランダムアクセス競合解決メッセージ内で搬送される前記第1の物理下りリンク制御チャネルの前記構成情報を取得する動作と
であるか、または、
前記ランダムアクセス応答メッセージを受信し、前記ランダムアクセス応答メッセージ内で搬送される指示情報を取得する動作であって、前記指示情報は、第3の物理下りリンク制御チャネルの構成情報を含み、前記第3の物理下りリンク制御チャネルの前記構成情報は、前記第3の物理下りリンク制御チャネルの送受信方法を示すために使用され、前記第3の物理下りリンク制御チャネルは、ランダムアクセス競合解決メッセージのスケジューリング情報を伝送するために使用され、前記ランダムアクセス競合解決メッセージの前記スケジューリング情報は、前記ランダムアクセス競合解決メッセージの送受信方法を示すために使用され、前記第3の物理下りリンク制御チャネルの前記構成情報は、前記第3の物理下りリンク制御チャネルの共通探索空間の構成情報および／または前記第3の物理下りリンク制御チャネルの物理下りリンク制御リソース内のユーザ機器固有探索空間の構成情報を含む、動作と、
前記ランダムアクセス競合解決メッセージの前記スケジューリング情報に基づいて、前記ランダムアクセス競合解決メッセージを受信し、前記ランダムアクセス競合解決メッセージ内で搬送される前記第1の物理下りリンク制御チャネルの前記構成情報を取得する動作と
である、ユーザ機器。
【請求項４４】
前記構成情報受信モジュールは、
前記予め定義されたリソース上でランダムアクセス応答メッセージのスケジューリング情報を受信するように構成され、前記ランダムアクセス応答メッセージのスケジューリング情報は、前記ランダムアクセス応答メッセージの送受信方法を示すために使用され、
前記ランダムアクセス応答メッセージの前記スケジューリング情報に基づいて、前記ランダムアクセス応答メッセージを受信し、前記ランダムアクセス応答メッセージ内で搬送される前記第1の物理下りリンク制御チャネルの前記構成情報を取得するように構成される、請求項43に記載のユーザ機器。
【請求項４５】
前記構成情報受信モジュールによって、前記予め定義されたリソース上で前記ランダムアクセス応答メッセージの前記スケジューリング情報を受信する動作は、
前記予め定義されたリソース上で共通探索空間を決定する動作と、
前記共通探索空間内で、前記ランダムアクセス応答メッセージをスケジューリングするために使用される第2の物理下りリンク制御チャネルを受信し、前記ランダムアクセス応答メッセージのスケジューリング情報であり、かつ前記第2の物理下りリンク制御チャネル内で搬送される前記スケジューリング情報を取得する動作と
である、請求項44に記載のユーザ機器。
【請求項４６】
前記指示情報は、以下の、
前記ランダムアクセス応答メッセージに新しいフィールドを追加する動作であって、前記新しいフィールドが前記指示情報を含む、動作、または、
前記ランダムアクセス応答メッセージ内の既存のフィールドを再定義し、再定義された前記既存のフィールドに前記指示情報を書き込む動作
において、基地局装置によって前記ランダムアクセス応答メッセージに追加される、請求項43に記載のユーザ機器。
【請求項４７】
前記ランダムアクセス応答メッセージが前記第1の物理下りリンク制御チャネルの前記構成情報を搬送することは、
前記ランダムアクセス応答メッセージに新しいフィールドを追加することであって、前記新しいフィールドが前記第1の物理下りリンク制御チャネルの前記構成情報を含む、こと、または、
前記ランダムアクセス応答メッセージ内の既存のフィールドを再定義し、再定義された前記既存のフィールドに前記第1の物理下りリンク制御チャネルの前記構成情報を書き込むこと
を含む、請求項43または44に記載のユーザ機器。
【請求項４８】
前記第1の物理下りリンク制御チャネルは、ランダムアクセス競合解決メッセージをスケジューリングするために使用される物理下りリンク制御チャネルである、請求項43に記載のユーザ機器。
【請求項４９】
前記構成情報受信モジュールは、前記予め定義されたリソース上で前記第1の物理下りリンク制御チャネルの前記構成情報を搬送するデータチャネルを受信し、前記第1の物理下りリンク制御チャネルの前記構成情報を取得するように構成され、前記データチャネルは、予め知られている変調符号化方式またはフィードバックのない方式で送信される、請求項43に記載のユーザ機器。
【請求項５０】
前記構成情報受信モジュールは、
前記予め定義されたリソース上で第4の物理下りリンク制御チャネルを受信し、前記第4の物理下りリンク制御チャネル内で搬送される前記第1の物理下りリンク制御チャネルの前記構成情報を取得するように構成されているか、または、
前記予め定義されたリソース上で第4の物理下りリンク制御チャネルを受信し、
前記第4の物理下りリンク制御チャネルによって、前記第1の物理下りリンク制御チャネルの前記構成情報を搬送するメッセージを受信し、前記第1の物理下りリンク制御チャネルを取得する
ように構成されている、請求項43に記載のユーザ機器。
【請求項５１】
前記予め定義されたリソースは、物理下りリンク制御チャネルリソースの一部または全部であり、前記物理下りリンク制御チャネルリソースは、物理下りリンク制御チャネルがマッピングされる1セットのリソースであり、前記物理下りリンク制御チャネルリソースの数は1以上である、請求項43に記載のユーザ機器。
【請求項５２】
前記予め定義されたリソースは、予め設定された規則を用いて決定され、および／または
上位層を用いて通知され、または、
1つ以上のリソースは上位層を用いて構成され、前記予め定義されたリソースは、予め定義された規則を用いて前記1つ以上のリソースから決定される、請求項43から51のいずれか一項に記載のユーザ機器。
【請求項５３】
前記予め設定された規則は、
前記予め定義されたリソースが前記予め定義されたリソース内の物理リソースブロックの数に従って決定され、前記予め定義されたリソースが1つ以上の物理リソースブロックを含むことを含む、請求項52に記載のユーザ機器。
【請求項５４】
前記予め定義されたリソースは、予め定義された時間周波数リソースを含む、請求項43から53のいずれか一項に記載のユーザ機器。
【請求項５５】
前記予め定義されたリソースは、予め定義された狭帯域リソースの一部であり、前記第1の物理下りリンク制御チャネルは、前記予め定義された狭帯域リソース上の前記予め定義されたリソースの一部であるか、または予め定義されていない別の狭帯域リソース上の前記予め定義されたリソースの一部である、請求項43から54のいずれか一項に記載のユーザ機器。
【請求項５６】
前記第1の物理下りリンク制御チャネルの前記構成情報は、前記第1の物理下りリンク制御チャネル内の共通探索空間の構成情報、および／または、前記第1の物理下りリンク制御チャネル内のユーザ機器固有探索空間の構成情報を含む、請求項43から55のいずれか一項に記載のユーザ機器。
【請求項５７】
請求項1から14のいずれか一項に記載の方法をコンピュータに実行させるコンピュータプログラム。
【請求項５８】
請求項15から28のいずれか一項に記載の方法をコンピュータに実行させるコンピュータプログラム。
【請求項５９】
基地局装置であって、ネットワークインターフェースと、メモリと、プロセッサとを含み、前記メモリはプログラム群を記憶し、前記プロセッサは、前記メモリ内に記憶された前記プログラム群を呼び出し、以下の、
予め定義されたリソース上でランダムアクセス応答メッセージを送信するステップであって、前記ランダムアクセス応答メッセージが第1の物理下りリンク制御チャネルの構成情報を搬送し、前記第1の物理下りリンク制御チャネルの前記構成情報が前記第1の物理下りリンク制御チャネルの送受信方法を示すために使用される、ステップと、
前記第1の物理下りリンク制御チャネルの前記構成情報に基づいて、前記第1の物理下りリンク制御チャネルを送信するステップと
を行うように構成され、
予め定義されたリソース上でランダムアクセス応答メッセージを送信する前記ステップは、
前記ランダムアクセス応答メッセージを送信し、前記ランダムアクセス応答メッセージに指示情報を追加するステップであって、前記指示情報は、ランダムアクセス競合解決メッセージのスケジューリング情報を含み、前記ランダムアクセス競合解決メッセージの前記スケジューリング情報は、前記ランダムアクセス競合解決メッセージの送受信方法を示すために使用される、ステップと、
前記ランダムアクセス競合解決メッセージを送信するステップであって、前記ランダムアクセス競合解決メッセージが前記第1の物理下りリンク制御チャネルの前記構成情報を搬送する、ステップと
を含むか、または、
前記ランダムアクセス応答メッセージを送信し、前記ランダムアクセス応答メッセージに指示情報を追加するステップであって、前記指示情報は、第3の物理下りリンク制御チャネルの構成情報を含み、前記第3の物理下りリンク制御チャネルの前記構成情報は、前記第3の物理下りリンク制御チャネルの送受信方法を示すために使用され、前記第3の物理下りリンク制御チャネルは、ランダムアクセス競合解決メッセージのスケジューリング情報を伝送するために使用され、前記ランダムアクセス競合解決メッセージの前記スケジューリング情報は、前記ランダムアクセス競合解決メッセージの送受信方法を示すために使用され、前記第3の物理下りリンク制御チャネルの前記構成情報は、前記第3の物理下りリンク制御チャネルの共通探索空間の構成情報および／または前記第3の物理下りリンク制御チャネルの物理下りリンク制御リソース内のユーザ機器固有探索空間の構成情報を含む、ステップと、
前記ランダムアクセス競合解決メッセージを送信するステップであって、前記ランダムアクセス競合解決メッセージが前記第1の物理下りリンク制御チャネルの前記構成情報を搬送する、ステップと
を含む、基地局装置。
【請求項６０】
ユーザ機器であって、ネットワークインターフェースと、メモリと、プロセッサとを含み、前記メモリはプログラム群を格納し、前記プロセッサは、前記メモリに格納された前記プログラム群を呼び出し、以下の、
予め定義されたリソース上でランダムアクセス応答メッセージを受信し、前記ランダムアクセス応答メッセージ内で搬送される第1の物理下りリンク制御チャネルの構成情報を取得するステップであって、前記第1の物理下りリンク制御チャネルの前記構成情報は、前記第1の物理下りリンク制御チャネルの送受信方法を示すために使用される、ステップと、
前記第1の物理下りリンク制御チャネルの前記構成情報に基づいて、前記第1の物理下りリンク制御チャネルを受信するステップと
を行うように構成され、
前記ランダムアクセス応答メッセージ内で搬送される第1の物理下りリンク制御チャネルの構成情報を取得する前記ステップは、
前記ランダムアクセス応答メッセージを受信し、前記ランダムアクセス応答メッセージ内で搬送される指示情報を取得するステップであって、前記指示情報は、ランダムアクセス競合解決メッセージのスケジューリング情報を含み、前記ランダムアクセス競合解決メッセージの前記スケジューリング情報は、前記ランダムアクセス競合解決メッセージの送受信方法を示すために使用される、ステップと、
前記ランダムアクセス競合解決メッセージの前記スケジューリング情報に基づいて、前記ランダムアクセス競合解決メッセージを受信し、前記ランダムアクセス競合解決メッセージ内で搬送される前記第1の物理下りリンク制御チャネルの前記構成情報を取得するステップと
を含むか、または、
前記ランダムアクセス応答メッセージを受信し、前記ランダムアクセス応答メッセージ内で搬送される指示情報を取得するステップであって、前記指示情報は、第3の物理下りリンク制御チャネルの構成情報を含み、前記第3の物理下りリンク制御チャネルの前記構成情報は、前記第3の物理下りリンク制御チャネルの送受信方法を示すために使用され、前記第3の物理下りリンク制御チャネルは、ランダムアクセス競合解決メッセージのスケジューリング情報を伝送するために使用され、前記ランダムアクセス競合解決メッセージの前記スケジューリング情報は、前記ランダムアクセス競合解決メッセージの送受信方法を示すために使用され、前記第3の物理下りリンク制御チャネルの前記構成情報は、前記第3の物理下りリンク制御チャネルの共通探索空間の構成情報および／または前記第3の物理下りリンク制御チャネルの物理下りリンク制御リソース内のユーザ機器固有探索空間の構成情報を含む、ステップと、
前記ランダムアクセス競合解決メッセージの前記スケジューリング情報に基づいて、前記ランダムアクセス競合解決メッセージを受信し、前記ランダムアクセス競合解決メッセージ内で搬送される前記第1の物理下りリンク制御チャネルの前記構成情報を取得するステップと
を含む、ユーザ機器。
【発明の詳細な説明】
【技術分野】
【０００１】
本発明は、無線通信技術の分野に関し、特に、物理下りリンク制御チャネル伝送方法、基地局装置およびユーザ機器に関する。
【背景技術】
【０００２】
モノのインターネット（The Internet of Things）とは、知覚、計算、実行およびコミュニケーション能力を有する様々な装置を配備し、ネットワークを用いて情報の伝送、オーケストレーションおよび処理を行うことによって、物理的な世界に関する情報を入手して、人と物を相互接続し、物を相互接続するネットワークをさらに行うという意味である。モノのインターネット技術の継続的な発展に伴い、現在、移動通信ネットワークを用いてモノのインターネットをどのように利用するかの研究が始まっている。この研究では、装置コストを低減し、低消費電力化の要求を満たすために、装置の動作帯域幅を縮小する必要がある。例えば、装置の無線周波数帯域幅およびベースバンド帯域幅は1．4MHzに縮小される。動作帯域幅が縮小されたユーザ機器は、狭帯域ユーザ機器と呼ばれる。
【０００３】
既存のプロトコルによれば、通信システムの基地局は、PDCCH（Physical Downlink Control Channel、物理下りリンク制御チャネル）またはEPDCCH（Enhanced Physical Downlink Control Channel、拡張物理下りリンク制御チャネル）を用いて、ユーザ機器にスケジューリング情報を伝送する。スケジューリング情報は、伝送されるデータの伝送方法、例えば、使用される時間周波数リソース、または使用される変調符号化方式を示すために使用される。EPDCCHチャネルでは、共通メッセージをスケジューリングするために使用されるCSS（Common Search Space、共通探索空間）は定義されず、ユーザ固有のデータをスケジューリングするために使用されるUSS（UE specific Search Space、ユーザ機器固有探索空間）のみが定義される。また、EPDCCHで定義され、ユーザ固有のデータをスケジューリングするために使用されるUSSの構成情報は、PDCCHを用いてスケジューリングされたRRC（Radio Resource Control、無線リソース制御プロトコル）シグナリングを用いて伝送される。
【０００４】
しかしながら、システム帯域幅が狭帯域ユーザ機器の動作帯域幅よりも大きい場合、PDCCHチャネルはシステム帯域幅全体の範囲でマッピングされ配信される場合があるため、狭帯域ユーザ機器はシステムのPDCCHチャネルを受信することができない。さらに、狭帯域ユーザ機器は、既存のプロトコルに従ってRRCシグナリングを受信することによってEPDCCH内のUSSの構成情報を受信することができず、EPDCCH内にUSSを構成することができない。その結果、狭帯域ユーザ機器は物理下りリンク制御チャネルを利用できず、データをスケジューリングまたは伝送することができない。
【０００５】
したがって、システム帯域幅が狭帯域ユーザ機器の動作帯域幅よりも大きいシナリオのために、物理下りリンク制御チャネルをどのように伝送するかは緊急に解決されるべき問題である。
【発明の概要】
【課題を解決するための手段】
【０００６】
本発明の実施形態は、狭帯域ユーザ機器が広帯域PDCCHチャネルを受信することができないという事実に起因する、物理下りリンク制御チャネル伝送の問題を解決するために、物理下りリンク制御チャネル、特にEPDCCHチャネルを伝送するための物理下りリンク制御チャネル、基地局装置およびユーザ機器を提供する。
【０００７】
本発明の実施形態の第1の態様は、
予め定義されたリソース上で第1の物理下りリンク制御チャネルの構成情報を送信するステップであって、第1の物理下りリンク制御チャネルの構成情報が第1の物理下りリンク制御チャネルの送受信方法を示すために使用される、ステップと、
第1の物理下りリンク制御チャネルの構成情報に基づいて、第1の物理下りリンク制御チャネルを送信するステップと
を含む、物理下りリンク制御チャネル伝送方法を提供する。
【０００８】
第1の態様の第1の可能な実装方法では、予め定義されたリソース上で第1の物理下りリンク制御チャネルの構成情報を送信するステップは、
予め定義されたリソース上でランダムアクセス応答メッセージを送信するステップであって、ランダムアクセス応答メッセージが第1の物理下りリンク制御チャネルの構成情報を搬送する、ステップを含む。
【０００９】
第1の態様の可能な実装方法を参照すると、第2の可能な実装方法において、予め定義されたリソース上で第1の物理下りリンク制御チャネルの構成情報を送信するステップは、
予め定義されたリソース上でランダムアクセス応答メッセージのスケジューリング情報を送信するステップであって、ランダムアクセス応答メッセージのスケジューリング情報がランダムアクセス応答メッセージの送受信方法を示すために使用される、ステップと、
ランダムアクセス応答メッセージのスケジューリング情報に基づいて、ランダムアクセス応答メッセージを送信するステップであって、ランダムアクセス応答メッセージが第1の物理下りリンク制御チャネルの構成情報を搬送する、ステップと
を含む。
【００１０】
第1の態様または第1の態様の第2の可能な実装方法を参照すると、第3の可能な実装方法において、予め定義されたリソース上でランダムアクセス応答メッセージの送信スケジューリング情報を送信するステップは、
予め定義されたリソース上で共通探索空間を決定するステップと、
共通探索空間において、ランダムアクセス応答メッセージをスケジューリングするために使用される第2の物理下りリンク制御チャネルを送信するステップであって、第2の物理下りリンク制御チャネルがランダムアクセス応答メッセージのスケジューリング情報を搬送する、ステップと
を含む。
【００１１】
第1の態様または第1の態様の第1、第2または第3の可能な実装方法を参照すると、第4の可能な実装方法において、ランダムアクセス応答メッセージを送信するステップであって、ランダムアクセス応答メッセージが第1の物理下りリンク制御チャネルの構成情報を搬送する、ステップは、
ランダムアクセス応答メッセージを送信し、ランダムアクセス応答メッセージに指示情報を追加するステップであって、指示情報がランダムアクセス競合解決メッセージのスケジューリング情報を含み、ランダムアクセス競合解決メッセージのスケジューリング情報は、ランダムアクセス競合解決メッセージの送受信方法を示すために使用される、ステップと、
ランダムアクセス競合解決メッセージを送信するステップであって、ランダムアクセス競合解決メッセージが第1の物理下りリンク制御チャネルの構成情報を搬送する、ステップ、または、
ランダムアクセス応答メッセージを送信し、ランダムアクセス応答メッセージに指示情報を追加するステップであって、指示情報は第3の物理下りリンク制御チャネルの構成情報を含み、第3の物理下りリンク制御チャネルの構成情報は第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネルの共通探索空間の構成情報および／または第3の物理下りリンク制御チャネルの物理下りリンク制御リソース内のユーザ機器固有探索空間の構成情報を含む、ステップと、
ランダムアクセス競合解決メッセージを送信するステップであって、ランダムアクセス競合解決メッセージが第1の物理下りリンク制御チャネルの構成情報を搬送する、ステップと
を含む。
【００１２】
第1の態様または第1の態様の第4の可能な実装方法を参照すると、第5の可能な実装方法では、ランダムアクセス応答メッセージに指示情報を追加するステップは、
ランダムアクセス応答メッセージに新しいフィールドを追加するステップであって、新しいフィールドが指示情報を含むステップ、または、
ランダムアクセス応答メッセージ内の既存のフィールドを再説明し、再説明された既存のフィールドに指示情報を書き込むステップ
を含む。
【００１３】
第1の態様または第1の態様の第1または第2の可能な実装方法を参照すると、第6の可能な実装方法において、ランダムアクセス応答メッセージが第1の物理下りリンク制御チャネルの構成情報を搬送するステップは、
ランダムアクセス応答メッセージに新しいフィールドを追加するステップであって、新しいフィールドが第1の物理下りリンク制御チャネルの構成情報を含む、ステップ、または、
ランダムアクセス応答メッセージ内の既存のフィールドを再説明し、再説明された既存のフィールドに第1の物理下りリンク制御チャネルの構成情報を書き込むステップ
を含む。
【００１４】
第1の態様または第1の態様の第1の可能な実装方法を参照すると、第7の可能な実装方法において、第1の物理下りリンク制御チャネルは、ランダムアクセス競合解決メッセージをスケジューリングするために使用される物理下りリンク制御チャネルである。
【００１５】
第1の態様の可能な実装方法を参照すると、第8の可能な実装方法において、予め定義されたリソース上で第1の物理下りリンク制御チャネルの構成情報を送信するステップは、
予め定義されたリソース上で、第1の物理下りリンク制御チャネルの構成情報を搬送するデータチャネルを送信するステップであって、データチャネルが予定外の方法で送信される、ステップを含む。
【００１６】
第1の可能な実装方法を参照すると、第9の可能な実装方法において、予め定義されたリソース上で第1の物理下りリンク制御チャネルの構成情報を送信するステップは、
予め定義されたリソース上で第4の物理下りリンク制御チャネルを送信し、第4の物理下りリンク制御チャネルに第1の物理下りリンク制御チャネルの構成情報を追加するステップ、または、
予め定義されたリソース上で第4の物理下りリンク制御チャネルを送信するステップと、
第4の物理下りリンク制御チャネルによって、第1の物理下りリンク制御チャネルの構成情報を搬送するメッセージを送信するステップと
を含む。
【００１７】
第1の態様の可能な実装方法を参照すると、第10の可能な実装方法において、予め定義されたリソースは、物理下りリンク制御チャネルリソースの一部または全部であり、物理下りリンク制御チャネルリソースは、物理下りリンク制御チャネルがマッピングされる1セットのリソースであり、物理下りリンク制御チャネルリソースの数は1以上である。
【００１８】
第1の態様または第1の態様の第1から第10の可能な実装方法のいずれかを参照すると、第11の可能な実装方法において、予め定義されたリソースは、予め設定された規則を用いて決定され、および／または
上位層を用いて通知され、または、
1つ以上のリソースは上位層を用いて構成され、予め定義されたリソースは、予め定義された規則を用いて1つ以上のリソースから決定される。
【００１９】
第1の態様の可能な実装方法を参照すると、第12の可能な実装方法において、予め設定された規則は、
予め定義されたリソースが予め定義されたリソース内の物理リソースブロックの数に従って決定され、予め定義されたリソースが1つ以上の物理リソースブロックを含むことを含む。
【００２０】
第1の態様または第1の態様の第1から第12の可能な実装方法のいずれかを参照すると、第13の可能な実装方法において、予め定義されたリソースは、予め定義された時間周波数リソースを含む。
【００２１】
第1の態様または第1の態様の第1から第13の可能な実装方法のいずれかを参照すると、第14の可能な実装方法において、予め定義されたリソースは、予め定義された狭帯域リソースの一部であり、第1の物理下りリンク制御チャネルは、予め定義された狭帯域リソース上の予め定義されたリソースの一部であるか、または予め定義されていない別の狭帯域リソース上の予め定義されたリソースの一部である。
【００２２】
第1の態様または第1の態様の第1から第14の可能な実装方法のいずれかを参照すると、第15の可能な実装方法において、第1の物理下りリンク制御チャネルの構成情報は、第1の物理下りリンク制御チャネルの共通探索空間の構成情報および／または第1の物理下りリンク制御チャネルのユーザ機器固有探索空間の構成情報を含む。
【００２３】
本発明の実施形態の第2の態様は、
予め定義されたリソース上で第1の物理下りリンク制御チャネルの構成情報を受信するステップであって、第1の物理下りリンク制御チャネルの構成情報が第1の物理下りリンク制御チャネルの送受信方法を示すために使用されるステップと、
第1の物理下りリンク制御チャネルの構成情報に基づいて、第1の物理下りリンク制御チャネルを受信するステップと
を含む、物理下りリンク制御チャネル受信方法を提供する。
【００２４】
第2の態様の第1の可能な実装方法では、予め定義されたリソース上で第1の物理下りリンク制御チャネルの構成情報を受信するステップは、
予め定義されたリソース上でランダムアクセス応答メッセージを受信し、ランダムアクセス応答メッセージ内で搬送される第1の物理下りリンク制御チャネルの構成情報を取得するステップを含む。
【００２５】
第2の態様の可能な実装方法を参照すると、第2の可能な実装方法において、予め定義されたリソース上で第1の物理下りリンク制御チャネルの構成情報を送信するステップは、
予め定義されたリソース上でランダムアクセス応答メッセージのスケジューリング情報を受信するステップであって、ランダムアクセス応答メッセージのスケジューリング情報がランダムアクセス応答メッセージの送受信方法を示すために使用される、ステップと、
ランダムアクセス応答メッセージのスケジューリング情報に基づいてランダムアクセス応答メッセージを受信し、ランダムアクセス応答メッセージ内で搬送される第1の物理下りリンク制御チャネルの構成情報を取得するステップと
を含む。
【００２６】
第2の態様または第2の態様の第2の可能な実装方法を参照すると、第3の可能な実装方法において、予め定義されたリソース上でランダムアクセス応答メッセージのスケジューリング情報を受信するステップは、
予め定義されたリソース上で共通探索空間を決定するステップと、
共通探索空間で、ランダムアクセス応答メッセージをスケジューリングするために使用される第2の物理下りリンク制御チャネルを受信し、ランダムアクセス応答メッセージのスケジューリング情報であり、かつ第2の物理下りリンク制御チャネル内で搬送されるスケジューリング情報を取得するステップと
を含む。
【００２７】
第2の態様または第2の態様の第1、第2または第3の可能な実装方法を参照すると、第4の可能な実装方法において、ランダムアクセス応答メッセージ内で搬送される第1の物理下りリンク制御チャネルの構成情報を取得するステップは、
ランダムアクセス応答メッセージを受信し、ランダムアクセス応答メッセージ内で搬送される指示情報を取得するステップであって、指示情報がランダムアクセス競合解決メッセージのスケジューリング情報を含み、ランダムアクセス競合解決メッセージのスケジューリング情報がランダムアクセス競合解決メッセージの送受信方法を示すために使用される、ステップと、
ランダムアクセス競合解決メッセージのスケジューリング情報に基づいて、ランダムアクセス競合解決メッセージを受信し、ランダムアクセス競合解決メッセージ内で搬送される第1の物理下りリンク制御チャネルの構成情報を取得する、ステップ、または、
ランダムアクセス応答メッセージを受信し、ランダムアクセス応答メッセージ内で搬送される指示情報を取得するステップであって、指示情報は第3の物理下りリンク制御チャネルの構成情報を含み、第3の物理下りリンク制御チャネルの構成情報は第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネルの共通探索空間の構成情報および／または第3の物理下りリンク制御チャネルの物理下りリンク制御リソース内のユーザ機器固有探索空間の構成情報を含む、ステップと、
ランダムアクセス競合解決メッセージのスケジューリング情報に基づいて、ランダムアクセス競合解決メッセージを受信し、ランダムアクセス競合解決メッセージ内で搬送される第1の物理下りリンク制御チャネルの構成情報を取得する、ステップと
を含む。
【００２８】
第2の態様または第2の態様の第4の可能な実装方法を参照すると、第5の可能な実装方法において、指示情報は、以下の、
ランダムアクセス応答メッセージに新しいフィールドを追加するステップであって、新しいフィールドが指示情報を含む、ステップ、または、
ランダムアクセス応答メッセージ内の既存のフィールドを再説明し、再説明された既存のフィールドに指示情報を書き込むステップ
において、基地局装置によってランダムアクセス応答メッセージに追加される。
【００２９】
第2の態様または第2の態様の第1または第2の可能な実装方法を参照すると、第6の可能な実装方法において、ランダムアクセス応答メッセージが第1の物理下りリンク制御チャネルの構成情報を搬送するステップは、
ランダムアクセス応答メッセージに新しいフィールドを追加するステップであって、新しいフィールドが第1の物理下りリンク制御チャネルの構成情報を含む、ステップ、または、
ランダムアクセス応答メッセージ内の既存のフィールドを再説明し、再説明された既存のフィールドに第1の物理下りリンク制御チャネルの構成情報を書き込むステップ
を含む。
【００３０】
第2の態様または第2の態様の第1の可能な実装方法を参照すると、第7の可能な実装方法において、第1の物理下りリンク制御チャネルは、ランダムアクセス競合解決メッセージをスケジューリングするために使用される物理下りリンク制御チャネルである。
【００３１】
第2の態様の可能な実装方法を参照すると、第8の可能な実装方法において、予め定義されたリソース上で第1の物理下りリンク制御チャネルの構成情報を送信するステップは、
予め定義されたリソース上で、第1の物理下りリンク制御チャネルの構成情報を搬送するデータチャネルを受信し、第1の物理下りリンク制御チャネルの構成情報を取得するステップであって、データチャネルが予定外の方法で送信される、ステップを含む。
【００３２】
第2の態様の可能な実装方法を参照すると、第9の可能な実装方法において、予め定義されたリソース上で第1の物理下りリンク制御チャネルの構成情報を送信するステップは、
予め定義されたリソース上で第4の物理下りリンク制御チャネルを受信し、第4の物理下りリンク制御チャネル内で搬送される第1の物理下りリンク制御チャネルの構成情報を取得するステップ、または、
予め定義されたリソース上で第4の物理下りリンク制御チャネルを受信するステップと、
第4の物理下りリンク制御チャネルによって、第1の物理下りリンク制御チャネルの構成情報を搬送するメッセージを受信し、第1の物理下りリンク制御チャネルを取得するステップと
を含む。
【００３３】
第2の態様の可能な実装方法を参照すると、第10の可能な実装方法において、予め定義されたリソースは、物理下りリンク制御チャネルリソースの一部または全部であり、物理下りリンク制御チャネルリソースは、物理下りリンク制御チャネルがマッピングされる1セットのリソースであり、物理下りリンク制御チャネルリソースの数は1以上である。
【００３４】
第2の態様または第2の態様の第1から第10の可能な実装方法のいずれかを参照すると、第11の可能な実装方法において、予め定義されたリソースは、予め設定された規則を用いて決定され、および／または
上位層を用いて通知され、または、
1つ以上のリソースは上位層を用いて構成され、予め定義されたリソースは、予め定義された規則を用いて1つ以上のリソースから決定される。
【００３５】
第2の態様の可能な実装方法を参照すると、第12の可能な実装方法において、予め設定された規則は、
予め定義されたリソースが予め定義されたリソース内の物理リソースブロックの数に従って決定され、予め定義されたリソースが1つ以上の物理リソースブロックを含むことを含む。
【００３６】
第2の態様または第2の態様の第1から第12の可能な実装方法のいずれかを参照すると、第13の可能な実装方法において、予め定義されたリソースは、予め定義された時間周波数リソースを含む。
【００３７】
第2の態様または第2の態様の第1から第13の可能な実装方法のいずれかを参照すると、第14の可能な実装方法において、予め定義されたリソースは、予め定義された狭帯域リソースの一部であり、第1の物理下りリンク制御チャネルは、予め定義された狭帯域リソース上の予め定義されたリソースの一部であるか、または予め定義されていない別の狭帯域リソース上の予め定義されたリソースの一部である。
【００３８】
第2の態様または第2の態様の第1から第14の可能な実装方法のいずれかを参照すると、第15の可能な実装方法において、第1の物理下りリンク制御チャネルの構成情報は、第1の物理下りリンク制御チャネルの共通探索空間の構成情報および／または第1の物理下りリンク制御チャネルのユーザ機器固有探索空間の構成情報を含む。
【００３９】
本発明の実施形態の第3の態様は、
予め定義されたリソース上で第1の物理下りリンク制御チャネルの構成情報を送信するように構成された構成情報送信モジュールであって、第1の物理下りリンク制御チャネルの構成情報が第1の物理下りリンク制御チャネルの送受信方法を示すために使用される、構成情報送信モジュールと、
第1の物理下りリンク制御チャネルの構成情報に基づいて、第1の物理下りリンク制御チャネルを送信するように構成された制御チャネル送信モジュールと
を含む、基地局装置を提供する。
【００４０】
第3の態様の第1の可能な実装方法では、構成情報送信モジュールは、
予め定義されたリソース上でランダムアクセス応答メッセージを送信するように特に構成され、ランダムアクセス応答メッセージは、第1の物理下りリンク制御チャネルの構成情報を搬送する。
【００４１】
第3の態様の可能な実装方法を参照すると、第2の可能な実装方法において、構成情報送信モジュールは、
予め定義されたリソース上でランダムアクセス応答メッセージのスケジューリング情報を送信するように特に構成され、ランダムアクセス応答メッセージのスケジューリング情報は、ランダムアクセス応答メッセージの送受信方法を示すために使用され、
ランダムアクセス応答メッセージのスケジューリング情報に基づいて、ランダムアクセス応答メッセージを送信するように特に構成され、ランダムアクセス応答メッセージは、第1の物理下りリンク制御チャネルの構成情報を搬送する。
【００４２】
第3の態様または第3の態様の第2の可能な実装方法を参照すると、第3の可能な実装方法において、構成情報送信モジュールによって、予め定義されたリソース上でランダムアクセス応答メッセージのスケジューリング情報を送信するステップであって、ランダムアクセス応答メッセージのスケジューリング情報がランダムアクセス応答メッセージの送受信方法を示すために使用される、ステップの動作は、特に、
予め定義されたリソース上で共通探索空間を決定するステップと、
共通探索空間で、ランダムアクセス応答メッセージをスケジューリングするために使用される第2の物理下りリンク制御チャネルを送信するステップであって、第2の物理下りリンク制御チャネルがランダムアクセス応答メッセージのスケジューリング情報を搬送する、ステップと
である。
【００４３】
第3の態様または第3の態様の第1、第2または第3の可能な実装方法を参照すると、第4の可能な実装方法において、構成情報送信モジュールによってランダムアクセス応答メッセージを送信するステップであって、ランダムアクセス応答メッセージが第1の物理下りリンク制御チャネルの構成情報を搬送する、ステップの動作は、特に、
ランダムアクセス応答メッセージを送信し、ランダムアクセス応答メッセージに指示情報を追加するステップであって、指示情報がランダムアクセス競合解決メッセージのスケジューリング情報を含み、ランダムアクセス競合解決メッセージのスケジューリング情報は、ランダムアクセス競合解決メッセージの送受信方法を示すために使用される、ステップと、
ランダムアクセス競合解決メッセージを送信するステップであって、ランダムアクセス競合解決メッセージが第1の物理下りリンク制御チャネルの構成情報を搬送する、ステップ、または、
ランダムアクセス応答メッセージを送信し、ランダムアクセス応答メッセージに指示情報を追加するステップであって、指示情報は第3の物理下りリンク制御チャネルの構成情報を含み、第3の物理下りリンク制御チャネルの構成情報は第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネルの共通探索空間の構成情報および／または第3の物理下りリンク制御チャネルの物理下りリンク制御リソース内のユーザ機器固有探索空間の構成情報を含む、ステップと、
ランダムアクセス競合解決メッセージを送信するステップであって、ランダムアクセス競合解決メッセージが第1の物理下りリンク制御チャネルの構成情報を搬送する、ステップと
である。
【００４４】
第3の態様または第3の態様の第4の可能な実装方法を参照すると、第5の可能な実装方法において、構成情報送信モジュールによってランダムアクセス応答メッセージに指示情報を追加するステップの動作は、特に、
ランダムアクセス応答メッセージに新しいフィールドを追加するステップであって、新しいフィールドが指示情報を含むステップ、または、
ランダムアクセス応答メッセージ内の既存のフィールドを再説明し、再説明された既存のフィールドに指示情報を書き込むステップ
である。
【００４５】
第3の態様または第3の態様の第1または第2の可能な実装方法を参照すると、第6の可能な実装方法において、ランダムアクセス応答メッセージが第1の物理下りリンク制御チャネルの構成情報を搬送するステップは、
ランダムアクセス応答メッセージに新しいフィールドを追加するステップであって、新しいフィールドが第1の物理下りリンク制御チャネルの構成情報を含む、ステップ、または、
ランダムアクセス応答メッセージ内の既存のフィールドを再説明し、再説明された既存のフィールドに第1の物理下りリンク制御チャネルの構成情報を書き込むステップ
を含む。
【００４６】
第3の態様または第3の態様の第1の可能な実装方法を参照すると、第7の可能な実装方法において、第1の物理下りリンク制御チャネルは、ランダムアクセス競合解決メッセージをスケジューリングするために使用される物理下りリンク制御チャネルである。
【００４７】
第3の態様の可能な実装方法を参照すると、第8の可能な実装方法において、構成情報送信モジュールは、予め定義されたリソース上で、第1の物理下りリンク制御チャネルの構成情報を搬送するデータチャネルを送信するように特に構成され、データチャネルは、予定外の方法で送信される。
【００４８】
第3の可能な実装方法を参照すると、第9の可能な実装方法において、構成情報送信モジュールは、
予め定義されたリソース上で第4の物理下りリンク制御チャネルを送信し、第4の物理下りリンク制御チャネルに第1の物理下りリンク制御チャネルの構成情報を追加するように特に構成されているか、または、
予め定義されたリソース上で第4の物理下りリンク制御チャネルを送信するように特に構成され、
第4の物理下りリンク制御チャネルによって、第1の物理下りリンク制御チャネルの構成情報を搬送するメッセージを送信するように特に構成されている。
【００４９】
第3の態様の可能な実装方法を参照すると、第10の可能な実装方法において、予め定義されたリソースは、物理下りリンク制御チャネルリソースの一部または全部であり、物理下りリンク制御チャネルリソースは、物理下りリンク制御チャネルがマッピングされる1セットのリソースであり、物理下りリンク制御チャネルリソースの数は1以上である。
【００５０】
第3の態様または第3の態様の第1から第10の可能な実装方法のいずれかを参照すると、第11の可能な実装方法において、予め定義されたリソースは、予め設定された規則を用いて決定され、および／または
上位層を用いて通知され、または、
1つ以上のリソースは上位層を用いて構成され、予め定義されたリソースは、予め定義された規則を用いて1つ以上のリソースから決定される。
【００５１】
第3の態様の可能な実装方法を参照すると、第12の可能な実装方法において、予め設定された規則は、
予め定義されたリソースが予め定義されたリソース内の物理リソースブロックの数に従って決定され、予め定義されたリソースが1つ以上の物理リソースブロックを含むことを含む。
【００５２】
第3の態様または第3の態様の第1から第12の可能な実装方法のいずれかを参照すると、第13の可能な実装方法において、予め定義されたリソースは、予め定義された時間周波数リソースを含む。
【００５３】
第3の態様または第3の態様の第1から第13の可能な実装方法のいずれかを参照すると、第14の可能な実装方法において、予め定義されたリソースは、予め定義された狭帯域リソースの一部であり、第1の物理下りリンク制御チャネルは、予め定義された狭帯域リソース上の予め定義されたリソースの一部であるか、または予め定義されていない別の狭帯域リソース上の予め定義されたリソースの一部である。
【００５４】
第3の態様または第3の態様の第1から第14の可能な実装方法のいずれかを参照すると、第15の可能な実装方法において、第1の物理下りリンク制御チャネルの構成情報は、第1の物理下りリンク制御チャネルの共通探索空間の構成情報および／または第1の物理下りリンク制御チャネルのユーザ機器固有探索空間の構成情報を含む。
【００５５】
本発明の実施形態の第4の態様は、
予め定義されたリソース上で第1の物理下りリンク制御チャネルの構成情報を受信するように構成された構成情報受信モジュールであって、第1の物理下りリンク制御チャネルの構成情報が第1の物理下りリンク制御チャネルの送受信方法を示すために使用される、構成情報受信モジュールと、
第1の物理下りリンク制御チャネルの構成情報に基づいて、第1の物理下りリンク制御チャネルを受信するように構成された制御チャネル受信モジュールと
を含む、ユーザ機器を提供する。
【００５６】
第4の態様の第1の可能な実装方法では、構成情報送信モジュールは、予め定義されたリソース上でランダムアクセス応答メッセージを受信し、ランダムアクセス応答メッセージ内で搬送される第1の物理下りリンク制御チャネルの構成情報を取得するように特に構成される。
【００５７】
第4の態様の可能な実装方法を参照すると、第2の可能な実装方法において、構成情報受信モジュールは、
予め定義されたリソース上でランダムアクセス応答メッセージのスケジューリング情報を受信するように特に構成され、ランダムアクセス応答メッセージのスケジューリング情報は、ランダムアクセス応答メッセージの送受信方法を示すために使用され、
ランダムアクセス応答メッセージのスケジューリング情報に基づいて、ランダムアクセス応答メッセージを受信し、ランダムアクセス応答メッセージ内で搬送される第1の物理下りリンク制御チャネルの構成情報を取得するように特に構成される。
【００５８】
第4の態様または第4の態様の第2の可能な実装方法を参照すると、第3の可能な実装方法において、構成情報受信モジュールによって、予め定義されたリソース上でランダムアクセス応答メッセージのスケジューリング情報を受信するステップの動作は、特に、
予め定義されたリソース上で共通探索空間を決定するステップと、
共通探索空間で、ランダムアクセス応答メッセージをスケジューリングするために使用される第2の物理下りリンク制御チャネルを受信し、ランダムアクセス応答メッセージのスケジューリング情報であり、かつ第2の物理下りリンク制御チャネル内で搬送されるスケジューリング情報を取得するステップと
である。
【００５９】
第4の態様または第4の態様の第1、第2または第3の可能な実装方法を参照すると、第4の可能な実装方法では、構成情報受信モジュールによって、ランダムアクセス応答メッセージ内で搬送される第1の物理下りリンク制御チャネルの構成情報を取得するステップの動作は、特に、
ランダムアクセス応答メッセージを受信し、ランダムアクセス応答メッセージ内で搬送される指示情報を取得するステップであって、指示情報がランダムアクセス競合解決メッセージのスケジューリング情報を含み、ランダムアクセス競合解決メッセージのスケジューリング情報は、ランダムアクセス競合解決メッセージの送受信方法を示すために使用される、ステップと、
ランダムアクセス競合解決メッセージのスケジューリング情報に基づいて、ランダムアクセス競合解決メッセージを受信し、ランダムアクセス競合解決メッセージ内で搬送される第1の物理下りリンク制御チャネルの構成情報を取得する、ステップ、または、
ランダムアクセス応答メッセージを受信し、ランダムアクセス応答メッセージ内で搬送される指示情報を取得するステップであって、指示情報は第3の物理下りリンク制御チャネルの構成情報を含み、第3の物理下りリンク制御チャネルの構成情報は第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネルの共通探索空間の構成情報および／または第3の物理下りリンク制御チャネルの物理下りリンク制御リソース内のユーザ機器固有探索空間の構成情報を含む、ステップと、
ランダムアクセス競合解決メッセージのスケジューリング情報に基づいて、ランダムアクセス競合解決メッセージを受信し、ランダムアクセス競合解決メッセージ内で搬送される第1の物理下りリンク制御チャネルの構成情報を取得する、ステップと
である。
【００６０】
第4の態様または第4の態様の第4の可能な実装方法を参照すると、第5の可能な実装方法において、指示情報は、以下の、
ランダムアクセス応答メッセージに新しいフィールドを追加するステップであって、新しいフィールドが指示情報を含む、ステップ、または、
ランダムアクセス応答メッセージ内の既存のフィールドを再説明し、再説明された既存のフィールドに指示情報を書き込むステップ
において、基地局装置によってランダムアクセス応答メッセージに追加される。
【００６１】
第4の態様の可能な実装方法を参照すると、第6の可能な実装方法において、構成情報受信モジュールは、
予め定義されたリソース上で第1の物理下りリンク制御チャネルの構成情報を搬送するデータチャネルを受信し、第1の物理下りリンク制御チャネルの構成情報を取得するように特に構成され、データチャネルは、予定外の方法で送信される。
【００６２】
第4の態様または第4の態様の第1または第2の可能な実装方法を参照すると、第6の可能な実装方法において、ランダムアクセス応答メッセージが第1の物理下りリンク制御チャネルの構成情報を搬送するステップは、
ランダムアクセス応答メッセージに新しいフィールドを追加するステップであって、新しいフィールドが第1の物理下りリンク制御チャネルの構成情報を含む、ステップ、または、
ランダムアクセス応答メッセージ内の既存のフィールドを再説明し、再説明された既存のフィールドに第1の物理下りリンク制御チャネルの構成情報を書き込むステップ
を含む。
【００６３】
第4の態様または第4の態様の第1の可能な実装方法を参照すると、第7の可能な実装方法において、第1の物理下りリンク制御チャネルは、ランダムアクセス競合解決メッセージをスケジューリングするために使用される物理下りリンク制御チャネルである。
【００６４】
第4の態様の可能な実装方法を参照すると、第8の可能な実装方法において、構成情報受信モジュールは、
予め定義されたリソース上で第4の物理下りリンク制御チャネルを受信し、第4の物理下りリンク制御チャネル内で搬送される第1の物理下りリンク制御チャネルの構成情報を取得するように特に構成されているか、または、
予め定義されたリソース上で第4の物理下りリンク制御チャネルを受信するように特に構成され、
第4の物理下りリンク制御チャネルによって、第1の物理下りリンク制御チャネルの構成情報を搬送するメッセージを受信し、第1の物理下りリンク制御チャネルを取得するように特に構成されている。
【００６５】
第4の態様の可能な実装方法を参照すると、第9の可能な実装方法において、予め定義されたリソースは、物理下りリンク制御チャネルリソースの一部または全部であり、物理下りリンク制御チャネルリソースは、物理下りリンク制御チャネルがマッピングされる1セットのリソースであり、物理下りリンク制御チャネルリソースの数は1以上である。
【００６６】
第4の態様または第4の態様の第1から第10の可能な実装方法のいずれかを参照すると、第11の可能な実装方法において、予め定義されたリソースは、予め設定された規則を用いて決定され、および／または
上位層を用いて通知され、または、
1つ以上のリソースは上位層を用いて構成され、予め定義されたリソースは、予め定義された規則を用いて1つ以上のリソースから決定される。
【００６７】
第4の態様の可能な実装方法を参照すると、第12の可能な実装方法において、予め設定された規則は、
予め定義されたリソースが予め定義されたリソース内の物理リソースブロックの数に従って決定され、予め定義されたリソースが1つ以上の物理リソースブロックを含むことを含む。
【００６８】
第4の態様または第4の態様の第1から第12の可能な実装方法のいずれかを参照すると、第13の可能な実装方法において、予め定義されたリソースは、予め定義された時間周波数リソースを含む。
【００６９】
第4の態様または第4の態様の第1から第13の可能な実装方法のいずれかを参照すると、第14の可能な実装方法において、予め定義されたリソースは、予め定義された狭帯域リソースの一部であり、第1の物理下りリンク制御チャネルは、予め定義された狭帯域リソース上の予め定義されたリソースの一部であるか、または予め定義されていない別の狭帯域リソース上の予め定義されたリソースの一部である。
【００７０】
第4の態様または第4の態様の第1から第14の可能な実装方法のいずれかを参照すると、第15の可能な実装方法において、第1の物理下りリンク制御チャネルの構成情報は、第1の物理下りリンク制御チャネルの共通探索空間の構成情報および／または第1の物理下りリンク制御チャネルのユーザ機器固有探索空間の構成情報を含む。
【００７１】
本発明の第5の態様は、コンピュータ記憶媒体を提供し、コンピュータ記憶媒体はプログラムを記憶し、プログラムが実行されると、第1の態様で提供された物理下りリンク制御チャネル送信方法の一部または全てのステップが行われる。
【００７２】
本発明の第6の態様は、コンピュータ記憶媒体を提供し、コンピュータ記憶媒体はプログラムを記憶し、プログラムが実行されると、第2の態様で提供された物理下りリンク制御チャネル受信方法の一部または全てのステップが行われる。
【００７３】
本発明の第7の態様は、基地局装置を提供し、基地局装置は、ネットワークインターフェースと、メモリと、プロセッサとを含み、メモリはプログラム群を記憶し、プロセッサは、メモリ内に記憶されたプログラムを呼び出して、
予め定義されたリソース上で第1の物理下りリンク制御チャネルの構成情報を送信するステップであって、第1の物理下りリンク制御チャネルの構成情報が第1の物理下りリンク制御チャネルの送受信方法を示すために使用される、ステップと、
第1の物理下りリンク制御チャネルの構成情報に基づいて、第1の物理下りリンク制御チャネルを送信するステップと
の動作を行うように構成される。
【００７４】
本発明の第7の態様は、ユーザ機器を提供し、ユーザ機器は、ネットワークインターフェースと、メモリと、プロセッサとを含み、メモリはプログラム群を記憶し、プロセッサは、メモリ内に記憶されたプログラムを呼び出して、
予め定義されたリソース上で第1の物理下りリンク制御チャネルの構成情報を受信するステップであって、第1の物理下りリンク制御チャネルの構成情報が第1の物理下りリンク制御チャネルの送受信方法を示すために使用される、ステップと、
第1の物理下りリンク制御チャネルの構成情報に基づいて、第1の物理下りリンク制御チャネルを受信するステップと
の動作を行うように構成される。
【００７５】
以上のように、本発明の実施形態では、まず、予め定義されたリソース上で物理下りリンク制御チャネルの構成情報を送信し、物理下りリンク制御チャネルの構成情報に基づいて物理下りリンク制御チャネルを送信することによって、物理下りリンク制御チャネルの送信を実現し、システム帯域幅が狭帯域ユーザ機器の動作帯域よりも大きいシステム内で狭帯域ユーザ機器が動作する場合に、物理下りリンク制御チャネルの伝送が実現できないという問題を解決する。物理下りリンク制御チャネルは、限定されるものではないが、PDCCHチャネルおよび／またはEPDCCHチャネルを含む。
【００７６】
本発明の実施形態をより明確に説明するために、実施形態の説明に必要な添付図面を以下に簡単に説明する。明らかに、以下の説明における添付図面は、本発明のいくつかの実施形態を示しているだけであって、当業者は創造的な努力なしにこれらの添付図面から他の図面をさらに得ることができる。
【図面の簡単な説明】
【００７７】
【図１】本発明の一実施形態による物理下りリンク制御チャネル送信方法の概略フローチャートである。
【図２】本発明の一実施形態による別の物理下りリンク制御チャネル送信方法の概略フローチャートである。
【図３】本発明の一実施形態によるさらに別の物理下りリンク制御チャネル送信方法の概略フローチャートである。
【図４】本発明の一実施形態によるさらに別の物理下りリンク制御チャネル送信方法の概略フローチャートである。
【図５】本発明の一実施形態による物理下りリンク制御チャネル受信方法の概略フローチャートである。
【図６】本発明の一実施形態による別の物理下りリンク制御チャネル受信方法の概略フローチャートである。
【図７】本発明の一実施形態によるさらに別の物理下りリンク制御チャネル受信方法の概略フローチャートである。
【図８】本発明の一実施形態によるさらに別の物理下りリンク制御チャネル受信方法の概略フローチャートである。
【図９】本発明の一実施形態による基地局装置の概略構成図である。
【図１０】本発明の一実施形態によるユーザ機器の概略構成図である。
【図１１】本発明の一実施形態による別の基地局装置の概略構成図である。
【図１２】本発明の一実施形態による別のユーザ機器の概略構成図である。
【図１３】本発明の一実施形態による周波数帯域リソースの概略図である。
【図１４】本発明の一実施形態によるランダムアクセス応答メッセージのフィールドの概略図である。
【発明を実施するための形態】
【００７８】
以下は本発明の実施形態における技術的解決策を、本発明の実施形態における添付図面を参照しながら、明確かつ完全に説明する。明らかに、説明された実施形態は、本発明の実施形態の全てではなく一部である。創作努力なしに本発明の実施形態に従って当業者によって得られる他の全ての実施形態は、本発明の保護範囲内に入るものとする。
【００７９】
本発明の実施形態の技術的解決策は、グローバル・システム・オブ・モバイル・コミュニケーション（Global System of Mobile communication、略してGSM(登録商標)）システム、符号分割多重アクセス（Code Division Multiple Access、略してCDMA）システム、広帯域符号分割多重アクセス（Wideband Code Division Multiple Access、略してWCDMA(登録商標)）システム、汎用パケット無線サービス（General Packet Radio Service、略してGPRS）、ロングタームエボリューション（Long Term Evolution、略してLTE）システム、LTE周波数分割複信（Frequency Division Duplex、略してFDD）システム、LTE時分割複信（Time Division Duplex、略してTDD）、ユニバーサル移動体通信システム（Universal Mobile Telecommunication System、略してUMTS）、ワールドワイド・インターオペラビリティ・フォー・マイクロウェーブ・アクセス（Worldwide Interoperability for Microwave Access、略してWiMAX）通信システムなどの様々な通信システムに適用することができる。
【００８０】
本発明の実施形態では、ユーザ機器（User Equipment、略してUE）は、端末（Terminal）、移動局（Mobile Station、略してMS）、移動端末（Mobile Terminal）などを含む。ユーザ機器は、無線アクセスネットワーク（Radio Access Network、略してRAN）を介して、1つ以上のコアネットワークと通信することができる。例えば、ユーザ機器は、携帯電話（「セルラー」電話とも呼ばれる）または移動端末を含んだコンピュータであってもよい。例えば、ユーザ機器は、無線アクセスネットワークと音声および／またはデータを交換する、携帯型、ポケットサイズ、ハンドヘルド型、コンピュータ内蔵型、または車載の移動装置であってもよい。
【００８１】
本発明の実施形態における基地局装置は、GSMまたはCDMAにおける基地局（Base Transceiver Station、略してBTS）であってもよく、WCDMAにおける基地局（NodeB、略してNB）であってもよく、またはLTEにおける発展型ノードB（Evolutional Node B、略してeNB）であってもよい。
【００８２】
本発明の実施形態で述べた「物理下りリンク制御チャネルの伝送」には、「物理下りリンク制御チャネルの送受信」が含まれ、物理下りリンク制御チャネル上、例えばPDCCHまたはEPDCCH上で、データ、例えば物理下りリンク制御チャネルのスケジューリング情報またはDCI（Downlink Control Information、下りリンク制御情報）を伝送する、のように言及されることを理解されたい。
【００８３】
さらに、本発明の実施形態における物理リソースブロックは、PRB（Physical Resource Block）であってもよいことを理解されたい。PRBは、データ伝送に使用されるリソースである。リソースのサイズは、周波数（単位はキャリア）および時間（単位はタイムスロット）を用いて測定される。一般に、1つのPRBは、1つの周波数領域に12個の連続するキャリア、および1つの時間領域に1つのタイムスロットを含む。
【００８４】
なお、本発明の実施形態の本質は、物理下りリンク制御チャネルが、予め知られている物理下りリンク制御チャネルと、予め知られていない物理下りリンク制御チャネルとに分割されることとして理解することができる。予め知られているとは、基地局装置およびユーザ機器が、物理下りリンク制御チャネルの構成情報を既に予め知っていることを意味する。本発明では、予め知られている物理下りリンク制御チャネルは、予め定義されたリソース上で送信され、予め知られていない物理下りリンク制御チャネルを構成する。なお、本発明の実施形態では、第1の物理下りリンク制御チャネルは、予め知られていない物理下りリンク制御チャネルであり、第2、第3、および第4の物理下りリンク制御チャネルは、予め知られている物理下りリンク制御チャネルである。
【００８５】
図1は、本発明の一実施形態による物理下りリンク制御チャネル送信方法の概略フローチャートである。この方法は、基地局装置に実装される。図示のように、本実施形態における物理下りリンク制御チャネル送信方法のプロセスは、以下のステップを含んでいてもよい。
【００８６】
S101：予め定義されたリソース上で第1の物理下りリンク制御チャネルの構成情報を送信し、第1の物理下りリンク制御チャネルの構成情報は、第1の物理下りリンク制御チャネルの送受信方法を示すために使用される。
【００８７】
予め定義されたリソースは、1つ以上の時間周波数リソースであってもよいが、時間周波数リソースに限定されない。例えば、予め定義されたリソースは、符号領域リソースおよび／または空間リソースであってもよい。なお、本発明のこの実施形態では、時間周波数リソースを例に挙げて説明する。
【００８８】
予め定義されたリソースは、予め定義された狭帯域リソースの一部であり、物理下りリンク制御チャネルは、予め定義された狭帯域リソース上の予め定義されたリソースの一部であるか、または予め定義されていない別の狭帯域リソース上の予め定義されたリソースの一部である。任意の実施形態では、図13に示す周波数帯域リソースの概略図を参照すると、予め定義された狭帯域リソースと、予め定義されていない別の狭帯域リソースと、物理下りリンク制御チャネルとの関係が図に示されている。予め定義されているとは、基地局装置およびユーザ機器が、例えば、伝送に使用されるリソースの位置、伝送に使用されるリソースの数、および伝送に使用されるスクランブリングシーケンスなどの構成情報を既に予め定義していることを意味する。予め定義されたリソースおよび予め定義された狭帯域リソースはそれぞれ、構成情報が既に定義されているリソース、および構成情報が既に定義されている狭帯域リソースであることを理解されたい。
【００８９】
物理下りリンク制御チャネルは、スケジューリング情報を搬送する制御チャネルである。例えば、本発明のこの実施形態の物理下りリンク制御チャネルは、PDCCH、EPDCCH、RPDCCHなどのうちの1つ以上を含み、特にEPDCCHを指す。本発明の方法は、物理下りリンク制御チャネルがEPDCCHである例を用いて説明する。また、物理下りリンク制御チャネルの構成情報は、物理下りリンク制御チャネルの伝送方法、または、物理下りリンク制御チャネル上で物理下りリンク制御チャネルの伝送データを送信する方法、例えば、伝送に使用されるリソースの位置、伝送に使用されるリソースの数、伝送に使用されるスクランブリングシーケンス、および上りリンク制御チャネル（PUCCH、Physical Uplink Control Channel）の構成を示す。
【００９０】
さらに、物理下りリンク制御チャネルの構成情報には、物理下りリンク制御チャネル内の共通探索空間（すなわち、CSS）の構成情報、および／または、物理下りリンク制御チャネル内のユーザ機器固有探索空間（すなわち、USS）の構成情報が含まれる。物理下りリンク制御チャネルは、特に、第1の物理下りリンク制御チャネルと第3の物理下りリンク制御チャネルとを指す。例えば、第1の物理下りリンク制御チャネルの構成情報には、第1の物理下りリンク制御チャネル内のCSSの構成情報および／またはUSSの構成情報が含まれ、第3の物理下りリンク制御チャネルの構成情報には、第3の物理下りリンク制御チャネル内のCSSの構成情報および／またはUSSの構成情報が含まれる。
【００９１】
特に、基地局装置は、予め定義されたリソース上で第1の物理下りリンク制御チャネルの構成情報を送信する。第1の物理下りリンク制御チャネルの構成情報は、第1の物理下りリンク制御チャネルの送受信方法を示すために使用される。ユーザ機器が第1の物理下りリンク制御チャネルを受信する方法は、例えば、第1の物理下りリンク制御チャネルを受信するために使用されるリソースの位置、第1の物理下りリンク制御チャネルを受信するために使用されるリソースの数、使用されるスクランブリングシーケンス、および使用される上りリンク制御チャネルリソースであってもよい。
【００９２】
さらに、予め定義されたリソースは、物理下りリンク制御チャネルリソースの一部または全部であってもよい。物理下りリンク制御チャネルリソースは、物理下りリンク制御チャネルがマッピングされる1セットのリソースであり、物理下りリンク制御チャネルリソースの数は1つ以上である。なお、「物理下りリンク制御チャネルリソースは、物理下りリンク制御チャネルがマッピングされる1セットのリソースである」とは、「物理下りリンク制御チャネルリソースは、物理下りリンク制御チャネルをマッピングすることができる1セットのリソースである」という意味である。例えば、予め定義されたリソースは、予め知られている物理下りリンク制御チャネルのCSSリソースの一部である。本発明のこの実施形態では、CSSの物理下りリンク制御チャネルリソースの他の構成情報（例えば、CSSの物理下りリンク制御チャネルにおける全CSSの構成情報、またはCSSの物理下りリンク制御チャネルにおけるUSSの構成情報）は、予め定義されたリソースを用いて送信されてもよい。さらに、通信システム内に1つ以上の物理下りリンク制御チャネルリソースが定義されている場合、物理下りリンク制御チャネルの構成情報を用いて、1つ以上の物理下りリンク制御チャネルリソース上に物理下りリンク制御チャネルを構成してもよい。例えば、予め定義されたリソースは、予め知られている物理下りリンク制御チャネルリソースのCSSリソースの一部または全部である。本発明のこの実施形態では、予め知られている物理下りリンク制御チャネルリソース以外の1つ以上の物理下りリンク制御チャネルリソースの物理下りリンク制御チャネル構成を、予め定義されたリソース上で送信することができる。
【００９３】
上記の説明に基づいて、具体的な実装プロセスでは、基地局装置によって、予め定義されたリソース上で第1の物理下りリンク制御チャネルの構成情報を送信する具体的な実装方法は、以下の3つの解決策を用いて実現することができる。
【００９４】
解決策1：基地局装置は、予め定義されたリソース上でランダムアクセス応答メッセージを送信し、ランダムアクセス応答メッセージは、第1の物理下りリンク制御チャネルの構成情報を搬送する。ここでの「搬送する」は、「含む」を意味してもよく、すなわち、ランダムアクセス応答メッセージは、第1の物理下りリンク制御チャネルの構成情報を含む。
【００９５】
あるいは、基地局装置は、予め定義されたリソース上でランダムアクセス応答メッセージのスケジューリング情報を送信し、ランダムアクセス応答メッセージのスケジューリング情報は、ランダムアクセス応答メッセージの送受信方法を示すために使用され、また、ランダムアクセス応答メッセージのスケジューリング情報に基づいてランダムアクセス応答メッセージを送信し、ランダムアクセス応答メッセージに第1の物理下りリンク制御チャネルの構成情報を追加する。なお、ユーザ機器によってランダムアクセス応答メッセージを受信する方法は、例えば、ランダムアクセス応答メッセージを受信するために使用されるリソースブロックの位置、ランダムアクセス応答メッセージを受信するために使用されるリソースブロックの数、および／または使用される変調符号化方式であってもよい。さらに、「基地局装置によって、予め定義されたリソース上でランダムアクセス応答メッセージのスケジューリング情報を送信するステップ」の具体的な動作としては、まず、基地局装置によって、予め定義されたリソース上で共通探索空間を決定し、その後、共通探索空間内で、ランダムアクセス応答メッセージをスケジューリングするために使用される第2の物理下りリンク制御チャネルを送信するステップであって、第2の物理下りリンク制御チャネルがランダムアクセス応答メッセージのスケジューリング情報を搬送する、ステップであってもよい。同様に、本明細書における「搬送する」は、「含む」を意味する場合もある。
【００９６】
上記の説明では、ランダムアクセス応答メッセージはRAR（Random Access Response）メッセージであり、本発明のこの実施形態では、RARの前に共通メッセージを送信する方法は限定されない。例えば、RARの前にパブリックブロードキャストチャネル（PBCH、Public Broadcast Channel）およびシステムメッセージ（SIB1（System Information Block）またはSI）を送信する方法は、本発明では限定されない。確かに、RARの前に共通メッセージを用いて、予め定義されたリソースを構成することができる。
【００９７】
任意選択的に、基地局装置は、「ランダムアクセス応答メッセージを送信し、ランダムアクセス応答メッセージに第1の物理下りリンク制御チャネルの構成情報を追加するステップ」の動作を、基地局装置によってランダムアクセス応答メッセージを送信し、ランダムアクセス応答メッセージに指示情報を追加するステップであって、指示情報が第1の物理下りリンク制御チャネルの構成情報を含むステップ、の方法を用いて実装されてもよい。任意の実装方法において、第1の物理下りリンク制御チャネルは、ランダムアクセス競合解決メッセージMsg4をスケジューリングするために使用され、すなわち、ランダムアクセス応答メッセージ内で搬送される指示情報は、ランダムアクセス競合解決メッセージMsg4の物理下りリンク制御チャネルの構成情報を含む。
【００９８】
さらに、任意選択的に、基地局装置は、「ランダムアクセス応答メッセージを送信し、ランダムアクセス応答メッセージに第1の物理下りリンク制御チャネルの構成情報を追加するステップ」の動作を、以下の2つの方法を用いて実装してもよい。1．基地局装置は、ランダムアクセス応答メッセージを送信し、ランダムアクセス応答メッセージに指示情報を追加し、指示情報は、ランダムアクセス競合解決メッセージのスケジューリング情報を含み、ランダムアクセス競合解決メッセージのスケジューリング情報は、ランダムアクセス競合解決メッセージの送受信方法を示すために使用され、また、ランダムアクセス競合解決メッセージを送信し、ランダムアクセス競合解決メッセージは、第1の物理下りリンク制御チャネルの構成情報を搬送する。同様に、本明細書における「搬送する」は、「含む」を意味する場合もある。2．基地局装置は、ランダムアクセス応答メッセージを送信し、ランダムアクセス応答メッセージに指示情報を追加し、指示情報は、第3の物理下りリンク制御チャネルの構成情報を含み、第3の物理下りリンク制御チャネルの構成情報は、第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネル内の共通探索空間の構成情報、および／または、第3の物理下りリンク制御チャネルの物理下りリンク制御リソース内のユーザ機器固有探索空間の構成情報を含み、また、ランダムアクセス競合解決メッセージを送信し、ランダムアクセス競合解決メッセージは、第1の物理下りリンク制御チャネルの構成情報を搬送する。
【００９９】
上記の説明において、ランダムアクセス競合解決メッセージは、MSG4であってもよい。MSG4は、ユーザ機器が同じランダムアクセスリソースを選択する、例えば、ユーザ機器が同じ時間周波数リソース上で同じランダムアクセスプリアンブルシーケンスを送信することを選択することに起因する、ランダムアクセスプロセスにおける競合の問題を解決するために使用されてもよい。なお、本発明の実施形態との違いは、既存のプロトコルでは、RARメッセージは、MSG3（すなわち、ランダムアクセス手順メッセージ3）のスケジューリング情報のみを搬送し、MSG4のスケジューリング情報、またはMSG4のスケジューリング情報を伝送するために使用される第3の物理下りリンク制御チャネルを搬送しないことにある。
【０１００】
さらに任意選択的に、基地局装置は、「ランダムアクセス応答メッセージに指示情報を追加するステップ」の動作を以下の2つの方法を用いて実装してもよい。1．基地局装置は、ランダムアクセス応答メッセージに新しいフィールドを追加し、新しいフィールドは指示情報を含む。2．基地局装置は、ランダムアクセス応答メッセージ内の既存のフィールドを再説明し、再説明された既存のフィールドに指示情報を追加する。既存のフィールドを再説明するステップは、既存のフィールドのいくつかのbitの使用を再定義するステップである。任意の例では、ランダムアクセス応答メッセージのフィールドの図14に示す概略図を参照すると、図示のように、MSG3をスケジューリングするためにUL Grantフィールドが使用され、フィールドは20bitsの容量を占有する。しかし、狭帯域リソースのシナリオでは、MSG3をスケジューリングするために20bits未満のビットが必要である。本発明のこの実施形態では、フィールドを再説明することができ、MSG3をスケジューリングするために数ビットのみが使用され、残りのbitsは指示情報を伝送するために使用される。
【０１０１】
同様に、任意選択的に、基地局装置は、「ランダムアクセス応答メッセージに第1の物理下りリンク制御チャネルの構成情報を追加するステップ」の動作を以下の2つの方法を用いて実装してもよい。1．基地局装置は、ランダムアクセス応答メッセージに新しいフィールドを追加し、新しいフィールドは、第1の物理下りリンク制御チャネルの構成情報を含む。2．基地局装置は、ランダムアクセス応答メッセージの既存のフィールドを再説明し、再説明した既存のフィールドに、第1の物理下りリンク制御チャネルの構成情報を書き込む。
【０１０２】
解決策2．基地局装置は、予め定義されたリソース上で、第1の物理下りリンク制御チャネルの構成情報を搬送するデータチャネルを送信する。データチャネルは予定外の方法で送信される。既存のデータチャネルは予定された方法で送信されることに留意されたい。本発明のこの実施形態では、予定された方法は使用されず、例えば、予め知られている変調符号化方式またはフィードバックのない方式が使用される。
【０１０３】
なお、データチャネルを送信するとは、データチャネル上でデータチャネルのデータを送信するという意味である。
【０１０４】
任意選択的に、この解決策におけるデータチャネルは、ランダムアクセス競合解決メッセージであってもよい。すなわち、基地局装置は、予め定義されたリソース上でランダムアクセス競合解決メッセージを送信し、ランダムアクセス競合解決メッセージに第1の物理下りリンク制御チャネルの構成情報を追加する。本実施形態では、ランダムアクセス競合解決メッセージの前にメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０１０５】
任意の例では、この解決策の実装シナリオは以下のようであってもよい。
【０１０６】
基地局装置は、予め定義された狭帯域リソース上で、EPDCCHの構成情報を搬送するメッセージを送信する。EPDCCHの構成情報を搬送するメッセージの送信方法は、変調符号化方式であってもよい。EPDCCHの構成情報は、1つ以上のEPDCCHリソース上、例えば、予め定義された狭帯域リソース上のEPDCCH内のCSSの構成情報であってもよいし、他の狭帯域リソース上のEPDCCH内のCSSの構成情報であってもよい。CSSの構成情報は、例えば、CSSのPRBの位置、および／またはPRBのサイズ、および／または開始シンボルの位置、および／または伝送方法（例えば、集中型または分散型）、および／またはサブフレームモードであってもよい。
【０１０７】
ユーザ機器は、予め定義された狭帯域リソース上で、EPDCCH内のCSSの構成情報を搬送するメッセージを受信し、受信したメッセージに基づいてEPDCCH内のCSSの構成情報を取得し、選択されたEPDCCHの狭帯域リソース上でCSS内のEPDCCHをリッスンする。
【０１０８】
ネットワークは、1つ以上のEPDCCHリソース上のEPDCCH内のCSSの構成を決定し、予め定義された狭帯域リソース上で、EPDCCH内のCSSの決定された構成情報を搬送するメッセージを送信し、ユーザ機器が、同じ選択されたEPDCCH狭帯域リソース上のEPDCCH内のCSS内のEPDCCHをリッスンすることができるように、選択された1つ以上のEPDCCH狭帯域リソース上のEPDCCH内のCSS内のEPDCCHを送信する。
【０１０９】
ユーザ機器がEPDCCHをリッスンする狭帯域リソースと、ネットワークがEPDCCHを送信する狭帯域リソースとが同じであることを保証するために、ユーザ機器およびネットワークは、選択されたEPDCCH狭帯域リソースを同じ規則に従って決定する必要があることに留意されたい。
【０１１０】
また、任意選択的に、EPDCCH内のCSSの構成情報は、EPDCCH内のUSSの構成情報であってもよく、この例は記載されていない。
【０１１１】
解決策3．基地局装置は、予め定義されたリソース上で第4の物理下りリンク制御チャネルを送信し、第4の物理下りリンク制御チャネルは、第1の物理下りリンク制御チャネルの構成情報を搬送する。同様に、本明細書における「搬送する」は、「含む」を意味する場合もある。
【０１１２】
あるいは、基地局装置は、予め定義されたリソース上で第4の物理下りリンク制御チャネルを送信し、第4の物理下りリンク制御チャネルによって、第1の物理下りリンク制御チャネルの構成情報を搬送するメッセージを送信する。第1の物理下りリンク制御チャネルの構成情報を搬送するメッセージは、共通メッセージであってもよく、またはユーザ機器固有メッセージであってもよい。
【０１１３】
任意選択的に、この解決策における第4の物理下りリンク制御チャネルは、ランダムアクセス競合解決メッセージをスケジューリングするために使用される物理下りリンク制御チャネルであってもよい。すなわち、基地局装置は、予め定義されたリソース上で、ランダムアクセス競合解決メッセージをスケジューリングするために使用される第4の物理下りリンク制御チャネルを送信し、第4の物理下りリンク制御チャネルによってランダムアクセス競合解決メッセージを受信し、ランダムアクセス競合解決メッセージに第1の物理下りリンク制御チャネルの構成情報を追加する。同様に、この解決策では、第4の物理下りリンク制御チャネルの前にチャネルおよびメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０１１４】
任意の例では、この解決策の実装シナリオは以下のようであってもよい。
【０１１５】
基地局装置は、予め定義された狭帯域リソース上で第4のEPDCCHチャネルを送信する。第4のEPDCCHの物理下りリンク制御チャネルリソース上のCSSの構成情報は、予め知られている、すなわち、基地局装置およびユーザ機器は、第4のEPDCCHの物理下りリンク制御チャネルリソース上のCSSの構成情報、例えば、CSSのPRBの位置、および／またはPRBのサイズ、および／または開始シンボル位置、および／または伝送方法（例えば、集中型または分散型）、および／またはサブフレームモードを既に予め知っている。
【０１１６】
ユーザ機器は、予め定義された狭帯域リソース上で第4のEPDCCHチャネルを受信し、受信した第4のEPDCCHチャネルから第1の物理下りリンク制御チャネルの構成情報を取得するか、または、受信した第4のEPDCCHチャネルを用いて、第1の物理下りリンク制御チャネルの構成情報を搬送するメッセージを受信する。
【０１１７】
ネットワークは、予め定義されたリソース上で第4のEPDCCHチャネルを送信し、第4の物理下りリンク制御チャネルに第1の物理下りリンク制御チャネルの構成情報を追加するか、または、第4の物理下りリンク制御チャネルによって、第1の物理下りリンク制御チャネルの構成情報を搬送するメッセージを送信する。
【０１１８】
特に、上記の解決策1、解決策2、および解決策3において、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。
【０１１９】
予め定義されたリソースは、以下の3つの方法で決定することができる。
【０１２０】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、解決策1において、n個のPRBを用いてRARメッセージを送信するか、または解決策2において、n個のPRBを用いてEPDCCH内のCSSの構成情報を送信するか、または解決策3において、EPDCCH内のCSSはn個のPRBリソースを含むと仮定すると、予め定義されたリソースの開始PRBまたは終了PRBのインデックスは、nの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０１２１】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０１２２】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０１２３】
S102：第1の物理下りリンク制御チャネルの構成情報に基づいて、第1の物理下りリンク制御チャネルを送信する。
【０１２４】
特に、基地局装置は、第1の物理下りリンク制御チャネルの構成情報に基づいて送信パラメータを決定し、送信パラメータに従って第1の物理下りリンク制御チャネルを送信し、ユーザ機器は、第1の物理下りリンク制御チャネルを受信する。
【０１２５】
なお、第1の物理下りリンク制御チャネルの構成情報が予め定義されている場合には、S101において、第1の物理下りリンク制御チャネルの構成情報を送信する必要はなく、予め定義されたリソース上で、第1の物理下りリンク制御チャネルを送信することができる。
【０１２６】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０１２７】
任意の具体的な実装方法：
【０１２８】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０１２９】
第1の物理下りリンク制御チャネルの第2の構成情報は、システムまたは標準で予め定義されている。あるいは、システム情報は、第1の物理下りリンク制御チャネルの第2の構成情報を搬送する。
【０１３０】
以上のように、本発明のこの実施形態では、まず、予め定義されたリソース上で物理下りリンク制御チャネルの構成情報を送信し、物理下りリンク制御チャネルの構成情報に基づいて物理下りリンク制御チャネルを送信することによって、物理下りリンク制御チャネルの送信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０１３１】
図2は、本発明の一実施形態による別の物理下りリンク制御チャネル送信方法の概略フローチャートである。この方法は、基地局装置に実装され、図1に対応する実施形態で述べた解決策1の具体的な実装プロセスを含む。図示のように、本実施形態における物理下りリンク制御チャネル送信方法のプロセスは、以下のステップを含んでいてもよい。
【０１３２】
S201：予め定義されたリソース上でランダムアクセス応答メッセージを送信し、ランダムアクセス応答メッセージは、第1の物理下りリンク制御チャネルの構成情報を搬送する。
【０１３３】
ランダムアクセス応答メッセージは、RAR（Random Access Response）メッセージであり、本発明のこの実施形態では、RARの前に共通メッセージを送信する方法は限定されない。例えば、RARの前にパブリックブロードキャストチャネル（PBCH、Public Broadcast Channel）およびシステムメッセージ（SIB1（System Information Block）またはSI）を送信する方法は、本発明では限定されない。確かに、RARの前に共通メッセージを用いて、予め定義されたリソースを構成することができる。
【０１３４】
特に、基地局装置は、予め定義されたリソース上でランダムアクセス応答メッセージを送信し、ランダムアクセス応答メッセージは、第1の物理下りリンク制御チャネルの構成情報を搬送する。ここでの「搬送する」は、「含む」を意味してもよく、すなわち、ランダムアクセス応答メッセージは、第1の物理下りリンク制御チャネルの構成情報を含む。
【０１３５】
任意の実装方法では、基地局装置は、まず、予め定義されたリソース上でランダムアクセス応答メッセージのスケジューリング情報を送信し、ランダムアクセス応答メッセージのスケジューリング情報は、ランダムアクセス応答メッセージの送受信方法を示すために使用され、その後、ランダムアクセス応答メッセージのスケジューリング情報に基づいてランダムアクセス応答メッセージを送信し、ランダムアクセス応答メッセージに第1の物理下りリンク制御チャネルの構成情報を追加してもよい。なお、ユーザ機器によってランダムアクセス応答メッセージを受信する方法は、例えば、ランダムアクセス応答メッセージを受信するために使用されるリソースブロックの位置、ランダムアクセス応答メッセージを受信するために使用されるリソースブロックの数、および／または使用される変調符号化方式であってもよい。さらに、「基地局装置によって、予め定義されたリソース上でランダムアクセス応答メッセージのスケジューリング情報を送信するステップ」の具体的な動作としては、まず、基地局装置によって、予め定義されたリソース上で共通探索空間を決定し、その後、共通探索空間内で、ランダムアクセス応答メッセージをスケジューリングするために使用される第2の物理下りリンク制御チャネルを送信するステップであって、第2の物理下りリンク制御チャネルがランダムアクセス応答メッセージのスケジューリング情報を搬送する、ステップであってもよい。同様に、本明細書における「搬送する」は、「含む」を意味する場合もある。
【０１３６】
任意選択的に、基地局装置は、「ランダムアクセス応答メッセージを送信し、ランダムアクセス応答メッセージに第1の物理下りリンク制御チャネルの構成情報を追加するステップ」の動作を、基地局装置によってランダムアクセス応答メッセージを送信し、ランダムアクセス応答メッセージに指示情報を追加するステップであって、指示情報が第1の物理下りリンク制御チャネルの構成情報を含むステップ、の方法を用いて実装されてもよい。任意の実装方法において、第1の物理下りリンク制御チャネルは、ランダムアクセス競合解決メッセージMsg4をスケジューリングするために使用され、すなわち、ランダムアクセス応答メッセージ内で搬送される指示情報は、ランダムアクセス競合解決メッセージMsg4の物理下りリンク制御チャネルの構成情報を含む。
【０１３７】
さらに、任意選択的に、基地局装置は、「ランダムアクセス応答メッセージを送信し、ランダムアクセス応答メッセージに第1の物理下りリンク制御チャネルの構成情報を追加するステップ」の動作を、以下の2つの方法を用いて実装してもよい。1．基地局装置は、ランダムアクセス応答メッセージを送信し、ランダムアクセス応答メッセージに指示情報を追加し、指示情報は、ランダムアクセス競合解決メッセージのスケジューリング情報を含み、ランダムアクセス競合解決メッセージのスケジューリング情報は、ランダムアクセス競合解決メッセージの送受信方法を示すために使用され、また、ランダムアクセス競合解決メッセージを送信し、ランダムアクセス競合解決メッセージは、第1の物理下りリンク制御チャネルの構成情報を搬送する。同様に、本明細書における「搬送する」は、「含む」を意味する場合もある。2．基地局装置は、ランダムアクセス応答メッセージを送信し、ランダムアクセス応答メッセージに指示情報を追加し、指示情報は、第3の物理下りリンク制御チャネルの構成情報を含み、第3の物理下りリンク制御チャネルの構成情報は、第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネル内の共通探索空間の構成情報、および／または、第3の物理下りリンク制御チャネルの物理下りリンク制御リソース内のユーザ機器固有探索空間の構成情報を含み、また、ランダムアクセス競合解決メッセージを送信し、ランダムアクセス競合解決メッセージは、第1の物理下りリンク制御チャネルの構成情報を搬送する。
【０１３８】
上記の説明において、ランダムアクセス競合解決メッセージは、MSG4であってもよい。MSG4は、ユーザ機器が同じランダムアクセスリソースを選択する、例えば、ユーザ機器が同じ時間周波数リソース上で同じランダムアクセスプリアンブルシーケンスを送信することを選択することに起因する、ランダムアクセスプロセスにおける競合の問題を解決するために使用されてもよい。なお、本発明の実施形態との違いは、既存のプロトコルでは、RARメッセージは、MSG3（すなわち、ランダムアクセス手順メッセージ3）のスケジューリング情報のみを搬送し、MSG4のスケジューリング情報、またはMSG4のスケジューリング情報を伝送するために使用される第3の物理下りリンク制御チャネルを搬送しないことにある。
【０１３９】
さらに任意選択的に、基地局装置は、「ランダムアクセス応答メッセージに指示情報を追加するステップ」の動作を以下の2つの方法を用いて実装してもよい。1．基地局装置は、ランダムアクセス応答メッセージに新しいフィールドを追加し、新しいフィールドは指示情報を含む。2．基地局装置は、ランダムアクセス応答メッセージ内の既存のフィールドを再説明し、再説明された既存のフィールドに指示情報を追加する。既存のフィールドを再説明するステップは、既存のフィールドのいくつかのbitの使用を再定義するステップである。任意の例では、ランダムアクセス応答メッセージのフィールドの図14に示す概略図を参照すると、図示のように、MSG3をスケジューリングするためにUL Grantフィールドが使用され、フィールドは20bitsの容量を占有する。しかし、狭帯域リソースのシナリオでは、MSG3をスケジューリングするために20bits未満のビットが必要である。本発明のこの実施形態では、フィールドを再説明することができ、MSG3をスケジューリングするために数ビットのみが使用され、残りのbitsは指示情報を伝送するために使用される。
【０１４０】
同様に、任意選択的に、基地局装置は、「ランダムアクセス応答メッセージに第1の物理下りリンク制御チャネルの構成情報を追加するステップ」の動作を以下の2つの方法を用いて実装してもよい。1．基地局装置は、ランダムアクセス応答メッセージに新しいフィールドを追加し、新しいフィールドは、第1の物理下りリンク制御チャネルの構成情報を含む。2．基地局装置は、ランダムアクセス応答メッセージの既存のフィールドを再説明し、再説明した既存のフィールドに、第1の物理下りリンク制御チャネルの構成情報を書き込む。
【０１４１】
特に、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。本発明のこの実施形態における予め定義されたリソースは、以下の3つの方法で決定することができる。
【０１４２】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、解決策1において、n個のPRBを用いてRARメッセージを送信するか、または解決策2において、n個のPRBを用いてEPDCCH内のCSSの構成情報を送信するか、または解決策3において、EPDCCH内のCSSはn個のPRBリソースを含むと仮定すると、予め定義されたリソースの開始PRBまたは終了PRBのインデックスは、nの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０１４３】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０１４４】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０１４５】
S202：第1の物理下りリンク制御チャネルの構成情報に基づいて、第1の物理下りリンク制御チャネルを送信する。
【０１４６】
特に、基地局装置は、第1の物理下りリンク制御チャネルの構成情報に基づいて送信パラメータを決定し、送信パラメータに従って第1の物理下りリンク制御チャネルを送信し、ユーザ機器は、第1の物理下りリンク制御チャネルを受信する。
【０１４７】
なお、第1の物理下りリンク制御チャネルの構成情報が予め定義されている場合には、S201において、第1の物理下りリンク制御チャネルの構成情報を送信する必要はなく、予め定義されたリソース上で、第1の物理下りリンク制御チャネルを送信することができる。
【０１４８】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０１４９】
任意の具体的な実装方法：
【０１５０】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０１５１】
第1の物理下りリンク制御チャネルの第2の構成情報は、システムまたは標準で予め定義されている。あるいは、システム情報は、第1の物理下りリンク制御チャネルの第2の構成情報を搬送する。
【０１５２】
以上のように、本発明のこの実施形態では、まず、予め定義されたリソース上でRARメッセージを送信し、RARメッセージに第1の物理下りリンク制御チャネルの構成情報を追加し、物理下りリンク制御チャネルの構成情報に基づいて第1の物理下りリンク制御チャネルを送信することによって、物理下りリンク制御チャネルの送信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０１５３】
図3は、本発明の一実施形態によるさらに別の物理下りリンク制御チャネル送信方法の概略フローチャートである。この方法は、基地局装置に実装され、図1に対応する実施形態で述べた解決策2の具体的な実装プロセスを含む。図示のように、本実施形態における物理下りリンク制御チャネル送信方法のプロセスは、以下のステップを含んでいてもよい。
【０１５４】
S301：予め定義されたリソース上で、第1の物理下りリンク制御チャネルの構成情報を搬送するデータチャネルを送信する。
【０１５５】
データチャネルは予定外の方法で送信される。既存のデータチャネルは予定された方法で送信されることに留意されたい。本発明のこの実施形態では、予定された方法は使用されず、例えば、予め知られている変調符号化方式またはフィードバックのない方式が使用される。特に、基地局装置は、予め定義されたリソース上で、第1の物理下りリンク制御チャネルの構成情報を搬送するデータチャネルを送信する。
【０１５６】
なお、データチャネルを送信するとは、データチャネル上でデータチャネルのデータを送信するという意味である。
【０１５７】
任意選択的に、この解決策におけるデータチャネルは、ランダムアクセス競合解決メッセージであってもよい。すなわち、基地局装置は、予め定義されたリソース上でランダムアクセス競合解決メッセージを送信し、ランダムアクセス競合解決メッセージに第1の物理下りリンク制御チャネルの構成情報を追加する。本実施形態では、ランダムアクセス競合解決メッセージの前にメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０１５８】
任意の例では、この解決策の実装シナリオは以下のようであってもよい。
【０１５９】
基地局装置は、予め定義された狭帯域リソース上で、EPDCCHの構成情報を搬送するメッセージを送信する。EPDCCHの構成情報を搬送するメッセージの送信方法は、変調符号化方式であってもよい。EPDCCHの構成情報は、1つ以上のEPDCCHリソース上、例えば、予め定義された狭帯域リソース上のEPDCCH内のCSSの構成情報であってもよいし、他の狭帯域リソース上のEPDCCH内のCSSの構成情報であってもよい。CSSの構成情報は、例えば、CSSのPRBの位置、および／またはPRBのサイズ、および／または開始シンボルの位置、および／または伝送方法（例えば、集中型または分散型）、および／またはサブフレームモードであってもよい。
【０１６０】
ユーザ機器は、予め定義された狭帯域リソース上で、EPDCCH内のCSSの構成情報を搬送するメッセージを受信し、受信したメッセージに基づいてEPDCCH内のCSSの構成情報を取得し、選択されたEPDCCHの狭帯域上のCSS内のEPDCCHをリッスンする。
【０１６１】
ネットワークは、1つ以上のEPDCCHリソース上のEPDCCH内のCSSの構成を決定し、予め定義された狭帯域リソース上で、EPDCCH内のCSSの決定された構成情報を搬送するメッセージを送信し、ユーザ機器が、同じ選択されたEPDCCH狭帯域リソース上のEPDCCH内のCSS内のEPDCCHをリッスンすることができるように、選択された1つ以上のEPDCCH狭帯域リソース上のEPDCCH内のCSS内のEPDCCHを送信する。
【０１６２】
ユーザ機器がEPDCCHをリッスンする狭帯域リソースと、ネットワークがEPDCCHを送信する狭帯域リソースとが同じであることを保証するために、ユーザ機器およびネットワークは、選択されたEPDCCH狭帯域リソースを同じ規則に従って決定する必要があることに留意されたい。
【０１６３】
また、任意選択的に、EPDCCH内のCSSの構成情報は、EPDCCH内のUSSの構成情報であってもよく、この例は記載されていない。
【０１６４】
特に、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。本発明のこの実施形態における予め定義されたリソースは、以下の3つの方法で決定することができる。
【０１６５】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、n個のPRBを用いてRARメッセージを送信すると仮定すると、予め定義されたリソースの開始PRBまたは終了PRBのインデックスはnの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０１６６】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０１６７】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０１６８】
S302：第1の物理下りリンク制御チャネルの構成情報に基づいて、第1の物理下りリンク制御チャネルを送信する。
【０１６９】
特に、基地局装置は、第1の物理下りリンク制御チャネルの構成情報に基づいて送信パラメータを決定し、送信パラメータに従って第1の物理下りリンク制御チャネルを送信し、ユーザ機器は、第1の物理下りリンク制御チャネルを受信する。
【０１７０】
なお、第1の物理下りリンク制御チャネルの構成情報が予め定義されている場合には、S301において、第1の物理下りリンク制御チャネルの構成情報を送信する必要はなく、予め定義されたリソース上で、第1の物理下りリンク制御チャネルを送信することができる。
【０１７１】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０１７２】
任意の具体的な実装方法：
【０１７３】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０１７４】
第1の物理下りリンク制御チャネルの第2の構成情報は、システムまたは標準で予め定義されている。あるいは、システム情報は、第1の物理下りリンク制御チャネルの第2の構成情報を搬送する。
【０１７５】
以上のように、本発明のこの実施形態では、まず、予め定義されたリソース上で、第1の物理下りリンク制御チャネルを搬送するデータチャネルを送信し、物理下りリンク制御チャネルの構成情報に基づいて第1の物理下りリンク制御チャネルを送信することによって、物理下りリンク制御チャネルの送信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０１７６】
図4は、本発明の一実施形態によるさらに別の物理下りリンク制御チャネル送信方法の概略フローチャートである。この方法は、基地局装置に実装され、図1に対応する実施形態で述べた解決策3の具体的な実装プロセスを含む。図示のように、本実施形態における物理下りリンク制御チャネル送信方法のプロセスは、以下のステップを含んでいてもよい。
【０１７７】
S401：予め定義されたリソース上で第4の物理下りリンク制御チャネルを送信し、第4の物理下りリンク制御チャネルは、第1の物理下りリンク制御チャネルの構成情報を搬送する。
【０１７８】
任意選択的に、基地局装置は、まず、予め定義されたリソース上で第4の物理下りリンク制御チャネルを送信し、その後、第4の物理下りリンク制御チャネルによって、第1の物理下りリンク制御チャネルの構成情報を搬送するメッセージを送信してもよい。第1の物理下りリンク制御チャネルの構成情報を搬送するメッセージは、共通メッセージであってもよく、またはユーザ機器固有メッセージであってもよい。
【０１７９】
さらに、任意選択的に、この解決策における第4の物理下りリンク制御チャネルは、ランダムアクセス競合解決メッセージをスケジューリングするために使用される物理下りリンク制御チャネルであってもよい。すなわち、基地局装置は、予め定義されたリソース上で、ランダムアクセス競合解決メッセージをスケジューリングするために使用される第4の物理下りリンク制御チャネルを送信し、第4の物理下りリンク制御チャネルによってランダムアクセス競合解決メッセージを受信し、ランダムアクセス競合解決メッセージに第1の物理下りリンク制御チャネルの構成情報を追加する。同様に、この解決策では、第4の物理下りリンク制御チャネルの前にチャネルおよびメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０１８０】
任意の例では、この解決策の実装シナリオは以下のようであってもよい。
【０１８１】
基地局装置は、予め定義された狭帯域リソース上で第4のEPDCCHチャネルを送信する。第4のEPDCCHの物理下りリンク制御チャネルリソース上のCSSの構成情報は、予め知られている、すなわち、基地局装置およびユーザ機器は、第4のEPDCCHの物理下りリンク制御チャネルリソース上のCSSの構成情報、例えば、CSSのPRBの位置、および／またはPRBのサイズ、および／または開始シンボル位置、および／または伝送方法（例えば、集中型または分散型）、および／またはサブフレームモードを既に予め知っている。
【０１８２】
ユーザ機器は、予め定義された狭帯域リソース上で第4のEPDCCHチャネルを受信し、受信した第4のEPDCCHチャネルから第1の物理下りリンク制御チャネルの構成情報を取得するか、または、受信した第4のEPDCCHチャネルを用いて、第1の物理下りリンク制御チャネルの構成情報を搬送するメッセージを受信する。
【０１８３】
ネットワークは、予め定義されたリソース上で第4のEPDCCHチャネルを送信し、第4の物理下りリンク制御チャネルに第1の物理下りリンク制御チャネルの構成情報を追加するか、または、第4の物理下りリンク制御チャネルによって、第1の物理下りリンク制御チャネルの構成情報を搬送するメッセージを送信する。
【０１８４】
特に、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。本発明のこの実施形態における予め定義されたリソースは、以下の3つの方法で決定することができる。
【０１８５】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、EPDCCH内のCSSがn個のPRBを含むと仮定すると、予め定義されたリソースの開始PRBまたは終了PRBのインデックスはnの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０１８６】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０１８７】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０１８８】
S402：第1の物理下りリンク制御チャネルの構成情報に基づいて、第1の物理下りリンク制御チャネルを送信する。
【０１８９】
特に、基地局装置は、第1の物理下りリンク制御チャネルの構成情報に基づいて送信パラメータを決定し、送信パラメータに従って第1の物理下りリンク制御チャネルを送信し、ユーザ機器は、第1の物理下りリンク制御チャネルを受信する。
【０１９０】
なお、第1の物理下りリンク制御チャネルの構成情報が予め定義されている場合には、S401において、第1の物理下りリンク制御チャネルの構成情報を送信する必要はなく、予め定義されたリソース上で、第1の物理下りリンク制御チャネルを送信することができる。
【０１９１】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０１９２】
任意の具体的な実装方法：
【０１９３】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０１９４】
第1の物理下りリンク制御チャネルの第2の構成情報は、システムまたは標準で予め定義されている。あるいは、システム情報は、第1の物理下りリンク制御チャネルの第2の構成情報を搬送する。
【０１９５】
以上のように、本発明のこの実施形態では、まず、予め定義されたリソース上で第4の物理下りリンク制御チャネルの構成情報を送信し、第4の物理下りリンク制御チャネルの構成情報に第1のPDCCHの構成情報を追加し、物理下りリンク制御チャネルの構成情報に基づいて第1の物理下りリンク制御チャネルを送信することによって、物理下りリンク制御チャネルの送信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０１９６】
図5は、本発明の一実施形態による物理下りリンク制御チャネル受信方法の概略フローチャートである。この方法は、ユーザ機器に実装される。図示のように、本実施形態における物理下りリンク制御チャネル受信方法のプロセスは、以下のステップを含んでいてもよい。
【０１９７】
S501：予め定義されたリソース上で第1の物理下りリンク制御チャネルの構成情報を受信し、第1の物理下りリンク制御チャネルの構成情報は、第1の物理下りリンク制御チャネルの送受信方法を示すために使用される。
【０１９８】
予め定義されたリソースは、1つ以上の時間周波数リソースであってもよいが、時間周波数リソースに限定されない。例えば、予め定義されたリソースは、符号領域リソースおよび／または空間リソースであってもよい。なお、本発明のこの実施形態では、時間周波数リソースを例に挙げて説明する。
【０１９９】
予め定義されたリソースは、予め定義された狭帯域リソースの一部であり、物理下りリンク制御チャネルは、予め定義された狭帯域リソース上の予め定義されたリソースの一部であるか、または予め定義されていない別の狭帯域リソース上の予め定義されたリソースの一部である。任意の実施形態では、図13に示す周波数帯域リソースの概略図を参照すると、予め定義された狭帯域リソースと、予め定義されていない別の狭帯域リソースと、物理下りリンク制御チャネルとの関係が図に示されている。予め定義されているとは、基地局装置およびユーザ機器が、例えば、伝送に使用されるリソースの位置、伝送に使用されるリソースの数、および伝送に使用されるスクランブリングシーケンスなどの構成情報を既に予め定義していることを意味する。予め定義されたリソースおよび予め定義された狭帯域リソースはそれぞれ、構成情報が既に定義されているリソース、および構成情報が既に定義されている狭帯域リソースであることを理解されたい。
【０２００】
物理下りリンク制御チャネルは、スケジューリング情報を搬送する制御チャネルである。例えば、本発明のこの実施形態の物理下りリンク制御チャネルは、PDCCH、EPDCCH、RPDCCHなどのうちの1つ以上を含み、特にEPDCCHを指す。本発明の方法は、物理下りリンク制御チャネルがEPDCCHである例を用いて説明する。また、物理下りリンク制御チャネルの構成情報は、物理下りリンク制御チャネルの伝送方法、または、物理下りリンク制御チャネル上で物理下りリンク制御チャネルの伝送データを送信する方法、例えば、伝送に使用されるリソースの位置、伝送に使用されるリソースの数、伝送に使用されるスクランブリングシーケンス、および上りリンク制御チャネル（PUCCH、Physical Uplink Control Channel）の構成を示す。
【０２０１】
さらに、物理下りリンク制御チャネルの構成情報には、物理下りリンク制御チャネル内の共通探索空間（すなわち、CSS）の構成情報、および／または、物理下りリンク制御チャネル内のユーザ機器固有探索空間（すなわち、USS）の構成情報が含まれる。物理下りリンク制御チャネルは、特に、第1の物理下りリンク制御チャネルと第3の物理下りリンク制御チャネルとを指す。例えば、第1の物理下りリンク制御チャネルの構成情報には、第1の物理下りリンク制御チャネル内のCSSの構成情報および／またはUSSの構成情報が含まれ、第3の物理下りリンク制御チャネルの構成情報には、第3の物理下りリンク制御チャネル内のCSSの構成情報および／またはUSSの構成情報が含まれる。
【０２０２】
特に、ユーザ機器は、予め定義されたリソース上で第1の物理下りリンク制御チャネルの構成情報を受信する。ユーザ機器が第1の物理下りリンク制御チャネルを受信する方法は、例えば、第1の物理下りリンク制御チャネルを受信するために使用されるリソースの位置、および第1の物理下りリンク制御チャネルを受信するために使用されるリソースの数、および／または使用されるスクランブリングシーケンス、および／または使用される上りリンク制御チャネルリソースであってもよい。
【０２０３】
さらに、予め定義されたリソースは、物理下りリンク制御チャネルリソースの一部または全部であってもよい。物理下りリンク制御チャネルリソースは、物理下りリンク制御チャネルがマッピングされる1セットのリソースであり、物理下りリンク制御チャネルリソースの数は1つ以上である。なお、「物理下りリンク制御チャネルリソースは、物理下りリンク制御チャネルがマッピングされる1セットのリソースである」とは、「物理下りリンク制御チャネルリソースは、物理下りリンク制御チャネルをマッピングすることができる1セットのリソースである」という意味である。例えば、予め定義されたリソースは、予め知られている物理下りリンク制御チャネルのCSSリソースの一部である。本発明のこの実施形態では、CSSの物理下りリンク制御チャネルリソースの他の構成情報（例えば、CSSの物理下りリンク制御チャネル内の全CSSの構成情報、またはCSSの物理下りリンク制御チャネル内のUSSの構成情報）は、予め定義されたリソースを用いて受信されてもよい。さらに、通信システム内に1つ以上の物理下りリンク制御チャネルリソースが定義されている場合、物理下りリンク制御チャネルの構成情報を用いて、1つ以上の物理下りリンク制御チャネルリソース上に物理下りリンク制御チャネルを構成してもよい。例えば、予め定義されたリソースは、予め知られている物理下りリンク制御チャネルリソースのCSSリソースの一部または全部である。本発明のこの実施形態では、予め知られている物理下りリンク制御チャネルリソース以外の1つ以上の物理下りリンク制御チャネルリソースの物理下りリンク制御チャネル構成を、予め定義されたリソース上で受信することができる。
【０２０４】
上記の説明に基づき、具体的な実施プロセスでは、ユーザ機器によって、予め定義されたリソース上で第1の物理下りリンク制御チャネルの構成情報を受信する具体的な実装方法は、以下の3つの解決策を用いて実施することができる。
【０２０５】
解決策1：ユーザ機器は、予め定義されたリソース上でランダムアクセス応答メッセージを受信し、ランダムアクセス応答メッセージは、第1の物理下りリンク制御チャネルの構成情報を搬送する。ここでの「搬送する」は、「含む」を意味してもよく、すなわち、ランダムアクセス応答メッセージは、第1の物理下りリンク制御チャネルの構成情報を含む。
【０２０６】
あるいは、ユーザ機器は、予め定義されたリソース上でランダムアクセス応答メッセージのスケジューリング情報を受信し、ランダムアクセス応答メッセージのスケジューリング情報は、ランダムアクセス応答メッセージの送受信方法を示すために使用され、また、ランダムアクセス応答メッセージのスケジューリング情報に基づいてランダムアクセス応答メッセージを受信し、ランダムアクセス応答メッセージ内で搬送される第1の物理下りリンク制御チャネルの構成情報を取得する。なお、ユーザ機器によってランダムアクセス応答メッセージを受信する方法は、例えば、ランダムアクセス応答メッセージを受信するために使用されるリソースブロックの位置、ランダムアクセス応答メッセージを受信するために使用されるリソースブロックの数、および／または使用される変調符号化方式であってもよい。さらに、「ユーザ機器によって、予め定義されたリソース上でランダムアクセス応答メッセージのスケジューリング情報を受信するステップ」の具体的な動作としては、まず、ユーザ機器によって、予め定義されたリソース上で共通探索空間を決定し、その後、共通探索空間内で、ランダムアクセス応答メッセージをスケジューリングするために使用される第2の物理下りリンク制御チャネルを受信するステップであって、第2の物理下りリンク制御チャネルがランダムアクセス応答メッセージのスケジューリング情報を搬送する、ステップであってもよい。同様に、本明細書における「搬送する」は、「含む」を意味する場合もある。
【０２０７】
上記の説明では、ランダムアクセス応答メッセージはRAR（Random Access Response）メッセージであり、本発明のこの実施形態では、RARの前に共通メッセージを送信する方法は限定されない。例えば、RARの前にパブリックブロードキャストチャネル（PBCH、Public Broadcast Channel）およびシステムメッセージ（SIB1（System Information Block）またはSI）を送信する方法は、本発明では限定されない。確かに、RARの前に共通メッセージを用いて、予め定義されたリソースを構成することができる。
【０２０８】
任意選択的に、ユーザ機器は、「ランダムアクセス応答メッセージを受信し、ランダムアクセス応答メッセージ内で搬送される第1の物理下りリンク制御チャネルの構成情報を取得するステップ」の動作を、ユーザ機器によってランダムアクセス応答メッセージを受信し、ランダムアクセス応答メッセージ内で搬送される指示情報を取得し、指示情報は第1の物理下りリンク制御チャネルの構成情報を含む、方法を用いて実装してもよい。任意の実装方法において、第1の物理下りリンク制御チャネルは、ランダムアクセス競合解決メッセージMsg4をスケジューリングするために使用され、すなわち、ランダムアクセス応答メッセージ内で搬送される指示情報は、ランダムアクセス競合解決メッセージMsg4の物理下りリンク制御チャネルの構成情報を含む。
【０２０９】
さらに、任意選択的に、ユーザ機器は、「ランダムアクセス応答メッセージを受信し、ランダムアクセス応答メッセージ内で搬送される第1の物理下りリンク制御チャネルの構成情報を取得するステップ」の動作を、以下の2つの方法を用いて実装してもよい。1．ユーザ機器は、ランダムアクセス応答メッセージを受信し、ランダムアクセス応答メッセージ内で搬送される指示情報を取得し、指示情報は、ランダムアクセス競合解決メッセージのスケジューリング情報を含み、ランダムアクセス競合解決メッセージのスケジューリング情報は、ランダムアクセス競合解決メッセージの送受信方法を示すために使用され、また、ランダムアクセス競合解決メッセージを受信し、ランダムアクセス競合解決メッセージは、第1の物理下りリンク制御チャネルの構成情報を搬送する。同様に、本明細書における「搬送する」は、「含む」を意味する場合もある。2．ユーザ機器は、ランダムアクセス応答メッセージを受信し、ランダムアクセス応答メッセージ内で搬送される指示情報を取得し、指示情報は、第3の物理下りリンク制御チャネルの構成情報を含み、第3の物理下りリンク制御チャネルの構成情報は、第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネルの共通探索空間の構成情報、および／または、第3の物理下りリンク制御チャネルの物理下りリンク制御リソース内のユーザ機器固有探索空間の構成情報を含み、また、ランダムアクセス競合解決メッセージのスケジューリング情報に基づいてランダムアクセス競合解決メッセージを受信し、ランダムアクセス競合解決メッセージ内で搬送される第1の物理下りリンク制御チャネルの構成情報を取得する。
【０２１０】
上記の説明において、ランダムアクセス競合解決メッセージは、MSG4であってもよい。MSG4は、ユーザ機器が同じランダムアクセスリソースを選択する、例えば、ユーザ機器が同じ時間周波数リソース上で同じランダムアクセスプリアンブルシーケンスを受信することを選択することに起因する、ランダムアクセスプロセスにおける競合の問題を解決するために使用されてもよい。なお、本発明の実施形態との違いは、既存のプロトコルでは、RARメッセージは、MSG3（すなわち、ランダムアクセス手順メッセージ3）のスケジューリング情報のみを搬送し、MSG4のスケジューリング情報、またはMSG4のスケジューリング情報を伝送するために使用される第3の物理下りリンク制御チャネルを搬送しないことにある。
【０２１１】
さらに任意選択的に、基地局装置は、「ランダムアクセス応答メッセージに指示情報を追加するステップ」の動作を以下の2つの方法を用いて実装してもよい。1．基地局装置は、ランダムアクセス応答メッセージに新しいフィールドを追加し、新しいフィールドは指示情報を含む。2．基地局装置は、ランダムアクセス応答メッセージ内の既存のフィールドを再説明し、再説明された既存のフィールドに指示情報を追加する。既存のフィールドを再説明するステップは、既存のフィールドのいくつかのbitの使用を再定義するステップである。任意の例では、ランダムアクセス応答メッセージのフィールドの図14に示す概略図を参照すると、図示のように、MSG3をスケジューリングするためにUL Grantフィールドが使用され、フィールドは20bitsの容量を占有する。しかし、狭帯域リソースのシナリオでは、MSG3をスケジューリングするために20bits未満のビットが必要である。本発明のこの実施形態では、フィールドを再説明することができ、MSG3をスケジューリングするために数ビットのみが使用され、残りのbitsは指示情報を伝送するために使用される。
【０２１２】
同様に、任意選択的に、基地局装置は、ランダムアクセス応答メッセージに第1の物理下りリンク制御チャネルの構成情報を追加するステップの動作を、以下の2つの方法を用いて実装してもよい。1．基地局装置は、ランダムアクセス応答メッセージに新しいフィールドを追加し、新しいフィールドは、第1の物理下りリンク制御チャネルの構成情報を含む。2．基地局装置は、ランダムアクセス応答メッセージの既存のフィールドを再説明し、再説明した既存のフィールドに、第1の物理下りリンク制御チャネルの構成情報を書き込む。
【０２１３】
解決策2．ユーザ機器は、予め定義されたリソース上で、第1の物理下りリンク制御チャネルの構成情報を搬送するデータチャネルを受信する。データチャネルは、予定外の方法で受信される。既存のデータチャネルは予定された方法で受信されることに留意されたい。本発明のこの実施形態では、予定された方法は使用されず、例えば、予め知られている変調符号化方式またはフィードバックのない方式が使用される。
【０２１４】
なお、データチャネルを受信するとは、データチャネル上でデータチャネルのデータを送信するという意味である。
【０２１５】
任意選択的に、この解決策におけるデータチャネルは、ランダムアクセス競合解決メッセージであってもよい。すなわち、基地局装置は、予め定義されたリソース上でランダムアクセス競合解決メッセージを受信し、ランダムアクセス競合解決メッセージ内で搬送される第1の物理下りリンク制御チャネルの構成情報を取得する。本実施形態では、ランダムアクセス競合解決メッセージの前にメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０２１６】
任意の例では、この解決策の実装シナリオは以下のようであってもよい。
【０２１７】
基地局装置は、予め定義された狭帯域リソース上で、EPDCCHの構成情報を搬送するメッセージを送信する。EPDCCHの構成情報を搬送するメッセージの送信方法は、変調符号化方式であってもよい。EPDCCHの構成情報は、1つ以上のEPDCCHリソース上、例えば、予め定義された狭帯域リソース上のEPDCCH内のCSSの構成情報であってもよいし、他の狭帯域リソース上のEPDCCH内のCSSの構成情報であってもよい。CSSの構成情報は、例えば、CSSのPRBの位置、および／またはPRBのサイズ、および／または開始シンボルの位置、および／または伝送方法（例えば、集中型または分散型）、および／またはサブフレームモードであってもよい。
【０２１８】
ユーザ機器は、予め定義された狭帯域リソース上で、EPDCCH内のCSSの構成情報を搬送するメッセージを受信し、受信したメッセージに基づいてEPDCCH内のCSSの構成情報を取得し、選択されたEPDCCHの狭帯域リソース上でCSS内のEPDCCHをリッスンする。
【０２１９】
ネットワークは、1つ以上のEPDCCHリソース上のEPDCCH内のCSSの構成を決定し、予め定義された狭帯域リソース上で、EPDCCH内のCSSの決定された構成情報を搬送するメッセージを送信し、ユーザ機器が、同じ選択されたEPDCCH狭帯域リソース上のEPDCCH内のCSS内のEPDCCHをリッスンすることができるように、選択された1つ以上のEPDCCH狭帯域リソース上のEPDCCH内のCSS内のEPDCCHを送信する。
【０２２０】
ユーザ機器がEPDCCHをリッスンする狭帯域リソースと、ネットワークがEPDCCHを送信する狭帯域リソースとが同じであることを保証するために、ユーザ機器およびネットワークは、選択されたEPDCCH狭帯域リソースを同じ規則に従って決定する必要があることに留意されたい。
【０２２１】
また、任意選択的に、EPDCCH内のCSSの構成情報は、EPDCCH内のUSSの構成情報であってもよく、この例は記載されていない。
【０２２２】
解決策3．ユーザ機器は、予め定義されたリソース上で第4の物理下りリンク制御チャネルを受信し、第4の物理下りリンク制御チャネルは、第1の物理下りリンク制御チャネルの構成情報を搬送する。同様に、本明細書における「搬送する」は、「含む」を意味する場合もある。
【０２２３】
あるいは、ユーザ機器は、予め定義されたリソース上で第4の物理下りリンク制御チャネルを受信し、第4の物理下りリンク制御チャネルによって、第1の物理下りリンク制御チャネルの構成情報を搬送するメッセージを受信する。第1の物理下りリンク制御チャネルの構成情報を搬送するメッセージは、共通メッセージであってもよく、またはユーザ機器固有メッセージであってもよい。
【０２２４】
任意選択的に、この解決策における第4の物理下りリンク制御チャネルは、ランダムアクセス競合解決メッセージをスケジューリングするために使用される物理下りリンク制御チャネルであってもよい。すなわち、ユーザ機器は、予め定義されたリソース上で、ランダムアクセス競合解決メッセージをスケジューリングするために使用される第4の物理下りリンク制御チャネルを受信し、第4の物理下りリンク制御チャネルによってランダムアクセス競合解決メッセージを受信し、ランダムアクセス競合解決メッセージに第1の物理下りリンク制御チャネルの構成情報を追加する。同様に、この解決策では、第4の物理下りリンク制御チャネルの前にチャネルおよびメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０２２５】
任意の例では、この解決策の実装シナリオは以下のようであってもよい。
【０２２６】
基地局装置は、予め定義された狭帯域リソース上で第4のEPDCCHチャネルを送信する。第4のEPDCCHの物理下りリンク制御チャネルリソース上のCSSの構成情報は、予め知られている、すなわち、基地局装置およびユーザ機器は、第4のEPDCCHの物理下りリンク制御チャネルリソース上のCSSの構成情報、例えば、CSSのPRBの位置、および／またはPRBのサイズ、および／または開始シンボル位置、および／または伝送方法（例えば、集中型または分散型）、および／またはサブフレームモードを既に予め知っている。
【０２２７】
ユーザ機器は、予め定義された狭帯域リソース上で第4のEPDCCHチャネルを受信し、受信した第4のEPDCCHチャネルから第1の物理下りリンク制御チャネルの構成情報を取得するか、または、受信した第4のEPDCCHチャネルを用いて、第1の物理下りリンク制御チャネルの構成情報を搬送するメッセージを受信する。
【０２２８】
ネットワークは、予め定義されたリソース上で第4のEPDCCHチャネルを送信し、第4の物理下りリンク制御チャネルに第1の物理下りリンク制御チャネルの構成情報を追加するか、または、第4の物理下りリンク制御チャネルによって、第1の物理下りリンク制御チャネルの構成情報を搬送するメッセージを送信する。
【０２２９】
特に、上記の解決策1、解決策2、および解決策3において、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。
【０２３０】
予め定義されたリソースは、以下の3つの方法で決定することができる。
【０２３１】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、解決策1において、n個のPRBを用いてRARメッセージを受信するか、または解決策2において、n個のPRBを用いてEPDCCH内のCSSの構成情報を受信するか、または解決策3において、EPDCCH内のCSSはn個のPRBリソースを含むと仮定すると、予め定義されたリソースの開始PRBまたは終了PRBのインデックスは、nの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０２３２】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０２３３】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０２３４】
S502：第1の物理下りリンク制御チャネルの構成情報に基づいて、第1の物理下りリンク制御チャネルを受信する。
【０２３５】
特に、基地局装置は、第1の物理下りリンク制御チャネルの構成情報に基づいて受信パラメータを決定し、受信パラメータに従って第1の物理下りリンク制御チャネルを受信する。
【０２３６】
なお、第1の物理下りリンク制御チャネルの構成情報が予め定義されている場合には、S501において、第1の物理下りリンク制御チャネルの構成情報を受信する必要はなく、予め定義されたリソース上で、第1の物理下りリンク制御チャネルを受信することができる。
【０２３７】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０２３８】
任意の具体的な実装方法：
【０２３９】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０２４０】
第1の物理下りリンク制御チャネルの第2の構成情報は、システムまたは標準で予め定義されている。あるいは、システム情報は、第1の物理下りリンク制御チャネルの第2の構成情報を搬送する。
【０２４１】
以上のように、本発明のこの実施形態では、まず、予め定義されたリソース上で物理下りリンク制御チャネルの構成情報を受信し、物理下りリンク制御チャネルの構成情報に基づいて物理下りリンク制御チャネルを受信することによって、物理下りリンク制御チャネルの受信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０２４２】
図6は、本発明の一実施形態による別の物理下りリンク制御チャネル受信方法の概略フローチャートである。この方法は、ユーザ機器に実装され、図1に対応する実施形態で述べた解決策5の具体的な実装プロセスを含む。図示のように、本実施形態における物理下りリンク制御チャネル受信方法のプロセスは、以下のステップを含んでいてもよい。
【０２４３】
S601：予め定義されたリソース上でランダムアクセス応答メッセージを受信し、ランダムアクセス応答メッセージは、第1の物理下りリンク制御チャネルの構成情報を搬送する。
【０２４４】
ランダムアクセス応答メッセージは、RAR（Random Access Response）メッセージであり、本発明のこの実施形態では、RARの前に共通メッセージを送信する方法は限定されない。例えば、RARの前にパブリックブロードキャストチャネル（PBCH、Public Broadcast Channel）およびシステムメッセージ（SIB1（System Information Block）またはSI）を送信する方法は、本発明では限定されない。確かに、RARの前に共通メッセージを用いて、予め定義されたリソースを構成することができる。
【０２４５】
特に、ユーザ機器は、予め定義されたリソース上でランダムアクセス応答メッセージを受信し、ランダムアクセス応答メッセージは、第1の物理下りリンク制御チャネルの構成情報を搬送する。ここでの「搬送する」は、「含む」を意味してもよく、すなわち、ランダムアクセス応答メッセージは、第1の物理下りリンク制御チャネルの構成情報を含む。
【０２４６】
任意の実装方法では、ユーザ機器は、まず、予め定義されたリソース上でランダムアクセス応答メッセージのスケジューリング情報を受信し、ランダムアクセス応答メッセージのスケジューリング情報は、ランダムアクセス応答メッセージの送受信方法を示すために使用され、その後、ランダムアクセス応答メッセージのスケジューリング情報に基づいてランダムアクセス応答メッセージを受信し、ランダムアクセス応答メッセージ内で搬送される第1の物理下りリンク制御チャネルの構成情報を取得してもよい。なお、ユーザ機器によってランダムアクセス応答メッセージを受信する方法は、例えば、ランダムアクセス応答メッセージを受信するために使用されるリソースブロックの位置、ランダムアクセス応答メッセージを受信するために使用されるリソースブロックの数、および／または使用される変調符号化方式であってもよい。さらに、「ユーザ機器によって、予め定義されたリソース上でランダムアクセス応答メッセージのスケジューリング情報を受信するステップ」の具体的な動作としては、まず、ユーザ機器によって、予め定義されたリソース上で共通探索空間を決定し、その後、共通探索空間内で、ランダムアクセス応答メッセージをスケジューリングするために使用される第2の物理下りリンク制御チャネルを受信するステップであって、第2の物理下りリンク制御チャネルがランダムアクセス応答メッセージのスケジューリング情報を搬送する、ステップであってもよい。同様に、本明細書における「搬送する」は、「含む」を意味する場合もある。
【０２４７】
任意選択的に、ユーザ機器は、「ランダムアクセス応答メッセージを受信し、ランダムアクセス応答メッセージ内で搬送される第1の物理下りリンク制御チャネルの構成情報を取得するステップ」の動作を、ユーザ機器によってランダムアクセス応答メッセージを受信し、ランダムアクセス応答メッセージ内で搬送される指示情報を取得し、指示情報は第1の物理下りリンク制御チャネルの構成情報を含む、方法を用いて実装してもよい。任意の実装方法において、第1の物理下りリンク制御チャネルは、ランダムアクセス競合解決メッセージMsg4をスケジューリングするために使用され、すなわち、ランダムアクセス応答メッセージ内で搬送される指示情報は、ランダムアクセス競合解決メッセージMsg4の物理下りリンク制御チャネルの構成情報を含む。
【０２４８】
さらに、任意選択的に、ユーザ機器は、「ランダムアクセス応答メッセージを受信し、ランダムアクセス応答メッセージ内で搬送される第1の物理下りリンク制御チャネルの構成情報を取得するステップ」の動作を、以下の2つの方法を用いて実装してもよい。1．ユーザ機器は、ランダムアクセス応答メッセージを受信し、ランダムアクセス応答メッセージ内で搬送される指示情報を取得し、指示情報は、ランダムアクセス競合解決メッセージのスケジューリング情報を含み、ランダムアクセス競合解決メッセージのスケジューリング情報は、ランダムアクセス競合解決メッセージの送受信方法を示すために使用され、また、ランダムアクセス競合解決メッセージを受信し、ランダムアクセス競合解決メッセージは、第1の物理下りリンク制御チャネルの構成情報を搬送する。同様に、本明細書における「搬送する」は、「含む」を意味する場合もある。2．ユーザ機器は、ランダムアクセス応答メッセージを受信し、ランダムアクセス応答メッセージ内で搬送される指示情報を取得し、指示情報は、第3の物理下りリンク制御チャネルの構成情報を含み、第3の物理下りリンク制御チャネルの構成情報は、第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネルの共通探索空間の構成情報、および／または、第3の物理下りリンク制御チャネルの物理下りリンク制御リソース内のユーザ機器固有探索空間の構成情報を含み、また、ランダムアクセス競合解決メッセージのスケジューリング情報に基づいてランダムアクセス競合解決メッセージを受信し、ランダムアクセス競合解決メッセージ内で搬送される第1の物理下りリンク制御チャネルの構成情報を取得する。
【０２４９】
上記の説明において、ランダムアクセス競合解決メッセージは、MSG4であってもよい。MSG4は、ユーザ機器が同じランダムアクセスリソースを選択する、例えば、ユーザ機器が同じ時間周波数リソース上で同じランダムアクセスプリアンブルシーケンスを受信することを選択することに起因する、ランダムアクセスプロセスにおける競合の問題を解決するために使用されてもよい。なお、本発明の実施形態との違いは、既存のプロトコルでは、RARメッセージは、MSG3（すなわち、ランダムアクセス手順メッセージ3）のスケジューリング情報のみを搬送し、MSG4のスケジューリング情報、またはMSG4のスケジューリング情報を伝送するために使用される第3の物理下りリンク制御チャネルを搬送しないことにある。
【０２５０】
さらに任意選択的に、基地局装置は、「ランダムアクセス応答メッセージに指示情報を追加するステップ」の動作を以下の2つの方法を用いて実装してもよい。1．基地局装置は、ランダムアクセス応答メッセージに新しいフィールドを追加し、新しいフィールドは指示情報を含む。2．基地局装置は、ランダムアクセス応答メッセージ内の既存のフィールドを再説明し、再説明された既存のフィールドに指示情報を追加する。既存のフィールドを再説明するステップは、既存のフィールドのいくつかのbitの使用を再定義するステップである。任意の例では、ランダムアクセス応答メッセージのフィールドの図14に示す概略図を参照すると、図示のように、MSG3をスケジューリングするためにUL Grantフィールドが使用され、フィールドは20bitsの容量を占有する。しかし、狭帯域リソースのシナリオでは、MSG3をスケジューリングするために20bits未満のビットが必要である。本発明のこの実施形態では、フィールドを再説明することができ、MSG3をスケジューリングするために数ビットのみが使用され、残りのbitsは指示情報を伝送するために使用される。
【０２５１】
同様に、任意選択的に、基地局装置は、ランダムアクセス応答メッセージに第1の物理下りリンク制御チャネルの構成情報を追加するステップの動作を、以下の2つの方法を用いて実装してもよい。1．基地局装置は、ランダムアクセス応答メッセージに新しいフィールドを追加し、新しいフィールドは、第1の物理下りリンク制御チャネルの構成情報を含む。2．基地局装置は、ランダムアクセス応答メッセージの既存のフィールドを再説明し、再説明した既存のフィールドに、第1の物理下りリンク制御チャネルの構成情報を書き込む。
【０２５２】
特に、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。本発明のこの実施形態における予め定義されたリソースは、以下の3つの方法で決定することができる。
【０２５３】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、n個のPRBを用いてRARメッセージを受信すると仮定すると、予め定義されたリソースの開始PRBまたは終了PRBのインデックスはnの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０２５４】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０２５５】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０２５６】
S602：第1の物理下りリンク制御チャネルの構成情報に基づいて、第1の物理下りリンク制御チャネルを受信する。
【０２５７】
特に、ユーザ機器は、第1の物理下りリンク制御チャネルの構成情報に基づいて受信パラメータを決定し、受信パラメータに従って第1の物理下りリンク制御チャネルを受信する。
【０２５８】
なお、第1の物理下りリンク制御チャネルの構成情報が予め定義されている場合には、S601において、第1の物理下りリンク制御チャネルの構成情報を受信する必要はなく、予め定義されたリソース上で、第1の物理下りリンク制御チャネルを受信することができる。
【０２５９】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０２６０】
任意の具体的な実装方法：
【０２６１】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０２６２】
第1の物理下りリンク制御チャネルの第2の構成情報は、システムまたは標準で予め定義されている。あるいは、システム情報は、第1の物理下りリンク制御チャネルの第2の構成情報を搬送する。
【０２６３】
以上のように、本発明のこの実施形態では、まず、予め定義されたリソース上でRARメッセージを受信し、RARメッセージ内で搬送される第1の物理下りリンク制御チャネルの構成情報を取得し、第1の物理下りリンク制御チャネルの構成情報に基づいて第1の物理下りリンク制御チャネルを受信することによって、物理下りリンク制御チャネルの受信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０２６４】
図7は、本発明の一実施形態によるさらに別の物理下りリンク制御チャネル受信方法の概略フローチャートである。この方法は、ユーザ機器に実装され、図5に対応する実施形態で述べた解決策2の具体的な実装プロセスを含む。図示のように、本実施形態における物理下りリンク制御チャネル受信方法のプロセスは、以下のステップを含んでいてもよい。
【０２６５】
S701：予め定義されたリソース上で、第1の物理下りリンク制御チャネルの構成情報を搬送するデータチャネルを受信する。
【０２６６】
データチャネルは、予定外の方法で受信される。既存のデータチャネルは予定された方法で受信されることに留意されたい。本発明のこの実施形態では、予定された方法は使用されず、例えば、予め知られている変調符号化方式またはフィードバックのない方式が使用される。特に、ユーザ機器は、予め定義されたリソース上で、第1の物理下りリンク制御チャネルの構成情報を搬送するデータチャネルを受信する。
【０２６７】
なお、データチャネルを受信するとは、データチャネル上でデータチャネルのデータを受信するという意味である。
【０２６８】
任意選択的に、この解決策におけるデータチャネルは、ランダムアクセス競合解決メッセージであってもよい。すなわち、基地局装置は、予め定義されたリソース上でランダムアクセス競合解決メッセージを受信し、ランダムアクセス競合解決メッセージ内で搬送される第1の物理下りリンク制御チャネルの構成情報を取得する。本実施形態では、ランダムアクセス競合解決メッセージの前にメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０２６９】
任意の例では、この解決策の実装シナリオは以下のようであってもよい。
【０２７０】
基地局装置は、予め定義された狭帯域リソース上で、EPDCCHの構成情報を搬送するメッセージを送信する。EPDCCHの構成情報を搬送するメッセージの送信方法は、変調符号化方式であってもよい。EPDCCHの構成情報は、1つ以上のEPDCCHリソース上、例えば、予め定義された狭帯域リソース上のEPDCCH内のCSSの構成情報であってもよいし、他の狭帯域リソース上のEPDCCH内のCSSの構成情報であってもよい。CSSの構成情報は、例えば、CSSのPRBの位置、および／またはPRBのサイズ、および／または開始シンボルの位置、および／または伝送方法（例えば、集中型または分散型）、および／またはサブフレームモードであってもよい。
【０２７１】
ユーザ機器は、予め定義された狭帯域リソース上で、EPDCCH内のCSSの構成情報を搬送するメッセージを受信し、受信したEPDCCHのメッセージに基づいてCSSの構成情報を取得し、選択されたEPDCCHの狭帯域リソース上でCSS内のEPDCCHをリッスンする。
【０２７２】
ネットワークは、1つ以上のEPDCCHリソース上のEPDCCH内のCSSの構成を決定し、予め定義された狭帯域リソース上で、EPDCCH内のCSSの決定された構成情報を搬送するメッセージを送信し、ユーザ機器が、同じ選択されたEPDCCH狭帯域リソース上のEPDCCH内のCSS内のEPDCCHをリッスンすることができるように、選択された1つ以上のEPDCCH狭帯域リソース上のEPDCCH内のCSS内のEPDCCHを送信する。
【０２７３】
ユーザ機器がEPDCCHをリッスンする狭帯域リソースと、ネットワークがEPDCCHを送信する狭帯域リソースとが同じであることを保証するために、ユーザ機器およびネットワークは、選択されたEPDCCH狭帯域リソースを同じ規則に従って決定する必要があることに留意されたい。
【０２７４】
また、任意選択的に、EPDCCH内のCSSの構成情報は、EPDCCH内のUSSの構成情報であってもよく、この例は記載されていない。
【０２７５】
特に、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。本発明のこの実施形態における予め定義されたリソースは、以下の3つの方法で決定することができる。
【０２７６】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、n個のPRBを用いてEPDCCH内のCSSの構成情報を受信すると仮定すると、予め定義されたリソースの開始PRBまたは終了PRBのインデックスはnの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０２７７】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０２７８】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０２７９】
S702：第1の物理下りリンク制御チャネルの構成情報に基づいて、第1の物理下りリンク制御チャネルを受信する。
【０２８０】
特に、ユーザ機器は、第1の物理下りリンク制御チャネルの構成情報に基づいて受信パラメータを決定し、受信パラメータに従って第1の物理下りリンク制御チャネルを受信する。
【０２８１】
なお、第1の物理下りリンク制御チャネルの構成情報が予め定義されている場合には、S701において、第1の物理下りリンク制御チャネルの構成情報を受信する必要はなく、予め定義されたリソース上で、第1の物理下りリンク制御チャネルを受信することができる。
【０２８２】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０２８３】
任意の具体的な実装方法：
【０２８４】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０２８５】
第1の物理下りリンク制御チャネルの第2の構成情報は、システムまたは標準で予め定義されている。あるいは、システム情報は、第1の物理下りリンク制御チャネルの第2の構成情報を搬送する。
【０２８６】
以上のように、本発明のこの実施形態では、まず、予め定義されたリソース上で、物理下りリンク制御チャネルを搬送するデータチャネルを受信し、物理下りリンク制御チャネルの構成情報に基づいて第1の物理下りリンク制御チャネルを受信することによって、物理下りリンク制御チャネルの受信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０２８７】
図8は、本発明の一実施形態によるさらに別の物理下りリンク制御チャネル受信方法の概略フローチャートである。本方法は、ユーザ機器に実装され、図5に対応する実施形態で述べた解決策3の具体的な実装プロセスを含む。図示のように、本実施形態における物理下りリンク制御チャネル受信方法のプロセスは、以下のステップを含んでいてもよい。
【０２８８】
S801：予め定義されたリソース上で第4の物理下りリンク制御チャネルを受信し、第4の物理下りリンク制御チャネルは、第1の物理下りリンク制御チャネルの構成情報を搬送する。
【０２８９】
任意選択的に、ユーザ機器は、予め定義されたリソース上で第4の物理下りリンク制御チャネルをまず受信し、その後、第4の物理下りリンク制御チャネルによって、第1の物理下りリンク制御チャネルの構成情報を搬送するメッセージを受信してもよい。第1の物理下りリンク制御チャネルの構成情報を搬送するメッセージは、共通メッセージであってもよく、またはユーザ機器固有メッセージであってもよい。
【０２９０】
さらに、任意選択的に、この解決策における第4の物理下りリンク制御チャネルは、ランダムアクセス競合解決メッセージをスケジューリングするために使用される物理下りリンク制御チャネルであってもよい。すなわち、ユーザ機器は、予め定義されたリソース上で、ランダムアクセス競合解決メッセージをスケジューリングするために使用される第4の物理下りリンク制御チャネルを受信し、第4の物理下りリンク制御チャネルによってランダムアクセス競合解決メッセージを受信し、ランダムアクセス競合解決メッセージに第1の物理下りリンク制御チャネルの構成情報を追加する。同様に、この解決策では、第4の物理下りリンク制御チャネルの前にチャネルおよびメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０２９１】
任意の例では、この解決策の実装シナリオは以下のようであってもよい。
【０２９２】
基地局装置は、予め定義された狭帯域リソース上で第4のEPDCCHチャネルを送信する。第4のEPDCCHの物理下りリンク制御チャネルリソース上のCSSの構成情報は、予め知られている、すなわち、基地局装置およびユーザ機器は、第4のEPDCCHの物理下りリンク制御チャネルリソース上のCSSの構成情報、例えば、CSSのPRBの位置、および／またはPRBのサイズ、および／または開始シンボル位置、および／または伝送方法（例えば、集中型または分散型）、および／またはサブフレームモードを既に予め知っている。
【０２９３】
ユーザ機器は、予め定義された狭帯域リソース上で第4のEPDCCHチャネルを受信し、受信した第4のEPDCCHチャネルから第1の物理下りリンク制御チャネルの構成情報を取得するか、または、受信した第4のEPDCCHチャネルを用いて、第1の物理下りリンク制御チャネルの構成情報を搬送するメッセージを受信する。
【０２９４】
ネットワークは、予め定義されたリソース上で第4のEPDCCHチャネルを送信し、第4の物理下りリンク制御チャネルに第1の物理下りリンク制御チャネルの構成情報を追加するか、または、第4の物理下りリンク制御チャネルによって、第1の物理下りリンク制御チャネルの構成情報を搬送するメッセージを送信する。
【０２９５】
特に、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。本発明のこの実施形態における予め定義されたリソースは、以下の3つの方法で決定することができる。
【０２９６】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、EPDCCH内のCSSがn個のPRBを含むと仮定すると、予め定義されたリソースの開始PRBまたは終了PRBのインデックスはnの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０２９７】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０２９８】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０２９９】
S802：第1の物理下りリンク制御チャネルの構成情報に基づいて、第1の物理下りリンク制御チャネルを受信する。
【０３００】
特に、ユーザ機器は、第1の物理下りリンク制御チャネルの構成情報に基づいて受信パラメータを決定し、受信パラメータに従って第1の物理下りリンク制御チャネルを受信する。
【０３０１】
なお、第1の物理下りリンク制御チャネルの構成情報が予め定義されている場合には、S801において、第1の物理下りリンク制御チャネルの構成情報を受信する必要はなく、予め定義されたリソース上で、第1の物理下りリンク制御チャネルを受信することができる。
【０３０２】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０３０３】
任意の具体的な実装方法：
【０３０４】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０３０５】
第1の物理下りリンク制御チャネルの第2の構成情報は、システムまたは標準で予め定義されている。あるいは、システム情報は、第1の物理下りリンク制御チャネルの第2の構成情報を搬送する。
【０３０６】
以上のように、本発明のこの実施形態では、まず、予め定義されたリソース上で第4の物理下りリンク制御チャネルの構成情報を受信し、第4の物理下りリンク制御チャネルの構成情報内で搬送される第1のPDCCHの構成情報を取得し、物理下りリンク制御チャネルの構成情報に基づいて第1の物理下りリンク制御チャネルを受信することによって、物理下りリンク制御チャネルの送信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０３０７】
図9は、本発明の一実施形態による基地局装置の概略構成図である。図示のように、本発明のこの実施形態の基地局装置は、構成情報送信モジュール910と、制御チャネル送信モジュール920とを少なくとも含むことができる。
【０３０８】
構成情報送信モジュール910は、予め定義されたリソース上で第1の物理下りリンク制御チャネルの構成情報を送信するように構成され、第1の物理下りリンク制御チャネルの構成情報は、第1の物理下りリンク制御チャネルの送受信方法を示すために使用される。
【０３０９】
予め定義されたリソースは、1つ以上の時間周波数リソースであってもよいが、時間周波数リソースに限定されない。例えば、予め定義されたリソースは、符号領域リソースおよび／または空間リソースであってもよい。なお、本発明のこの実施形態では、時間周波数リソースを例に挙げて説明する。
【０３１０】
予め定義されたリソースは、予め定義された狭帯域リソースの一部であり、物理下りリンク制御チャネルは、予め定義された狭帯域リソース上の予め定義されたリソースの一部であるか、または予め定義されていない別の狭帯域リソース上の予め定義されたリソースの一部である。任意の実施形態では、図13に示す周波数帯域リソースの概略図を参照すると、予め定義された狭帯域リソースと、予め定義されていない別の狭帯域リソースと、物理下りリンク制御チャネルとの関係が図に示されている。予め定義されているとは、基地局装置およびユーザ機器が、例えば、伝送に使用されるリソースの位置、伝送に使用されるリソースの数、および伝送に使用されるスクランブリングシーケンスなどの構成情報を既に予め定義していることを意味する。予め定義されたリソースおよび予め定義された狭帯域リソースはそれぞれ、構成情報が既に定義されているリソース、および構成情報が既に定義されている狭帯域リソースであることを理解されたい。
【０３１１】
物理下りリンク制御チャネルは、スケジューリング情報を搬送する制御チャネルである。例えば、本発明のこの実施形態の物理下りリンク制御チャネルは、PDCCH、EPDCCH、RPDCCHなどのうちの1つ以上を含み、特にEPDCCHを指す。本発明の方法は、物理下りリンク制御チャネルがEPDCCHである例を用いて説明する。また、物理下りリンク制御チャネルの構成情報は、物理下りリンク制御チャネルの伝送方法、または、物理下りリンク制御チャネル上で物理下りリンク制御チャネルの伝送データを送信する方法、例えば、伝送に使用されるリソースの位置、伝送に使用されるリソースの数、伝送に使用されるスクランブリングシーケンス、および上りリンク制御チャネル（PUCCH、Physical Uplink Control Channel）の構成を示す。
【０３１２】
さらに、物理下りリンク制御チャネルの構成情報には、物理下りリンク制御チャネル内の共通探索空間（すなわち、CSS）の構成情報、および／または、物理下りリンク制御チャネル内のユーザ機器固有探索空間（すなわち、USS）の構成情報が含まれる。物理下りリンク制御チャネルは、特に、第1の物理下りリンク制御チャネルと第3の物理下りリンク制御チャネルとを指す。例えば、第1の物理下りリンク制御チャネルの構成情報には、第1の物理下りリンク制御チャネル内のCSSの構成情報および／またはUSSの構成情報が含まれ、第3の物理下りリンク制御チャネルの構成情報には、第3の物理下りリンク制御チャネル内のCSSの構成情報および／またはUSSの構成情報が含まれる。
【０３１３】
特に、構成情報送信モジュール910は、予め定義されたリソース上で第1の物理下りリンク制御チャネルの構成情報を送信する。第1の物理下りリンク制御チャネルの構成情報は、第1の物理下りリンク制御チャネルの送受信方法を示すために使用される。ユーザ機器が第1の物理下りリンク制御チャネルを受信する方法は、例えば、第1の物理下りリンク制御チャネルを受信するために使用されるリソースの位置、および第1の物理下りリンク制御チャネルを受信するために使用されるリソースの数、および／または使用されるスクランブリングシーケンス、および／または使用される上りリンク制御チャネルリソースであってもよい。
【０３１４】
さらに、予め定義されたリソースは、物理下りリンク制御チャネルリソースの一部または全部であってもよい。物理下りリンク制御チャネルリソースは、物理下りリンク制御チャネルがマッピングされる1セットのリソースであり、物理下りリンク制御チャネルリソースの数は1つ以上である。なお、「物理下りリンク制御チャネルリソースは、物理下りリンク制御チャネルがマッピングされる1セットのリソースである」とは、「物理下りリンク制御チャネルリソースは、物理下りリンク制御チャネルをマッピングすることができる1セットのリソースである」という意味である。例えば、予め定義されたリソースは、予め知られている物理下りリンク制御チャネルのCSSリソースの一部である。本発明のこの実施形態では、CSSの物理下りリンク制御チャネルリソースの他の構成情報（例えば、CSSの物理下りリンク制御チャネルにおける全CSSの構成情報、またはCSSの物理下りリンク制御チャネルにおけるUSSの構成情報）は、予め定義されたリソースを用いて送信されてもよい。さらに、通信システム内に1つ以上の物理下りリンク制御チャネルリソースが定義されている場合、物理下りリンク制御チャネルの構成情報を用いて、1つ以上の物理下りリンク制御チャネルリソース上に物理下りリンク制御チャネルを構成してもよい。例えば、予め定義されたリソースは、予め知られている物理下りリンク制御チャネルリソースのCSSリソースの一部または全部である。本発明のこの実施形態では、予め知られている物理下りリンク制御チャネルリソース以外の1つ以上の物理下りリンク制御チャネルリソースの物理下りリンク制御チャネル構成を、予め定義されたリソース上で送信することができる。
【０３１５】
上記の説明に基づき、具体的な実装プロセスでは、構成情報送信モジュール910によって、予め定義されたリソース上で第1の物理下りリンク制御チャネルの構成情報を送信する具体的な実装方法は、以下の3つの解決策を用いて実現することができる。
【０３１６】
解決策1：構成情報送信モジュール910は、予め定義されたリソース上でランダムアクセス応答メッセージを送信し、ランダムアクセス応答メッセージは、第1の物理下りリンク制御チャネルの構成情報を搬送する。ここでの「搬送する」は、「含む」を意味してもよく、すなわち、ランダムアクセス応答メッセージは、第1の物理下りリンク制御チャネルの構成情報を含む。
【０３１７】
あるいは、構成情報送信モジュール910は、予め定義されたリソース上でランダムアクセス応答メッセージのスケジューリング情報を送信し、ランダムアクセス応答メッセージのスケジューリング情報は、ランダムアクセス応答メッセージの送受信方法を示すために使用され、また、ランダムアクセス応答メッセージのスケジューリング情報に基づいてランダムアクセス応答メッセージを送信し、ランダムアクセス応答メッセージに第1の物理下りリンク制御チャネルの構成情報を追加する。なお、ユーザ機器によってランダムアクセス応答メッセージを受信する方法は、例えば、ランダムアクセス応答メッセージを受信するために使用されるリソースブロックの位置、ランダムアクセス応答メッセージを受信するために使用されるリソースブロックの数、および／または使用される変調符号化方式であってもよい。さらに、「構成情報送信モジュール910によって、予め定義されたリソース上でランダムアクセス応答メッセージのスケジューリング情報を送信するステップ」の具体的な動作としては、まず、構成情報送信モジュール910によって、予め定義されたリソース上で共通探索空間を決定し、その後、共通探索空間内で、ランダムアクセス応答メッセージをスケジューリングするために使用される第2の物理下りリンク制御チャネルを送信するステップであって、第2の物理下りリンク制御チャネルがランダムアクセス応答メッセージのスケジューリング情報を搬送する、ステップであってもよい。同様に、本明細書における「搬送する」は、「含む」を意味する場合もある。
【０３１８】
上記の説明では、ランダムアクセス応答メッセージはRAR（Random Access Response）メッセージであり、本発明のこの実施形態では、RARの前に共通メッセージを送信する方法は限定されない。例えば、RARの前にパブリックブロードキャストチャネル（PBCH、Public Broadcast Channel）およびシステムメッセージ（SIB1（System Information Block）またはSI）を送信する方法は、本発明では限定されない。確かに、RARの前に共通メッセージを用いて、予め定義されたリソースを構成することができる。
【０３１９】
任意選択的に、構成情報送信モジュール910は、「ランダムアクセス応答メッセージを送信し、ランダムアクセス応答メッセージに第1の物理下りリンク制御チャネルの構成情報を追加するステップ」の動作を、構成情報送信モジュール910によってランダムアクセス応答メッセージを送信し、ランダムアクセス応答メッセージに指示情報を追加するステップであって、指示情報は第1の物理下りリンク制御チャネルの構成情報を含む、ステップの方法を用いて実装してもよい。任意の実装方法において、第1の物理下りリンク制御チャネルは、ランダムアクセス競合解決メッセージMsg4をスケジューリングするために使用され、すなわち、ランダムアクセス応答メッセージ内で搬送される指示情報は、ランダムアクセス競合解決メッセージMsg4の物理下りリンク制御チャネルの構成情報を含む。
【０３２０】
さらに、任意選択的に、構成情報送信モジュール910は、「ランダムアクセス応答メッセージを送信し、ランダムアクセス応答メッセージに第1の物理下りリンク制御チャネルの構成情報を追加するステップ」の動作を、以下の2つの方法を用いて実装してもよい。1．構成情報送信モジュール910は、ランダムアクセス応答メッセージを送信し、ランダムアクセス応答メッセージに指示情報を追加し、指示情報は、ランダムアクセス競合解決メッセージのスケジューリング情報を含み、ランダムアクセス競合解決メッセージのスケジューリング情報は、ランダムアクセス競合解決メッセージの送受信方法を示すために使用され、また、ランダムアクセス競合解決メッセージを送信し、ランダムアクセス競合解決メッセージは、第1の物理下りリンク制御チャネルの構成情報を搬送する。同様に、本明細書における「搬送する」は、「含む」を意味する場合もある。2．構成情報送信モジュール910は、ランダムアクセス応答メッセージを送信し、ランダムアクセス応答メッセージに指示情報を追加し、指示情報は、第3の物理下りリンク制御チャネルの構成情報を含み、第3の物理下りリンク制御チャネルの構成情報は、第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネルの共通探索空間の構成情報、および／または、第3の物理下りリンク制御チャネルの物理下りリンク制御リソース内のユーザ機器固有探索空間の構成情報を含み、また、ランダムアクセス競合解決メッセージのスケジューリング情報に基づいてランダムアクセス競合解決メッセージを送信し、ランダムアクセス競合解決メッセージは、第1の物理下りリンク制御チャネルの構成情報を搬送する。
【０３２１】
上記の説明において、ランダムアクセス競合解決メッセージは、MSG4であってもよい。MSG4は、ユーザ機器が同じランダムアクセスリソースを選択する、例えば、ユーザ機器が同じ時間周波数リソース上で同じランダムアクセスプリアンブルシーケンスを送信することを選択することに起因する、ランダムアクセスプロセスにおける競合の問題を解決するために使用されてもよい。なお、本発明の実施形態との違いは、既存のプロトコルでは、RARメッセージは、MSG3（すなわち、ランダムアクセス手順メッセージ3）のスケジューリング情報のみを搬送し、MSG4のスケジューリング情報、またはMSG4のスケジューリング情報を伝送するために使用される第3の物理下りリンク制御チャネルを搬送しないことにある。
【０３２２】
さらに任意選択的に、構成情報送信モジュール910は、「ランダムアクセス応答メッセージに指示情報を追加するステップ」の動作を以下の2つの方法を用いて実装してもよい。1．構成情報送信モジュール910は、ランダムアクセス応答メッセージに新しいフィールドを追加し、新しいフィールドは指示情報を含む。2．構成情報送信モジュール910は、ランダムアクセス応答メッセージ内の既存のフィールドを再説明し、再説明された既存のフィールドに指示情報を追加する。既存のフィールドを再説明するステップは、既存のフィールドのいくつかのbitの使用を再定義するステップである。任意の例では、ランダムアクセス応答メッセージのフィールドの図14に示す概略図を参照すると、図示のように、MSG3をスケジューリングするためにUL Grantフィールドが使用され、フィールドは20bitsの容量を占有する。しかし、狭帯域リソースのシナリオでは、MSG3をスケジューリングするために20bits未満のビットが必要である。本発明のこの実施形態では、フィールドを再説明することができ、MSG3をスケジューリングするために数ビットのみが使用され、残りのbitsは指示情報を伝送するために使用される。
【０３２３】
同様に、任意選択的に、構成情報送信モジュール910は、「ランダムアクセス応答メッセージに第1の物理下りリンク制御チャネルの構成情報を追加するステップ」の動作を、以下の2つの方法を用いて実装してもよい。1．構成情報送信モジュール910は、ランダムアクセス応答メッセージに新しいフィールドを追加し、新しいフィールドは、第1の物理下りリンク制御チャネルの構成情報を含む。2．構成情報送信モジュール910は、ランダムアクセス応答メッセージの既存のフィールドを再説明し、再説明した既存のフィールドに第1の物理下りリンク制御チャネルの構成情報を書き込む。
【０３２４】
解決策2．構成情報送信モジュール910は、予め定義されたリソース上で、第1の物理下りリンク制御チャネルの構成情報を搬送するデータチャネルを送信する。データチャネルは予定外の方法で送信される。既存のデータチャネルは予定された方法で送信されることに留意されたい。本発明のこの実施形態では、予定された方法は使用されず、例えば、予め知られている変調符号化方式またはフィードバックのない方式が使用される。
【０３２５】
なお、データチャネルを送信するとは、データチャネル上でデータチャネルのデータを送信するという意味である。
【０３２６】
任意選択的に、この解決策におけるデータチャネルは、ランダムアクセス競合解決メッセージであってもよい。すなわち、構成情報送信モジュール910は、予め定義されたリソース上でランダムアクセス競合解決メッセージを送信し、ランダムアクセス競合解決メッセージに第1の物理下りリンク制御チャネルの構成情報を追加する。本実施形態では、ランダムアクセス競合解決メッセージの前にメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０３２７】
任意の例では、この解決策の実装シナリオは以下のようであってもよい。
【０３２８】
構成情報送信モジュール910は、予め定義された狭帯域リソース上で、EPDCCHの構成情報を搬送するメッセージを送信する。EPDCCHの構成情報を搬送するメッセージの送信方法は、変調符号化方式であってもよい。EPDCCHの構成情報は、1つ以上のEPDCCHリソース上、例えば、予め定義された狭帯域リソース上のEPDCCH内のCSSの構成情報であってもよいし、他の狭帯域リソース上のEPDCCH内のCSSの構成情報であってもよい。CSSの構成情報は、例えば、CSSのPRBの位置、および／またはPRBのサイズ、および／または開始シンボルの位置、および／または伝送方法（例えば、集中型または分散型）、および／またはサブフレームモードであってもよい。
【０３２９】
ユーザ機器は、予め定義された狭帯域リソース上で、EPDCCH内のCSSの構成情報を搬送するメッセージを受信し、受信したメッセージに基づいてEPDCCH内のCSSの構成情報を取得し、選択されたEPDCCHの狭帯域リソース上でCSS内のEPDCCHをリッスンする。
【０３３０】
ネットワークは、1つ以上のEPDCCHリソース上のEPDCCH内のCSSの構成を決定し、予め定義された狭帯域リソース上で、EPDCCH内のCSSの決定された構成情報を搬送するメッセージを送信し、ユーザ機器が、同じ選択されたEPDCCH狭帯域リソース上のEPDCCH内のCSS内のEPDCCHをリッスンすることができるように、選択された1つ以上のEPDCCH狭帯域リソース上のEPDCCH内のCSS内のEPDCCHを送信する。
【０３３１】
ユーザ機器がEPDCCHをリッスンする狭帯域リソースと、ネットワークがEPDCCHを送信する狭帯域リソースとが同じであることを保証するために、ユーザ機器およびネットワークは、選択されたEPDCCH狭帯域リソースを同じ規則に従って決定する必要があることに留意されたい。
【０３３２】
また、任意選択的に、EPDCCH内のCSSの構成情報は、EPDCCH内のUSSの構成情報であってもよく、この例は記載されていない。
【０３３３】
解決策3．構成情報送信モジュール910は、予め定義されたリソース上で第4の物理下りリンク制御チャネルを送信し、第4の物理下りリンク制御チャネルは、第1の物理下りリンク制御チャネルの構成情報を搬送する。同様に、本明細書における「搬送する」は、「含む」を意味する場合もある。
【０３３４】
あるいは、構成情報送信モジュール910は、予め定義されたリソース上で第4の物理下りリンク制御チャネルを送信し、第4の物理下りリンク制御チャネルによって、第1の物理下りリンク制御チャネルの構成情報を搬送するメッセージを送信する。第1の物理下りリンク制御チャネルの構成情報を搬送するメッセージは、共通メッセージであってもよく、またはユーザ機器固有メッセージであってもよい。
【０３３５】
任意選択的に、この解決策における第4の物理下りリンク制御チャネルは、ランダムアクセス競合解決メッセージをスケジューリングするために使用される物理下りリンク制御チャネルであってもよい。すなわち、構成情報送信モジュール910は、予め定義されたリソース上で、ランダムアクセス競合解決メッセージをスケジューリングするために使用される第4の物理下りリンク制御チャネルを送信し、第4の物理下りリンク制御チャネルによってランダムアクセス競合解決メッセージを受信し、ランダムアクセス競合解決メッセージに第1の物理下りリンク制御チャネルの構成情報を追加する。同様に、この解決策では、第4の物理下りリンク制御チャネルの前にチャネルおよびメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０３３６】
任意の例では、この解決策の実装シナリオは以下のようであってもよい。
【０３３７】
構成情報送信モジュール910は、予め定義された狭帯域リソース上で第4のEPDCCHチャネルを送信する。第4のEPDCCHの物理下りリンク制御チャネルリソース上のCSSの構成情報は、予め知られている、すなわち、基地局装置およびユーザ機器は、第4のEPDCCHの物理下りリンク制御チャネルリソース上のCSSの構成情報、例えば、CSSのPRBの位置、および／またはPRBのサイズ、および／または開始シンボル位置、および／または伝送方法（例えば、集中型または分散型）、および／またはサブフレームモードを既に予め知っている。
【０３３８】
ユーザ機器は、予め定義された狭帯域リソース上で第4のEPDCCHチャネルを受信し、受信した第4のEPDCCHチャネルから第1の物理下りリンク制御チャネルの構成情報を取得するか、または、受信した第4のEPDCCHチャネルを用いて、第1の物理下りリンク制御チャネルの構成情報を搬送するメッセージを受信する。
【０３３９】
ネットワークは、予め定義されたリソース上で第4のEPDCCHチャネルを送信し、第4の物理下りリンク制御チャネルに第1の物理下りリンク制御チャネルの構成情報を追加するか、または、第4の物理下りリンク制御チャネルによって、第1の物理下りリンク制御チャネルの構成情報を搬送するメッセージを送信する。
【０３４０】
特に、上記の解決策1、解決策2、および解決策3において、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。
【０３４１】
予め定義されたリソースは、以下の3つの方法で決定することができる。
【０３４２】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、解決策1において、n個のPRBを用いてRARメッセージを送信するか、または解決策2において、n個のPRBを用いてEPDCCH内のCSSの構成情報を送信するか、または解決策3において、EPDCCH内のCSSはn個のPRBリソースを含むと仮定すると、予め定義されたリソースの開始PRBまたは終了PRBのインデックスは、nの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０３４３】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０３４４】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０３４５】
制御チャネル送信モジュール920は、第1の物理下りリンク制御チャネルの構成情報に基づいて、第1の物理下りリンク制御チャネルを送信するように構成される。
【０３４６】
特に、制御チャネル送信モジュール920は、第1の物理下りリンク制御チャネルの構成情報に基づいて送信パラメータを決定し、送信パラメータに従って第1の物理下りリンク制御チャネルを送信し、ユーザ機器は、第1の物理下りリンク制御チャネルを受信する。
【０３４７】
なお、第1の物理下りリンク制御チャネルの構成情報が予め定義されている場合には、構成情報送信モジュール910は、第1の物理下りリンク制御チャネルの構成情報を送信する必要はなく、予め定義されたリソース上で、第1の物理下りリンク制御チャネルを送信することができる。
【０３４８】
「第1の物理下りリンク制御チャネルの構成情報が予め定義されている」とは、「第1の物理下りリンク制御チャネルの構成情報の一部が予め定義され、一部が構成されている」ことを含む。すなわち、第1の物理下りリンク制御チャネルの構成情報は、第1の構成情報と第2の構成情報とを含み、第1の構成情報および第2の構成情報は、第1の物理下りリンク制御チャネルの1つ以上のパラメータ構成を含み、第1の構成情報は予め定義され、第2の構成情報は構成されている。
【０３４９】
任意の具体的な実装方法：
【０３５０】
ランダムアクセス応答メッセージは、第1の物理下りリンク制御チャネルの第1の構成情報を搬送する。あるいは、第2の物理下りリンク制御チャネルは、第1の物理下りリンク制御チャネルの第1の構成情報を搬送する。例えば、第2の物理下りリンク制御チャネルは、ランダムアクセス応答メッセージをスケジューリングするために使用される制御チャネルである。
【０３５１】
第1の物理下りリンク制御チャネルの第2の構成情報は、システムまたは標準で予め定義されている。あるいは、システム情報は、第1の物理下りリンク制御チャネルの第2の構成情報を搬送する。
【０３５２】
図10は、本発明の一実施形態によるユーザ機器の概略構成図である。図示のように、本発明のこの実施形態のユーザ機器は、構成情報受信モジュール1010と制御チャネル受信モジュール1020とを少なくとも含むことができる。
【０３５３】
構成情報受信モジュール1010は、予め定義されたリソース上で第1の物理下りリンク制御チャネルの構成情報を受信するように構成され、第1の物理下りリンク制御チャネルの構成情報は、第1の物理下りリンク制御チャネルの送受信方法を示すために使用される。
【０３５４】
予め定義されたリソースは、1つ以上の時間周波数リソースであってもよいが、時間周波数リソースに限定されない。例えば、予め定義されたリソースは、符号領域リソースおよび／または空間リソースであってもよい。なお、本発明のこの実施形態では、時間周波数リソースを例に挙げて説明する。
【０３５５】
予め定義されたリソースは、予め定義された狭帯域リソースの一部であり、物理下りリンク制御チャネルは、予め定義された狭帯域リソース上の予め定義されたリソースの一部であるか、または予め定義されていない別の狭帯域リソース上の予め定義されたリソースの一部である。任意の実施形態では、図13に示す周波数帯域リソースの概略図を参照すると、予め定義された狭帯域リソースと、予め定義されていない別の狭帯域リソースと、物理下りリンク制御チャネルとの関係が図に示されている。予め定義されているとは、基地局装置およびユーザ機器が、例えば、伝送に使用されるリソースの位置、伝送に使用されるリソースの数、および伝送に使用されるスクランブリングシーケンスなどの構成情報を既に予め定義していることを意味する。予め定義されたリソースおよび予め定義された狭帯域リソースはそれぞれ、構成情報が既に定義されているリソース、および構成情報が既に定義されている狭帯域リソースであることを理解されたい。
【０３５６】
物理下りリンク制御チャネルは、スケジューリング情報を搬送する制御チャネルである。例えば、本発明のこの実施形態の物理下りリンク制御チャネルは、PDCCH、EPDCCH、RPDCCHなどのうちの1つ以上を含み、特にEPDCCHを指す。本発明の方法は、物理下りリンク制御チャネルがEPDCCHである例を用いて説明する。また、物理下りリンク制御チャネルの構成情報は、物理下りリンク制御チャネルの伝送方法、または、物理下りリンク制御チャネル上で物理下りリンク制御チャネルの伝送データを送信する方法、例えば、伝送に使用されるリソースの位置、伝送に使用されるリソースの数、伝送に使用されるスクランブリングシーケンス、および上りリンク制御チャネル（PUCCH、Physical Uplink Control Channel）の構成を示す。
【０３５７】
さらに、物理下りリンク制御チャネルの構成情報には、物理下りリンク制御チャネル内の共通探索空間（すなわち、CSS）の構成情報、および／または、物理下りリンク制御チャネル内のユーザ機器固有探索空間（すなわち、USS）の構成情報が含まれる。物理下りリンク制御チャネルは、特に、第1の物理下りリンク制御チャネルと第3の物理下りリンク制御チャネルとを指す。例えば、第1の物理下りリンク制御チャネルの構成情報には、第1の物理下りリンク制御チャネル内のCSSの構成情報および／またはUSSの構成情報が含まれ、第3の物理下りリンク制御チャネルの構成情報には、第3の物理下りリンク制御チャネル内のCSSの構成情報および／またはUSSの構成情報が含まれる。
【０３５８】
特に、構成情報受信モジュール1010は、予め定義されたリソース上で第1の物理下りリンク制御チャネルの構成情報を受信する。構成情報受信モジュール1010が第1の物理下りリンク制御チャネルを受信する方法は、例えば、第1の物理下りリンク制御チャネルを受信するために使用されるリソースの位置、および第1の物理下りリンク制御チャネルを受信するために使用されるリソースの数、および／または使用されるスクランブリングシーケンス、および／または使用される上りリンク制御チャネルリソースであってもよい。
【０３５９】
さらに、予め定義されたリソースは、物理下りリンク制御チャネルリソースの一部または全部であってもよい。物理下りリンク制御チャネルリソースは、物理下りリンク制御チャネルがマッピングされる1セットのリソースであり、物理下りリンク制御チャネルリソースの数は1つ以上である。なお、「物理下りリンク制御チャネルリソースは、物理下りリンク制御チャネルがマッピングされる1セットのリソースである」とは、「物理下りリンク制御チャネルリソースは、物理下りリンク制御チャネルをマッピングすることができる1セットのリソースである」という意味である。例えば、予め定義されたリソースは、予め知られている物理下りリンク制御チャネルのCSSリソースの一部である。本発明のこの実施形態では、CSSの物理下りリンク制御チャネルリソースの他の構成情報（例えば、CSSの物理下りリンク制御チャネル内の全CSSの構成情報、またはCSSの物理下りリンク制御チャネル内のUSSの構成情報）は、予め定義されたリソースを用いて受信されてもよい。さらに、通信システム内に1つ以上の物理下りリンク制御チャネルリソースが定義されている場合、物理下りリンク制御チャネルの構成情報を用いて、1つ以上の物理下りリンク制御チャネルリソース上に物理下りリンク制御チャネルを構成してもよい。例えば、予め定義されたリソースは、予め知られている物理下りリンク制御チャネルリソースのCSSリソースの一部または全部である。本発明のこの実施形態では、予め知られている物理下りリンク制御チャネルリソース以外の1つ以上の物理下りリンク制御チャネルリソースの物理下りリンク制御チャネル構成を、予め定義されたリソース上で受信することができる。
【０３６０】
上記の説明に基づき、具体的な実装プロセスでは、構成情報受信モジュール1010によって、予め定義されたリソース上で第1の物理下りリンク制御チャネルの構成情報を受信する具体的な実装方法は、以下の3つの解決策を用いて実現することができる。
【０３６１】
解決策1：構成情報受信モジュール1010は、予め定義されたリソース上でランダムアクセス応答メッセージを受信し、ランダムアクセス応答メッセージは、第1の物理下りリンク制御チャネルの構成情報を搬送する。ここでの「搬送する」は、「含む」を意味してもよく、すなわち、ランダムアクセス応答メッセージは、第1の物理下りリンク制御チャネルの構成情報を含む。
【０３６２】
あるいは、構成情報受信モジュール1010は、予め定義されたリソース上でランダムアクセス応答メッセージのスケジューリング情報を受信し、ランダムアクセス応答メッセージのスケジューリング情報は、ランダムアクセス応答メッセージの送受信方法を示すために使用され、また、ランダムアクセス応答メッセージのスケジューリング情報に基づいてランダムアクセス応答メッセージを受信し、ランダムアクセス応答メッセージ内で搬送される第1の物理下りリンク制御チャネルの構成情報を取得する。なお、構成情報受信モジュール1010によってランダムアクセス応答メッセージを受信する方法は、例えば、ランダムアクセス応答メッセージを受信するために使用されるリソースブロックの位置、ランダムアクセス応答メッセージを受信するために使用されるリソースブロックの数、および／または使用される変調符号化方式であってもよい。さらに、「構成情報受信モジュール1010によって、予め定義されたリソース上でランダムアクセス応答メッセージのスケジューリング情報を受信するステップ」の具体的な動作としては、まず、構成情報受信モジュール1010によって、予め定義されたリソース上で共通探索空間を決定し、その後、共通探索空間内で、ランダムアクセス応答メッセージをスケジューリングするために使用される第2の物理下りリンク制御チャネルを受信するステップであって、第2の物理下りリンク制御チャネルがランダムアクセス応答メッセージのスケジューリング情報を搬送する、ステップであってもよい。同様に、本明細書における「搬送する」は、「含む」を意味する場合もある。
【０３６３】
上記の説明では、ランダムアクセス応答メッセージはRAR（Random Access Response）メッセージであり、本発明のこの実施形態では、RARの前に共通メッセージを送信する方法は限定されない。例えば、RARの前にパブリックブロードキャストチャネル（PBCH、Public Broadcast Channel）およびシステムメッセージ（SIB1（System Information Block）またはSI）を送信する方法は、本発明では限定されない。確かに、RARの前に共通メッセージを用いて、予め定義されたリソースを構成することができる。
【０３６４】
任意選択的に、構成情報受信モジュール1010は、「ランダムアクセス応答メッセージを受信し、ランダムアクセス応答メッセージ内で搬送される第1の物理下りリンク制御チャネルの構成情報を取得するステップ」の動作を、構成情報受信モジュール1010によってランダムアクセス応答メッセージを受信し、ランダムアクセス応答メッセージ内で搬送される指示情報を取得し、指示情報は第1の物理下りリンク制御チャネルの構成情報を含む、方法を用いて実装してもよい。任意の実装方法において、第1の物理下りリンク制御チャネルは、ランダムアクセス競合解決メッセージMsg4をスケジューリングするために使用され、すなわち、ランダムアクセス応答メッセージ内で搬送される指示情報は、ランダムアクセス競合解決メッセージMsg4の物理下りリンク制御チャネルの構成情報を含む。
【０３６５】
さらに、任意選択的に、構成情報受信モジュール1010は、「ランダムアクセス応答メッセージを受信し、ランダムアクセス応答メッセージ内で搬送される第1の物理下りリンク制御チャネルの構成情報を取得するステップ」の動作を、以下の2つの方法を用いて実装してもよい。1．構成情報受信モジュール1010は、ランダムアクセス応答メッセージを受信し、ランダムアクセス応答メッセージ内で搬送される指示情報を取得し、指示情報は、ランダムアクセス競合解決メッセージのスケジューリング情報を含み、ランダムアクセス競合解決メッセージのスケジューリング情報は、ランダムアクセス競合解決メッセージの送受信方法を示すために使用され、また、ランダムアクセス競合解決メッセージを受信し、
ランダムアクセス競合解決メッセージは、第1の物理下りリンク制御チャネルの構成情報を搬送する。同様に、本明細書における「搬送する」は、「含む」を意味する場合もある。2．構成情報受信モジュール1010は、ランダムアクセス応答メッセージを受信し、ランダムアクセス応答メッセージ内で搬送される指示情報を取得し、指示情報は、第3の物理下りリンク制御チャネルの構成情報を含み、第3の物理下りリンク制御チャネルの構成情報は、第3の物理下りリンク制御チャネルの送受信方法を示すために使用され、第3の物理下りリンク制御チャネルは、ランダムアクセス競合解決メッセージのスケジューリング情報を伝送するために使用され、ランダムアクセス競合解決メッセージのスケジューリング情報は、ランダムアクセス競合解決メッセージの送受信方法を示すために使用され、第3の物理下りリンク制御チャネルの構成情報は、第3の物理下りリンク制御チャネルの共通探索空間の構成情報、および／または、第3の物理下りリンク制御チャネルの物理下りリンク制御リソース内のユーザ機器固有探索空間の構成情報を含み、また、ランダムアクセス競合解決メッセージのスケジューリング情報に基づいてランダムアクセス競合解決メッセージを受信し、ランダムアクセス競合解決メッセージ内で搬送される第1の物理下りリンク制御チャネルの構成情報を取得する。
【０３６６】
上記の説明において、ランダムアクセス競合解決メッセージは、MSG4であってもよい。MSG4は、ユーザ機器が同じランダムアクセスリソースを選択する、例えば、ユーザ機器が同じ時間周波数リソース上で同じランダムアクセスプリアンブルシーケンスを受信することを選択することに起因する、ランダムアクセスプロセスにおける競合の問題を解決するために使用されてもよい。なお、本発明の実施形態との違いは、既存のプロトコルでは、RARメッセージは、MSG3（すなわち、ランダムアクセス手順メッセージ3）のスケジューリング情報のみを搬送し、MSG4のスケジューリング情報、またはMSG4のスケジューリング情報を伝送するために使用される第3の物理下りリンク制御チャネルを搬送しないことにある。
【０３６７】
さらに任意選択的に、基地局装置は、「ランダムアクセス応答メッセージに指示情報を追加するステップ」の動作を以下の2つの方法を用いて実装してもよい。1．基地局装置は、ランダムアクセス応答メッセージに新しいフィールドを追加し、新しいフィールドは指示情報を含む。2．基地局装置は、ランダムアクセス応答メッセージ内の既存のフィールドを再説明し、再説明された既存のフィールドに指示情報を追加する。既存のフィールドを再説明するステップは、既存のフィールドのいくつかのbitの使用を再定義するステップである。任意の例では、ランダムアクセス応答メッセージのフィールドの図14に示す概略図を参照すると、図示のように、MSG3をスケジューリングするためにUL Grantフィールドが使用され、フィールドは20bitsの容量を占有する。しかし、狭帯域リソースのシナリオでは、MSG3をスケジューリングするために20bits未満のビットが必要である。本発明のこの実施形態では、フィールドを再説明することができ、MSG3をスケジューリングするために数ビットのみが使用され、残りのbitsは指示情報を伝送するために使用される。
【０３６８】
同様に、任意選択的に、基地局装置は、ランダムアクセス応答メッセージに第1の物理下りリンク制御チャネルの構成情報を追加するステップの動作を、以下の2つの方法を用いて実装してもよい。1．基地局装置は、ランダムアクセス応答メッセージに新しいフィールドを追加し、新しいフィールドは、第1の物理下りリンク制御チャネルの構成情報を含む。2．基地局装置は、ランダムアクセス応答メッセージの既存のフィールドを再説明し、再説明した既存のフィールドに、第1の物理下りリンク制御チャネルの構成情報を書き込む。
【０３６９】
解決策2．構成情報受信モジュール1010は、予め定義されたリソース上で、第1の物理下りリンク制御チャネルの構成情報を搬送するデータチャネルを受信する。データチャネルは、予定外の方法で受信される。既存のデータチャネルは予定された方法で受信されることに留意されたい。本発明のこの実施形態では、予定された方法は使用されず、例えば、予め知られている変調符号化方式またはフィードバックのない方式が使用される。
【０３７０】
なお、データチャネルを受信するとは、データチャネル上でデータチャネルのデータを受信するという意味である。
【０３７１】
任意選択的に、この解決策におけるデータチャネルは、ランダムアクセス競合解決メッセージであってもよい。すなわち、構成情報受信モジュール1010は、予め定義されたリソース上でランダムアクセス競合解決メッセージを受信し、ランダムアクセス競合解決メッセージ内で搬送される第1の物理下りリンク制御チャネルの構成情報を取得する。本実施形態では、ランダムアクセス競合解決メッセージの前にメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０３７２】
任意の例では、この解決策の実装シナリオは以下のようであってもよい。
【０３７３】
基地局装置は、予め定義された狭帯域リソース上で、EPDCCHの構成情報を搬送するメッセージを送信する。EPDCCHの構成情報を搬送するメッセージの送信方法は、変調符号化方式であってもよい。EPDCCHの構成情報は、1つ以上のEPDCCHリソース上、例えば、予め定義された狭帯域リソース上のEPDCCH内のCSSの構成情報であってもよいし、他の狭帯域リソース上のEPDCCH内のCSSの構成情報であってもよい。CSSの構成情報は、例えば、CSSのPRBの位置、および／またはPRBのサイズ、および／または開始シンボルの位置、および／または伝送方法（例えば、集中型または分散型）、および／またはサブフレームモードであってもよい。
【０３７４】
構成情報受信モジュール1010は、予め定義された狭帯域リソース上で、EPDCCH内のCSSの構成情報を搬送するメッセージを受信し、受信したメッセージに基づいてEPDCCH内のCSSの構成情報を取得し、選択されたEPDCCHの狭帯域上のCSS内のEPDCCHをリッスンする。
【０３７５】
ネットワークは、1つ以上のEPDCCHリソース上のEPDCCH内のCSSの構成を決定し、予め定義された狭帯域リソース上で、EPDCCH内のCSSの決定された構成情報を搬送するメッセージを送信し、ユーザ機器が、同じ選択されたEPDCCH狭帯域リソース上のEPDCCH内のCSS内のEPDCCHをリッスンすることができるように、選択された1つ以上のEPDCCH狭帯域リソース上のEPDCCH内のCSS内のEPDCCHを送信する。
【０３７６】
構成情報受信モジュール1010がEPDCCHをリッスンする狭帯域リソースと、ネットワークがEPDCCHを送信する狭帯域リソースとが同じであることを保証するために、構成情報受信モジュール1010およびネットワークは、選択されたEPDCCH狭帯域リソースを同じ規則に従って決定する必要があることに留意されたい。
【０３７７】
また、任意選択的に、EPDCCH内のCSSの構成情報は、EPDCCH内のUSSの構成情報であってもよく、この例は記載されていない。
【０３７８】
解決策3．構成情報受信モジュール1010は、予め定義されたリソース上で第4の物理下りリンク制御チャネルを受信し、第4の物理下りリンク制御チャネルは、第1の物理下りリンク制御チャネルの構成情報を搬送する。同様に、本明細書における「搬送する」は、「含む」を意味する場合もある。
【０３７９】
あるいは、構成情報受信モジュール1010は、予め定義されたリソース上で第4の物理下りリンク制御チャネルを受信し、第4の物理下りリンク制御チャネルによって、第1の物理下りリンク制御チャネルの構成情報を搬送するメッセージを受信する。第1の物理下りリンク制御チャネルの構成情報を搬送するメッセージは、共通メッセージであってもよく、またはユーザ機器固有メッセージであってもよい。
【０３８０】
任意選択的に、この解決策における第4の物理下りリンク制御チャネルは、ランダムアクセス競合解決メッセージをスケジューリングするために使用される物理下りリンク制御チャネルであってもよい。すなわち、構成情報受信モジュール1010は、予め定義されたリソース上で、ランダムアクセス競合解決メッセージをスケジューリングするために使用される第4の物理下りリンク制御チャネルを送信し、第4の物理下りリンク制御チャネルによってランダムアクセス競合解決メッセージを受信し、ランダムアクセス競合解決メッセージに第1の物理下りリンク制御チャネルの構成情報を追加する。同様に、この解決策では、第4の物理下りリンク制御チャネルの前にチャネルおよびメッセージを伝送する方法は限定されず、予め定義されたリソースを決定する方法は限定されない。例えば、予め定義されたリソースに関する情報は、システムメッセージまたはランダムアクセス応答メッセージを用いて通知する方法、または予め知られている規則を用いて決定する方法で決定される。
【０３８１】
任意の例では、この解決策の実装シナリオは以下のようであってもよい。
【０３８２】
基地局装置は、予め定義された狭帯域リソース上で第4のEPDCCHチャネルを送信する。第4のEPDCCHの物理下りリンク制御チャネルリソース上のCSSの構成情報は、予め知られている、すなわち、基地局装置およびユーザ機器は、第4のEPDCCHの物理下りリンク制御チャネルリソース上のCSSの構成情報、例えば、CSSのPRBの位置、および／またはPRBのサイズ、および／または開始シンボル位置、および／または伝送方法（例えば、集中型または分散型）、および／またはサブフレームモードを既に予め知っている。
【０３８３】
構成情報受信モジュール1010は、予め定義された狭帯域リソース上で第4のEPDCCHチャネルを受信し、受信した第4のEPDCCHチャネルから第1の物理下りリンク制御チャネルの構成情報を取得し、受信した第4のEPDCCHチャネルを用いて、第1の物理下りリンク制御チャネルの構成情報を搬送するメッセージを受信する。
【０３８４】
ネットワークは、予め定義されたリソース上で第4のEPDCCHチャネルを送信し、第4の物理下りリンク制御チャネルに第1の物理下りリンク制御チャネルの構成情報を追加するか、または、第4の物理下りリンク制御チャネルによって、第1の物理下りリンク制御チャネルの構成情報を搬送するメッセージを送信する。
【０３８５】
特に、上記の解決策1、解決策2、および解決策3において、予め定義されたリソースは、システムや規格に予め規定されたリソースであってもよいし、シグナリングを用いて通知されるリソースであってもよい。シグナリングは、無線リソース制御共通シグナリング、無線リソース制御専用シグナリング、媒体アクセス制御シグナリング、媒体アクセス制御制御要素、物理制御チャネル、または制御情報のうちの1つ以上である。
【０３８６】
予め定義されたリソースは、以下の3つの方法で決定することができる。
【０３８７】
方法1．予め定義されたリソースは、予め設定された規則を用いて決定される。任意選択的に、予め定義されたリソースは、予め定義されたリソース内の物理リソースブロックの数に従って決定され、予め定義されたリソースは、1つ以上の物理リソースブロックを含む。例えば、予め定義されたリソースの開始PRBまたは終了PRBのインデックスは、nの関数である。一実施形態では、解決策1において、n個のPRBを用いてRARメッセージを受信するか、または解決策2において、n個のPRBを用いてEPDCCH内のCSSの構成情報を受信するか、または解決策3において、EPDCCH内のCSSはn個のPRBリソースを含むと仮定すると、予め定義されたリソースの開始PRBまたは終了PRBのインデックスは、nの整数倍である。別の実施形態では、予め定義されたリソースの開始PRBまたは終了PRBのインデックスは、予め設定された補償値をnにプラスまたはマイナスした数の整数倍である。さらに、例えば2または4などの複数の予め定義されたリソースが存在する場合、インデックスが2の整数倍であるPRBから開始されるPRBでは、リソースの数が2である場合にのみ情報が伝送され、インデックスが4の整数倍であるPRBから開始されるPRBでは、リソースの数が4である場合にのみ情報が伝送される。予め定義されたリソースは、特定の瞬間に一意的に決定されてもよく、例えば、PRBが2または4である予め定義されたリソースが一意的に決定されてもよいことに留意されたい。
【０３８８】
方法2．予め定義されたリソースは、上位層シグナリングを用いて通知される。例えば、多くの予め定義されたリソースが上位層に構成され、PBCHチャネルを用いてユーザ機器に通知される。予め定義されたリソースは特定の瞬間に確定し、関連する構成情報は確実であるかまたは既知であることに留意されたい。
【０３８９】
方法3．1つ以上のリソースは、上位層シグナリングを用いて構成され、予め定義されたリソースは、予め定義された規則を用いて、1つ以上のリソースから決定される。すなわち、上記の方法1と方法2が組み合わされる。範囲は、上位層シグナリングを用いて決定され、1つの特定のリソースまたはいくつかの特定のリソースが、規則に従って範囲から決定される。
【０３９０】
制御チャネル受信モジュール1020は、第1の物理下りリンク制御チャネルの構成情報に基づいて、第1の物理下りリンク制御チャネルを受信するように構成される。
【０３９１】
特に、制御チャネル受信モジュール1020は、第1の物理下りリンク制御チャネルの構成情報に基づいて受信パラメータを決定し、受信パラメータに従って第1の物理下りリンク制御チャネルを受信する。
【０３９２】
図11は、本発明の一実施形態による別の基地局装置の概略構成図である。図11に示すように、基地局装置は、少なくとも1つのプロセッサ1101（例えばCPU）と、少なくとも1つのネットワークインターフェース1103と、メモリ1104と、少なくとも1つの通信バス1102とを含んでいてもよい。通信バス1102は、構成要素間の接続および通信を実現するように構成される。本発明のこの実施形態における基地局装置のネットワークインターフェース1103は、別のノード装置とのシグナリングまたはデータ通信を行うように構成された無線インターフェース、例えばアンテナ装置であってもよい。メモリ1104は、高速RAMメモリであってもよいし、または少なくとも1つの磁気ディスクメモリのような不揮発性メモリ（non−volatile memory）であってもよい。任意選択的に、メモリ1104は、プロセッサ1101から離れて位置する少なくとも1つの記憶装置であってもよい。メモリ1104はプログラムコード群を記憶し、プロセッサ1101は、メモリ1104内に記憶されたプログラムコードを呼び出して、
予め定義されたリソース上で第1の物理下りリンク制御チャネルの構成情報を送信するステップであって、第1の物理下りリンク制御チャネルの構成情報が第1の物理下りリンク制御チャネルの送受信方法を示すために使用される、ステップと、
第1の物理下りリンク制御チャネルの構成情報に基づいて、第1の物理下りリンク制御チャネルを送信するステップと
の動作を行うように構成される。
【０３９３】
特に、本実施形態で説明する基地局装置は、図1から図4を参照して本発明の実施形態で説明される、物理下りリンク制御チャネル送信方法の一部または全部を実装するように構成することができる。
【０３９４】
図12は、本発明の一実施形態による別のユーザ機器の概略構成図である。図12に示すように、ユーザ機器は、少なくとも1つのプロセッサ1201（例えばCPU）と、少なくとも1つのネットワークインターフェース1203と、メモリ1204と、少なくとも1つの通信バス1202とを含んでいてもよい。通信バス1202は、構成要素間の接続および通信を実現するように構成される。本発明のこの実施形態におけるユーザ機器のネットワークインターフェース1203は、別のノード装置とのシグナリングまたはデータ通信を行うように構成された無線インターフェース、例えばアンテナ装置であってもよい。メモリ1204は、高速RAMメモリであってもよいし、少なくとも1つの磁気ディスクメモリのような不揮発性メモリ（non−volatile memory）であってもよい。任意選択的に、メモリ1204は、プロセッサ1201から離れて位置する少なくとも1つの記憶装置であってもよい。メモリ1204はプログラムコード群を記憶し、プロセッサ1201は、メモリ1204内に記憶されたプログラムコードを呼び出して、
予め定義されたリソース上で第1の物理下りリンク制御チャネルの構成情報を受信するステップであって、第1の物理下りリンク制御チャネルの構成情報が第1の物理下りリンク制御チャネルの送受信方法を示すために使用される、ステップと、
第1の物理下りリンク制御チャネルの構成情報に基づいて、第1の物理下りリンク制御チャネルを受信するステップと
の動作を行うように構成される。
【０３９５】
特に、本実施形態で説明するユーザ機器は、図5から図8を参照して本発明の実施形態で説明される、物理下りリンク制御チャネル受信方法の一部または全部を実装するように構成することができる。
【０３９６】
本発明の一実施形態は、コンピュータ記憶媒体をさらに提供する。コンピュータ記憶媒体にはプログラムが格納されており、プログラムは、図1から図4を参照して本発明の実施形態で説明される、物理下りリンク制御チャネル送信方法の一部または全部を行うために使用される、いくつかの命令を含む。
【０３９７】
本発明の一実施形態は、コンピュータ記憶媒体をさらに提供する。コンピュータ記憶媒体にはプログラムが格納されており、プログラムは、図5から図8を参照して本発明の実施形態で説明される、物理下りリンク制御チャネル受信方法の一部または全部を行うために使用される、いくつかの命令を含む。
【０３９８】
以上のように、本発明のこの実施形態では、まず、予め定義されたリソース上で物理下りリンク制御チャネルの構成情報を送信し、物理下りリンク制御チャネルの構成情報に基づいて物理下りリンク制御チャネルを送信することによって、物理下りリンク制御チャネルの送信を実現し、システム帯域幅が狭帯域ユーザ機器の動作帯域よりも大きいシステム内で狭帯域ユーザ機器が動作する場合に、物理下りリンク制御チャネルの伝送を実現できないという問題を解決する。物理下りリンク制御チャネルは、限定されるものではないが、PDCCHチャネルおよび／またはEPDCCHチャネルを含む。
【０３９９】
当業者であれば、実施形態における方法のステップの全てまたは一部が、関連するハードウェアに命令するコンピュータプログラムによって実装され得ることを理解することができる。プログラムは、コンピュータ可読記憶媒体に格納されてもよい。プログラムが走行すると、実施形態の方法の処理が行われる。上記記憶媒体としては、磁気ディスク、光ディスク、リードオンリメモリ（Read−Only Memory、ROM）、ランダムアクセスメモリ（Random Access Memory、RAM）を含み得る。
【０４００】
上記で開示したものは、本発明の単なる例示的な実施形態であり、本発明の保護範囲を限定するものではない。したがって、本発明の特許請求の範囲に基づいてなされた同等の変形は本発明の範囲内に含まれるものとする。
【符号の説明】
【０４０１】
910  構成情報送信モジュール
920  制御チャネル送信モジュール
1010  構成情報受信モジュール
1020  制御チャネル受信モジュール
1101  プロセッサ
1102  通信バス
1103  ネットワークインターフェース
1104  メモリ
1201  プロセッサ
1202  通信バス
1203  ネットワークインターフェース
1204  メモリ
【図１】
0006490212.tif 000002
【図２】
0006490212.tif 000003
【図３】
0006490212.tif 000004
【図４】
0006490212.tif 000005
【図５】
0006490212.tif 000006
【図６】
0006490212.tif 000007
【図７】
0006490212.tif 000008
【図８】
0006490212.tif 000009
【図９】
0006490212.tif 000010
【図１０】
0006490212.tif 000011
【図１１】
0006490212.tif 000012
【図１２】
0006490212.tif 000013
【図１３】
0006490212.tif 000014
【図１４】
0006490212.tif 000015